(57)【特許請求の範囲】
【請求項１】
支持対象に対して開閉可能に支持された開閉体と、当該開閉体の背面側又は後方に設けられ、外部電源から供給される電力に基づいて動作する電気機器と、を備えている遊技機において、
複数段階の待機状態が予め設定されており、前記外部電源からの電力供給の少なくとも遮断中において、前記開閉体が開閉操作された場合、前記待機状態が当該開閉操作前の状態から変更される監視手段と、
前記外部電源から電力供給が開始された場合に、前記監視手段の待機状態が電源遮断時の待機状態であるか否かを特定する特定手段と、
を備え、
前記監視手段は、
前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体と、
予め設定された複数の待機位置に段階的に移動可能に設けられ、前記移動体が前記第１位置から前記第２位置に移動したこと及び前記第２位置から前記第１位置に移動したことの少なくとも一方に機械的に連動して待機位置が変更される連動体と、
前記複数段階の待機状態として複数段階の検知状態が予め設定されており、前記連動体の待機位置に応じて前記検知状態が変更される検知手段と、
を備え、
当該検知手段の検知状態は、前記移動体が前記第１位置から前記第２位置に移動したことに基づいて変更され、前記移動体が前記第２位置から前記第１位置に移動したとしても変更されない構成であり、
当該遊技機は、前記外部電源から電力供給が行われている状況で、前記第１位置及び前記第２位置のうち前記移動体が待機している位置に基づいて、前記開閉体が前記支持対象に対して開放されているか否かを特定する開放特定手段を備えていることを特徴とする遊技機。
【発明の詳細な説明】
【技術分野】
【０００１】
本発明は、遊技機に関するものである。
【背景技術】
【０００２】
遊技機の一種であるパチンコ機は、外枠に対して開閉可能に取り付けられた本体枠と、本体枠に対して開閉可能に取り付けられた前面扉とを備えている。また、パチンコ機には、制御装置が設けられているとともに、外枠に対する本体枠の開放や本体枠に対する前面扉の開放を検知する開放スイッチが設けられている。そして、前面扉や本体枠が開放された場合には、それらの開放が開放スイッチにより検知され、その検知結果が制御装置に入力される。制御装置では、開放スイッチからの検知結果に基づいて前面扉や本体枠が開放されたと判断した場合、スピーカ部やランプ部を用いてその旨の報知などを実行する（例えば、特許文献１参照）。
【０００３】
ここで、パチンコ機においては、前面扉を開放し、本体枠の前面側に設けられた遊技領域に対して不正を行う行為が想定される。また、本体枠を開放し、本体枠の背面側に搭載された制御装置に対して不正を行う行為が想定される。これに対して、パチンコ機の電源が投入されている状況では、上記のとおり、前面扉や本体枠の開放が制御装置において把握され、それに対して報知処理などが実行されるため、遊技ホールの管理者等は上記不正行為に対処することができる。
【先行技術文献】
【特許文献】
【０００４】
【特許文献１】特開２００２−３２０７４４号公報
【発明の概要】
【発明が解決しようとする課題】
【０００５】
ここで、電源遮断中における不正行為に対処可能な構成を提供する必要があり、この点について未だ改良の余地がある。
【０００６】
なお、上記問題は、パチンコ機に限って発生するものではなく、前面扉や本体枠などの開閉体を有する他の遊技機にも同様に発生するものである。
【０００７】
本発明は、上記例示した事情等に鑑みてなされたものであり、電源遮断中における不正行為に対処可能な遊技機を提供することを目的とするものである。
【課題を解決するための手段】
【０００８】
上記課題を解決すべく請求項１記載の発明は、支持対象に対して開閉可能に支持された開閉体と、当該開閉体の背面側又は後方に設けられ、外部電源から供給される電力に基づいて動作する電気機器と、を備えている遊技機において、
複数段階の待機状態が予め設定されており、前記外部電源からの電力供給の少なくとも遮断中において、前記開閉体が開閉操作された場合、前記待機状態が当該開閉操作前の状態から変更される監視手段と、
前記外部電源から電力供給が開始された場合に、前記監視手段の待機状態が電源遮断時の待機状態であるか否かを特定する特定手段と、
を備え、
前記監視手段は、
前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体と、
予め設定された複数の待機位置に段階的に移動可能に設けられ、前記移動体が前記第１位置から前記第２位置に移動したこと及び前記第２位置から前記第１位置に移動したことの少なくとも一方に機械的に連動して待機位置が変更される連動体と、
前記複数段階の待機状態として複数段階の検知状態が予め設定されており、前記連動体の待機位置に応じて前記検知状態が変更される検知手段と、
を備え、
当該検知手段の検知状態は、前記移動体が前記第１位置から前記第２位置に移動したことに基づいて変更され、前記移動体が前記第２位置から前記第１位置に移動したとしても変更されない構成であり、
当該遊技機は、前記外部電源から電力供給が行われている状況で、前記第１位置及び前記第２位置のうち前記移動体が待機している位置に基づいて、前記開閉体が前記支持対象に対して開放されているか否かを特定する開放特定手段を備えていることを特徴とする。
【発明の効果】
【０００９】
本発明によれば、電源遮断中における不正行為に対処可能となる。
【図面の簡単な説明】
【００１０】
【図１】第１の実施形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】第１監視装置を説明するための説明図である。
【図１５】第２監視装置を説明するための説明図である。
【図１６】監視装置の構成を示す斜視図である。
【図１７】監視装置の構成を示す分解斜視図である。
【図１８】監視装置の構成を示す断面図である。
【図１９】（ａ）蓋用ケース体の構成を示す側面図、（ｂ）プッシャの構成を示す側面図、（ｃ）回転子の構成を示す側面図、（ｄ）円盤の構成を示す側面図、（ｅ）回転軸体の構成を示す側面図である。
【図２０】プッシャの移動に連動した円盤の回転動作を説明するための説明図である。
【図２１】蓋用ケース体の筒状領域、プッシャの開放部側及び回転子の大径部を展開して示す説明図である。
【図２２】検知装置の構成を示す平面図である。
【図２３】（ａ）円盤の構成を示す平面図、（ｂ）（ａ）のＡ―Ａ線断面図である。
【図２４】円盤によって電気的に導通される金属端子の組合せと当該円盤の待機位置との関係について説明するための説明図である。
【図２５】円盤によって電気的に導通される金属端子の組合せと当該円盤の待機位置との関係について説明するための説明図である。
【図２６】検知装置からの検知信号パターンの切り替わりタイミングを説明するための説明図である。
【図２７】パチンコ機の電気的構成を示すブロック図である。
【図２８】主制御回路のＣＰＵによるＮＭＩ割込み処理を示すフローチャートである。
【図２９】タイマ割込み処理を示すフローチャートである。
【図３０】メイン処理を示すフローチャートである。
【図３１】通常処理を示すフローチャートである。
【図３２】電源遮断中における前扉枠及び遊技機主部の不正開放の監視に関する電気的構成を示すブロック図である。
【図３３】通常時更新処理を示すフローチャートである。
【図３４】第１更新処理を示すフローチャートである。
【図３５】電断時更新処理を示すフローチャートである。
【図３６】第２の実施形態における監視装置を説明するための説明図である。
【図３７】第３の実施形態におけるスロットマシンを説明するための斜視図である。
【図３８】第４の実施形態における監視装置を説明するための説明図である。
【図３９】第５の実施形態におけるパチンコ機の主要な構成を展開して示す斜視図である。
【図４０】裏パックユニットの構成を示す正面図である。
【図４１】パチンコ機の電気的構成を示すブロック図である。
【図４２】主制御装置のＣＰＵに電力を供給するための電気的構成を示す電気的構成図。
【図４３】タイマ割込み処理を示すフローチャート。
【図４４】メイン処理を示すフローチャート。
【図４５】別の主制御装置のＲＡＭに電力を供給するための電気的構成を示す電気的構成図。
【図４６】別の主制御装置のＲＡＭに電力を供給するための電気的構成を示す電気的構成図。
【図４７】別の主制御装置のＲＡＭに電力を供給するための電気的構成を示す電気的構成図。
【図４８】他の実施の形態におけるスロットマシンを示す斜視図である。
【発明を実施するための形態】
【００１１】
はじめに、本実施の形態から抽出され得る発明群を手段ｎ（ｎ＝１，２，３…）として区分して示し、それらを必要に応じて効果等を示しつつ説明する。なお以下においては、理解の容易のため、発明の実施の形態において対応する構成を括弧書き等で適宜示すが、この括弧書き等で示した具体的構成に限定されるものではない。
【００１２】
手段１．支持対象に対して開閉可能に支持された開閉体（遊技機主部１２、前扉枠１４等）と、当該開閉体の背面側又は後方に設けられ、外部電源から供給される電力に基づいて動作する電気機器（可変入賞装置８３、主制御装置１６２、払出装置２２４、払出制御装置２４２等）と、を備えている遊技機において、
前記外部電源からの電力供給が遮断された場合に設定されていた又は設定される遮断時状態を当該電力供給が遮断された状況において維持可能であるとともに、当該電力供給が遮断された状況において前記開閉体が開閉操作された場合に前記遮断時状態とは異なる状態に変更される監視手段（監視装置２５０、ＲＡＭ５０３）と、
前記外部電源から電力供給が開始された場合に、前記監視手段の状態が前記遮断時状態であるか否かを特定する特定手段（ＣＰＵ３１１におけるステップＳ３０８の比較処理を行う機能、ＣＰＵ５０１のメイン処理におけるステップＳ９０４，Ｓ９０６を行う機能）と、
を備えていることを特徴とする遊技機。
【００１３】
手段１の遊技機では、外部電源から供給された電力に基づいて電気機器が動作することで、遊技が進行することとなる。
【００１４】
当該構成において、監視手段が設けられており、外部電源からの電力供給の遮断中に開閉体が開閉操作された場合には、外部電源からの電力供給が遮断された場合に設定されていた又は設定される遮断時状態から異なる状態に変更される。そして、電力供給が遮断された状態から電力供給が開始された場合には、監視手段の状態が遮断時状態であるか否かが特定される。これにより、例えば、電力供給が遮断されている状況において開閉体が不正に開閉操作されていた場合には、遮断時状態でないことが特定されることで遊技機において当該不正行為が行われたことを把握することが可能となり、当該不正行為に対処することが可能となる。
【００１５】
なお、「前記開閉体が開閉操作された場合に前記遮断時状態とは異なる状態に変更される」には、「閉鎖状態にある前記開閉体が開放操作されたこと又は開放状態にある前記開閉体が閉鎖操作されたことの少なくとも一方に基づいて前記遮断時状態とは異なる状態に変更される」構成も含まれる。
【００１６】
手段２．手段１において、前記特定手段における特定の結果、前記監視手段の状態が前記遮断時状態でない場合に、特定出力処理を実行する特定出力処理手段（ＣＰＵ３１１における報知処理を行う機能等）をさらに備えていることを特徴とする遊技機。
【００１７】
手段２によれば、監視手段の状態が遮断時状態とは異なる状態であることが特定された場合には、特定出力処理が実行される。この特定出力処理として、例えば、遊技機に設置されたランプ、スピーカ又は表示画面を有する表示装置の少なくとも１つを駆動制御して報知を行わせるようにすることで、電力供給が遮断されている状況で開閉体が不正に開放操作されていたことを遊技機自身において報知することが可能となる。また、特定出力処理として、例えば、遊技ホールの管理装置（例えば、ホールコンピュータ）に異常信号を出力することで、上記不正行為が行われていたことを、管理装置を通じて遊技ホールの管理者等に報知することが可能となる。そして、これらの場合、遊技ホールの管理者等に対して、上記不正行為に対処するよう促すことが可能となる。
【００１８】
手段３．手段１又は２において、前記監視手段は、前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体（プッシャ２６６、前扉枠開放スイッチ４９１のピン、本体枠開放スイッチ４９２のピン）を備えており、前記外部電源からの電力供給が遮断された状況において前記移動体が前記第１位置から前記第２位置に移動したこと又は前記第２位置から前記第１位置に移動したことの少なくとも一方に基づいて、前記遮断時状態とは異なる状態に変更されるものであることを特徴とする遊技機。
【００１９】
手段３によれば、開閉体の開閉操作と機械的に連動して第１位置と第２位置とに移動する移動体を監視手段が備えていることにより、外部電源から電力供給が停止されている状況であるにも関わらず、開閉体が開閉操作された場合に監視手段の状態が遮断時状態とは異なる状態に変更される。
【００２０】
手段４．手段３において、前記外部電源から電力供給が行われている状況で、前記第１位置及び前記第２位置のうち前記移動体が待機している位置に基づいて、前記開閉体が前記支持対象に対して開放されているか否かを特定する開放特定手段をさらに備えていることを特徴とする遊技機。
【００２１】
手段４によれば、外部電源から電力供給が行われている状況では移動体の待機している位置に基づいて開閉体が支持対象に対して開放されているか否かが特定される。つまり、移動体が設けられていることにより、外部電源からの電力供給が遮断されている状況及び電力供給が行われている状況のいずれにおいても、開閉体の開放を監視することが可能となる。よって、それぞれの機能毎に移動体を設ける構成に比して、遊技機の部品点数の削減が図られる。
【００２２】
手段５．手段１乃至４のいずれかにおいて、前記監視手段は、前記遮断時状態とは異なる状態に変更された場合、前記外部電源からの電力供給の遮断中に前記遮断時状態への復帰が不可能又は困難なものであることを特徴とする遊技機。
【００２３】
手段５によれば、外部電源から電力供給が行われていない状況で開閉体が不正に開閉操作されたにも関わらず、監視手段が遮断時状態に復帰してしまうといった不都合の発生を抑制することができる。
【００２４】
手段６．手段１乃至５のいずれかにおいて、前記監視手段は、閉鎖状態にある前記開閉体が開放操作された場合に、前記遮断時状態とは異なる状態に変更されるものであることを特徴とする遊技機。
【００２５】
外部電源から電力供給が行われていない状況での不正行為は、支持対象に対して開閉体を開放させた状態で行うものと考えられる。これに対して、手段６によれば、閉鎖状態にある開閉体が開放操作された場合に、監視手段が遮断時状態とは異なる状態に変更されるため、開閉体の開放を直接的に監視することができる。また、例えば、監視手段が、開放状態にある開閉体が閉鎖操作された場合に、遮断時状態とは異なる状態に変更される構成を想定すると、開閉体を開放させて不正を行った後に、外観上は識別困難な程度に開閉体を開放状態に維持させる行為が行われた場合には、不正行為が行われたにも関わらず監視手段が遮断時状態とは異なる状態に変更されないおそれがある。これに対して、本手段６における構成によれば、上記のような事態が生じることはなく、開閉体を開放させて不正が行われた場合には、監視手段が遮断時状態とは異なる状態となる。
【００２６】
手段７．手段１乃至６のいずれかにおいて、前記外部電源から電力供給が開始された場合に予め定められた開始時用処理を実行する開始時用処理手段をさらに備えており、
前記開始時処理において、前記特定手段による特定が行われることを特徴とする遊技機。
【００２７】
手段７によれば、外部電源からの電力供給が開始される場合には、その開始に際して、監視手段の状態が遮断時状態であるか否かの特定が行われる。これにより、外部電源からの電力供給が遮断されている状況において開閉体が不正に開閉操作されていた場合には、電力供給の開始後に迅速に対処することが可能となる。
【００２８】
手段８．支持対象に対して開閉可能に支持された開閉体（遊技機主部１２、前扉枠１４等）と、当該開閉体の背面側又は後方に設けられ外部電源から供給される電力に基づいて動作する電気機器（可変入賞装置８３、主制御装置１６２、払出装置２２４、払出制御装置２４２等）と、を備えている遊技機において、
複数段階の待機状態が予め設定されているとともに、前記外部電源からの電力供給の少なくとも遮断中において、前記開閉体が開閉操作された場合、前記待機状態が当該開閉操作前の状態から変更される監視手段（監視装置２５０）と、
前記外部電源からの電力供給が遮断された場合における前記監視手段の待機状態を記憶する記憶手段（ＲＡＭ３１３の第１検知状態格納エリア３１３ａ，第２検知状態格納エリア３１３ｂ）と、
前記監視手段の待機状態を把握する把握手段（ＣＰＵ３１１における検知状態把握処理を行う機能）と、
前記外部電源からの電力供給が開始された場合に前記記憶手段に記憶された待機状態と前記把握手段により把握された待機状態とを比較する比較手段（ＣＰＵ３１１におけるステップＳ３０８の比較処理を行う機能）と、
を備えていることを特徴とする遊技機。
【００２９】
手段８の遊技機では、外部電源から供給された電力に基づいて電気機器が動作することで、遊技が進行することとなる。
【００３０】
当該構成において、複数段階の待機状態を有する監視手段が設けられており、外部電源からの電力供給の遮断中に開閉体が開閉操作された場合には、待機状態が当該操作前の状態から変更される。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において開閉体が不正に開閉操作されていた場合には両待機状態が一致しない旨の比較結果となることで、遊技機において当該不正行為が行われたことを把握することが可能となり、当該不正行為に対処することが可能となる。
【００３１】
なお、「前記開閉体が開閉操作された場合、前記待機状態が当該開閉操作前の状態から変更される」には、「閉鎖状態にある前記開閉体が開放操作されたこと又は開放状態にある前記開閉体が閉鎖操作されたことの少なくとも一方に基づいて前記待機状態が変更されるとともに、閉鎖操作後には前記待機状態が開閉操作前の状態から変更される」構成も含まれる。これは、以下の独立手段においても同様である。
【００３２】
手段９．支持対象に対して開閉可能に支持された開閉体（遊技機主部１２、前扉枠１４等）と、当該開閉体の背面側又は後方に設けられ外部電源から供給される電力に基づいて動作する電気機器（可変入賞装置８３、主制御装置１６２、払出装置２２４、払出制御装置２４２等）と、を備えている遊技機において、
複数段階の待機状態が予め設定されているとともに、前記外部電源からの電力供給が行われている状況及び電力供給が遮断されている状況のいずれにおいても、前記開閉体が開閉操作された場合、前記待機状態が当該開閉操作前の状態から変更される監視手段（監視装置２５０）と、
前記外部電源からの電力供給が遮断された場合における前記監視手段の待機状態を記憶するとともに、自身に電力が供給されている間は記憶した情報の保持を可能とする記憶手段（ＲＡＭ３１３の第１検知状態格納エリア３１３ａ，第２検知状態格納エリア３１３ｂ）と、
前記外部電源からの電力供給が停止されている状況において前記記憶手段に電力を供給する電断時用電源手段（データ記憶保持用コンデンサ３２１ｃ）と、
前記監視手段の待機状態を把握する把握手段（ＣＰＵ３１１における検知状態把握処理を行う機能）と、
前記外部電源からの電力供給が開始された場合に、前記記憶手段に記憶された待機状態と前記把握手段により把握された待機状態とを比較する比較手段（ＣＰＵ３１１におけるステップＳ３０８の比較処理を行う機能）と、
を備えていることを特徴とする遊技機。
【００３３】
手段９の遊技機では、外部電源から供給された電力に基づいて電気機器が動作することで、遊技が進行することとなる。
【００３４】
当該構成において、複数段階の待機状態を有する監視手段が設けられており、外部電源からの電力供給の遮断中であっても開閉体が開閉操作された場合には、待機状態が当該操作前の状態から変更される。また、外部電源からの電力供給が遮断された場合における待機状態を記憶する記憶手段が設けられているとともに、外部電源からの電力供給が遮断された状況において記憶手段に電力を供給する電断時用電源手段が設けられている。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において開閉体が不正に開閉操作されていた場合には両待機状態が一致しない旨の比較結果となることで、遊技機において当該不正行為が行われたことを把握することが可能となり、当該不正行為に対処することが可能となる。
【００３５】
また、本構成においては、記憶手段では外部電源からの電力供給が遮断された場合における待機状態が記憶されるとともに、電力供給が遮断された状況においては電断時用電源手段から供給される電力により記憶手段にて待機状態が記憶保持される。遊技機において外部電源からの電力供給が遮断されるタイミングは不規則であり、監視手段がいずれの待機状態の場合に電力供給が遮断されるかは予め特定することはできない。この場合に、外部電源からの電力供給が遮断された場合における待機状態の一定化を図ろうとすると、例えば、監視手段の待機状態に初期待機状態を設定しておくとともに、外部電源からの電力供給が遮断された場合に監視手段の待機状態を初期待機状態に変更させる必要が生じる。そうすると、監視手段の構成が複雑化してしまう。これに対して、本手段における構成によれば、上記のような監視手段の構成の複雑化を招くことなく、上記優れた効果を得ることができる。
【００３６】
手段１０．手段９において、前記外部電源からの電力供給が遮断される場合に、その場合の前記監視手段の待機状態を前記記憶手段に記憶させる電断時用記憶実行手段（ＣＰＵ３１１における電断時更新処理を行う機能）をさらに備えていることを特徴とする遊技機。
【００３７】
手段１０によれば、外部電源からの電力供給が遮断される場合には、その場合の待機状態を記憶手段に記憶させる処理が実行される。これにより、電力供給が遮断された場合における待機状態を記憶手段に確実に記憶させることができる。
【００３８】
手段１１．手段９又は１０において、前記外部電源からの電力供給が行われている状況で、少なくとも前記監視手段の待機状態が変更された場合に、その変更された待機状態に前記記憶手段の記憶内容を更新する更新手段（ＣＰＵ３１１における通常時更新処理を行う機能）をさらに備えていることを特徴とする遊技機。
【００３９】
手段１１によれば、監視手段の待機状態が変更されると、記憶手段の記憶内容がその変更された待機状態に更新される。遊技機において外部電源からの電力供給が遮断されるタイミングは不規則であり、監視手段がいずれの待機状態の場合に電力供給が遮断されるかは予め特定することはできない。この場合に、上記のように待機状態が変更された場合には記憶手段の記憶内容をその変更された待機状態に更新することで、外部電源からの電力供給がいずれのタイミングで遮断されたとしても、その遮断された場合における待機状態を記憶手段に記憶させておくことができる。
【００４０】
手段１２．手段１１において、前記監視手段から前記待機状態の情報を入力する入力手段（ＣＰＵ３１１の入力ポート）と、
当該入力手段にて入力した待機状態の情報を定期的に確認する定期確認手段（ＣＰＵ３１１における信号読み込み処理を行う機能）と、
をさらに備えており、
前記更新手段は、少なくとも前記定期確認手段により確認された待機状態が前記記憶手段に記憶されている待機状態と異なっている場合に、当該記憶手段の記憶内容を前記定期確認手段により確認された待機状態の情報に更新するものであることを特徴とする遊技機。
【００４１】
手段１２によれば、監視手段の待機状態が定期的に確認され、少なくとも確認された待機状態が記憶手段に記憶されている待機状態と異なっている場合には、記憶手段の記憶内容がその確認された待機状態に更新される。これにより、上記手段１１の作用効果を得ることができる。
【００４２】
手段１３．手段８乃至１２のいずれかにおいて、前記比較手段による比較結果が、前記記憶手段に記憶された待機状態と前記把握手段により把握された待機状態とが一致しない比較結果であった場合に、特定出力処理を実行する特定出力処理手段（ＣＰＵ３１１における報知処理を行う機能）をさらに備えていることを特徴とする遊技機。
【００４３】
手段１３によれば、電力供給が遮断された場合における待機状態と、電力供給が開始された後に把握された待機状態とが一致しなかった場合には、特定出力処理が実行される。この特定出力処理として、例えば、遊技機に設置されたランプ、スピーカ又は表示画面を有する表示装置の少なくとも１つを駆動制御して報知を行わせるようにすることで、電力供給が遮断されている状況で開閉体が不正に開放操作されていたことを遊技機自身において報知することが可能となる。また、特定出力処理として、例えば、遊技ホールの管理装置（例えば、ホールコンピュータ）に異常信号を出力することで、上記不正行為が行われていたことを、管理装置を通じて遊技ホールの管理者等に報知することが可能となる。そして、これらの場合、遊技ホールの管理者等に対して、上記不正行為に対処するよう促すことが可能となる。
【００４４】
手段１４．手段８乃至１３のいずれかにおいて、前記外部電源からの電力供給が開始された場合に予め定められた開始時用処理を実行する開始時用処理手段（ＣＰＵ３１１におけるメイン処理を行う機能）をさらに備えており、
前記開始時用処理において、前記把握手段による前記待機状態の把握、及び前記比較手段による各待機状態の比較が行われることを特徴とする遊技機。
【００４５】
手段１４によれば、外部電源からの電力供給が開始される場合には、その開始に際して、電力供給が遮断された場合における待機状態と、電力供給が開始された後に把握された待機状態との比較が行われる。これにより、電力供給が遮断されている状況において開閉体が不正に開放操作されていた場合には、電力供給の開始後に迅速に対処することが可能となる。
【００４６】
手段１５．手段８乃至１４のいずれかにおいて、前記監視手段は、閉鎖状態にある前記開閉体が開放操作されたことに基づいて前記待機状態が当該操作前の状態から変更され、開放状態にある前記開閉体が閉鎖操作されたとしても前記待機状態が変更されないものであることを特徴とする遊技機。
【００４７】
手段１５によれば、開放状態にある開閉体が閉鎖操作されたとしても待機状態が変更されないため、遊技機のメンテナンス時などといった開閉体が開放状態である状況で外部電源からの電力供給が遮断されたとしても、その後の閉鎖操作により監視手段の待機状態が記憶手段に記憶された待機状態と異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更されるため、外部電源からの電力供給が遮断された状況において、開閉体の不正な開閉操作を監視することは可能である。
【００４８】
手段１６．手段８乃至１５のいずれかにおいて、前記監視手段は、
前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体（プッシャ２６６等）と、
予め設定された複数の待機位置に段階的に移動可能に設けられ、前記移動体が前記第１位置から前記第２位置に移動したこと又は前記第２位置から前記第１位置に移動したことの少なくとも一方に機械的に連動して、一の待機位置から次の待機位置に移動する連動体（円盤２６２等）と、
前記複数段階の待機状態として複数段階の検知状態が予め設定されており、前記連動体の待機位置に応じて前記検知状態が変更される検知手段（検知装置２５８）と、
を備えていることを特徴とする遊技機。
【００４９】
手段１６によれば、監視手段が、開閉体の開閉動作に連動して第１位置と第２位置との間を移動する移動体と、当該移動体に連動して一の待機位置から次の待機位置に移動する連動体と、当該連動体の待機位置に応じて検知状態が変更される検知手段と、を備えていることにより、監視手段において外部電源からの電力供給が遮断された状況での開閉体の開閉操作の監視が可能となる。また、監視手段において遊技機の電源機能に対して独立した電源機能が必要なくなるため、遊技ホール等におけるランニングコストの増大化を抑制しつつ、上記手段８等の作用効果において説明した優れた効果を得ることができる。
【００５０】
なお、「機械的に連動」とは、電動アクチュエータが介在することなく連動することをいう。
【００５１】
手段１７．手段１６において、前記連動体は、所定の回転軸を中心として回転可能であって前記複数の待機位置として複数の回転待機位置が設定された回転体であり、
当該回転体は、前記移動体が前記第１位置から前記第２位置に移動したこと又は前記第２位置から前記第１位置に移動したことの少なくとも一方に連動して、一の回転待機位置から次の回転待機位置に回転するものであり、
前記検知手段は、前記連動体の回転待機位置に応じて前記検知状態が変更されることを特徴とする遊技機。
【００５２】
手段１７によれば、連動体が回転体として設けられていることにより、連動体を非回転体として設ける構成に比して、移動体に連動した待機位置の変更が良好に行われる。
【００５３】
手段１８．手段１７において、前記移動体は前記回転軸の軸線上を移動するものであり、
当該移動体と前記回転体との間には、それら移動体及び回転体のそれぞれと当接することで、前記移動体が前記第１位置から前記第２位置に移動すること又は前記第２位置から前記第１位置に移動することの少なくとも一方に基づいて、前記回転体を一の前記回転待機位置から次の回転待機位置に回転させる介在体（回転子２６４等）をさらに備えていることを特徴とする遊技機。
【００５４】
手段１８によれば、移動体と回転体との間に介在体が設けられていることにより、移動体の直線的な動作を回転体の回転動作に変換する場合に、その変換を良好に行うことができる。
【００５５】
手段１９．手段１８において、前記介在体は、前記移動体が前記第２位置から前記第１位置に移動する場合よりも当該第１位置から前記第２位置に移動する場合の方が前記回転体の回転量が大きくなるように形成されており、
当該回転量の設定により、前記移動体が前記第２位置から前記第１位置に移動した場合には前記検知状態に変更はなく、前記移動体が前記第１位置から前記第２位置に移動した場合に前記検知状態が変更されることを特徴とする遊技機。
【００５６】
手段１９によれば、開放状態にある開閉体が閉鎖操作されたとしても待機状態が変更されない。したがって、遊技機のメンテナンス時などといった開閉体が開放状態である状況で外部電源からの電力供給が遮断されたとしても、その後の閉鎖操作により監視手段の待機状態が記憶手段に記憶された待機状態と異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更される。したがって、外部電源からの電力供給が遮断された状況において、開閉体の不正な開放操作を監視することは可能である。
【００５７】
手段２０．手段１８又は１９において、前記監視手段はケース体（ハウジング２５６）をさらに備えており、当該ケース体に前記移動体、前記介在体及び前記回転体が設置されており、
前記ケース体は前記回転軸と同一直線上に軸線を有する筒状領域（筒状領域２７１）を備えており、
当該筒状領域の内周面には前記軸線方向に延びる溝部（ケース側カム溝２７８）が当該軸線を中心として等間隔で複数形成されており、
前記移動体及び前記介在体は移動体側突起（突起２６６ｃ）及び介在体側突起（回転子側リブ２８５）が前記溝部にガイドされて前記軸線方向に移動可能であるとともに、それら前記移動体及び前記介在体は付勢手段（第１バネ２６３）により前記第２位置に向けて付勢されており、
前記移動体における前記介在体側の端部には移動体側噛合せ部（プッシャ側カム部２９０）が形成されているとともに、前記介在体における前記移動体側の端部には前記移動体側噛合せ部と噛み合い可能な介在体側噛合せ部（回転子側カム部２８９）が形成されており、
前記移動体が前記第２位置にある場合、前記移動体側噛合せ部と前記介在体側噛合せ部とは非噛み合い状態にあり、
前記移動体が前記第１位置に移動する場合、前記介在体は、前記介在体側突起が前記溝部から外れ、前記移動体側噛合せ部と前記介在体側噛合せ部とが噛み合い状態となる位置に前記軸線方向を中心として特定方向に回転し、
その噛み合い状態で前記移動体が前記第２位置に復帰する場合、前記介在体は、前記介在体側突起が前記筒状領域の内周面における前記溝部間のリブ（ケース側リブ２７７）によりガイドされて、当該介在体側突起が前記溝部にガイドされる位置であって前記移動体側噛合せ部と前記介在体側噛合せ部とが非噛み合い状態となる位置に前記軸線方向を中心として前記特定方向に回転し、
前記回転体は、前記介在体の回転動作に連動して、一の前記回転待機位置から次の回転待機位置に回転することを特徴とする遊技機。
【００５８】
手段２０によれば、移動体の移動に連動した回転体の回転待機位置の変更が良好に行われる。
【００５９】
手段２１．手段１６乃至２０のいずれかにおいて、前記連動体は、前記各待機位置に対応させて複数の被検知部（被検知部２９８ａ）を備えており、
前記検知手段は、前記被検知部を検知する検知部（金属端子２９４）を複数備えているとともに、前記被検知部を検知している検知部の組合せにより前記検知状態が変更されるものであることを特徴とする遊技機。
【００６０】
手段２１によれば、検知手段では、連動体の被検知部を検知している検知部の組合せにより検知状態が変更される構成であるため、検知部の数を待機位置の数よりも少なくすることが可能となる。これにより、検知手段の小型化を図ることができ、それに伴って監視手段の小型化を図ることができる。
【００６１】
手段２２．手段１６乃至２１のいずれかにおいて、前記検知手段は、複数の金属端子を備えており、
それら金属端子は、前記連動体に形成された被検知部と接触することで、それら被検知部と接触している金属端子同士が前記連動体を介して電気的に導通されるものであり、
前記連動体を介して電気的に導通される前記金属端子の組合せが前記各検知状態と１対１で対応して異なるように、前記金属端子及び前記被検知部が設置されていることを特徴とする遊技機。
【００６２】
手段２２によれば、検知手段では、電気的に導通する金属端子の組合せにより検知状態が変更される構成であるため、フォトセンサなどを設ける構成に比して、構成の簡素化を図ることができる。
【００６３】
手段２３．手段１６乃至２２のいずれかにおいて、前記監視手段は、前記支持対象に設置されており、
前記移動体は、前記支持対象に対して前記開閉体が閉鎖されている場合には、前記開閉体により押圧されて又は前記開閉体と前記移動体との間に設置された押圧手段により押圧されて前記第１位置に待機し、前記支持対象に対して前記開閉体が開放された場合には、前記押圧が解除されて前記第１位置から前記第２位置に移動するものであることを特徴とする遊技機。
【００６４】
手段２３によれば、移動体は開閉体の開閉動作に連動して、第１位置と第２位置との間を移動する。
【００６５】
手段２４．手段１６乃至２２のいずれかにおいて、前記監視手段は、前記開閉体に設置されており、
前記移動体は、前記支持対象に対して前記開閉体が閉鎖されている場合には、前記支持対象により押圧されて又は前記支持対象と前記移動体との間に設置された押圧手段（押圧片３００）により押圧されて前記第１位置に待機し、前記支持対象に対して前記開閉体が開放された場合には、前記押圧が解除されて前記第１位置から前記第２位置に移動するものであることを特徴とする遊技機。
【００６６】
手段２４によれば、移動体は開閉体の開閉動作に連動して、第１位置と第２位置との間を移動する。
【００６７】
手段２５．手段８乃至２４のいずれかにおいて、前記監視手段がいずれの待機状態にあるかが、前記監視手段の外観上、識別不可となっていることを特徴とする遊技機。
【００６８】
手段２５によれば、監視手段がいずれの待機状態にあるかが、監視手段の外観上、識別不可となっているため、不正行為者などに監視手段の待機状態がいずれであるかが知られてしまうことが防止できる。
【００６９】
手段２６．手段８乃至２５のいずれかにおいて、前記監視手段はさらに、前記外部電源からの電力供給が行われている状況において、前記開閉体が前記支持対象に対して開放されていることを検知するものであることを特徴とする遊技機。
【００７０】
手段２６によれば、外部電源からの電力供給が行われている状況において開閉体が開放された場合には、それが監視手段にて検知される。つまり、監視手段は、外部電源からの電力供給が遮断されている状況及び電力供給が行われている状況のいずれにおいても、開閉体の開放を監視する機能を有することとなり、それぞれの機能を別で設ける構成に比して、遊技機の部品点数の削減が図られる。
【００７１】
手段２７．外部電源から供給される電力に基づいて動作する電気機器（可変入賞装置８３、主制御装置１６２、払出装置２２４、払出制御装置２４２等）が搭載された遊技機本体（本体枠１３）と、当該遊技機本体に対して開閉可能に支持され遊技機前面部を構成する遊技機前面体（前扉枠１４）と、を備えた遊技機において、
複数段階の待機状態が予め設定されているとともに、前記外部電源からの電力供給の少なくとも遮断中において、前記遊技機前面体が開閉操作された場合、前記待機状態が当該開閉操作前の状態から変更される監視手段（監視装置２５０）と、
前記外部電源からの電力供給が遮断された場合における前記監視手段の待機状態を記憶する記憶手段（ＲＡＭ３１３の第１検知状態格納エリア３１３ａ，第２検知状態格納エリア３１３ｂ）と、
前記監視手段の待機状態を把握する把握手段（ＣＰＵ３１１における検知状態把握処理を行う機能）と、
前記外部電源からの電力供給が開始された場合に前記記憶手段に記憶された待機状態と前記把握手段により把握された待機状態とを比較する比較手段（ＣＰＵ３１１におけるステップＳ３０８の比較処理を行う機能）と、
を備えていることを特徴とする遊技機。
【００７２】
手段２７によれば、外部電源からの供給電力に基づいて電気機器が動作することで、遊技が進行することとなる。
【００７３】
当該構成において、複数段階の待機状態を有する監視手段が設けられており、外部電源からの電力供給の遮断中に遊技機前面体が開閉操作された場合には、待機状態が当該操作前の状態から変更される。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において遊技機前面体が不正に開閉操作されていた場合には両待機状態が一致しない旨の比較結果となることで、遊技機において当該不正行為が行われたことを把握することが可能となり、当該不正行為に対処することが可能となる。
【００７４】
なお、上記手段２７の構成を手段９に対応した構成に変更してもよく、さらには上記手段２７に対して上記手段１０乃至２６のいずれかの構成を適用してもよい。この場合、上記手段２７に関わる発明は、より効果的なものとなる。但し、手段９に対応した構成に変更する場合及び手段１０乃至２６のいずれかの構成を適用する場合、「支持対象」を「遊技機本体」に代えるとともに、「開閉体」を「遊技機前面体」に代えて適用する。
【００７５】
手段２８．支持対象（外枠１１）に対して開閉可能に支持され、外部電源から供給される電力に基づいて動作する電気機器（可変入賞装置８３、主制御装置１６２、払出装置２２４、払出制御装置２４２等）が搭載された遊技機主体（遊技機主部１２）を備えた遊技機において、
複数段階の待機状態が予め設定されているとともに、前記外部電源からの電力供給の少なくとも遮断中において、前記開閉体が開閉操作された場合、前記待機状態が当該開閉操作前の状態から変更される監視手段（監視装置２５０）と、
前記外部電源からの電力供給が遮断された場合における前記監視手段の待機状態を記憶する記憶手段（ＲＡＭ３１３の第１検知状態格納エリア３１３ａ，第２検知状態格納エリア３１３ｂ）と、
前記監視手段の待機状態を把握する把握手段（ＣＰＵ３１１における検知状態把握処理を行う機能）と、
前記外部電源からの電力供給が開始された場合に前記記憶手段に記憶された待機状態と前記把握手段により把握された待機状態とを比較する比較手段（ＣＰＵ３１１におけるステップＳ３０８の比較処理を行う機能）と、
を備えていることを特徴とする遊技機。
【００７６】
手段２８によれば、外部電源からの供給電力に基づいて電気機器が動作することで、遊技が進行することとなる。
【００７７】
当該構成において、複数段階の待機状態を有する監視手段が設けられており、外部電源からの電力供給の遮断中に遊技機主体が開閉操作された場合には、待機状態が当該操作前の状態から変更される。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において遊技機主体が不正に開閉操作されていた場合には両待機状態が一致しない旨の比較結果となることで、遊技機において当該不正行為が行われたことを把握することが可能となり、当該不正行為に対処することが可能となる。
【００７８】
なお、上記手段２８の構成を手段９に対応した構成に変更してもよく、さらには上記手段２８に対して上記手段１０乃至２６のいずれかの構成を適用してもよい。この場合、上記手段２８に関わる発明は、より効果的なものとなる。但し、手段９に対応した構成に変更する場合及び手段１０乃至２６のいずれかの構成を適用する場合、「開閉体」を「遊技機主体」に代えて適用する。
【００７９】
手段２９．支持対象に対して開閉可能に支持された開閉体（遊技機主部１２、前扉枠１４等）と、当該開閉体の背面側又は後方に設けられ外部電源から供給される電力に基づいて動作する電気機器（可変入賞装置８３、主制御装置１６２、払出装置２２４、払出制御装置２４２等）と、を備えている遊技機において、
複数段階の待機状態が予め設定されているとともに、前記外部電源からの電力供給が行われている状況及び電力供給が遮断されている状況のいずれにおいても、前記開閉体が開閉操作された場合、前記待機状態が当該開閉操作前の状態から変更される監視手段（監視装置２５０）と、
前記監視手段の待機状態を記憶するとともに、自身に電力が供給されている間は記憶した情報の保持を可能とする記憶手段（ＲＡＭ３１３の第１検知状態格納エリア３１３ａ，第２検知状態格納エリア３１３ｂ）と、
前記外部電源からの電力供給が行われている状況で、少なくとも前記監視手段の待機状態が変更された場合に、その変更された待機状態に前記記憶手段の記憶内容を更新する更新手段（ＣＰＵ３１１における通常時更新処理を行う機能）と、
前記外部電源からの電力供給が停止されている状況において前記記憶手段に電力を供給する電断時用電源手段（データ記憶保持用コンデンサ３２１ｃ）と、
を備えていることを特徴とする遊技機。
【００８０】
手段２９の遊技機では、外部電源から供給された電力に基づいて電気機器が動作することで、遊技が進行することとなる。
【００８１】
当該構成において、複数段階の待機状態を有する監視手段が設けられており、外部電源からの電力供給の遮断中であっても開閉体が開閉操作された場合には、待機状態が当該操作前の状態から変更される。また、待機状態を記憶する記憶手段が設けられており、外部電源から電力供給が行われている状況において監視手段の待機状態が変更されると、記憶手段の記憶内容がその変更された待機状態に更新される。そして、電断時用電源手段から記憶手段に電力が供給されている間は、外部電源からの電力供給が遮断された状況においても記憶手段にて待機状態の情報が記憶保持される。これにより、外部電源からの電力供給が遮断された場合における待機状態を遊技機において記憶するとともに、外部電源からの電力供給が遮断された状況においてその記憶した待機状態を記憶保持することが可能となる。よって、例えば、外部電源から電力供給が開始された場合に、記憶手段に記憶された待機状態と、電力供給が開始された際の監視手段の待機状態と、を比較することで、電力供給が遮断されている状況において開閉体が不正に開閉操作されていた場合にはその事実を把握することが可能となる。
【００８２】
また、本構成においては、上記のとおり、記憶手段では外部電源から電力供給が遮断された場合の待機状態を記憶することが可能であるとともに、電力供給が遮断された状況においては電断時用電源手段から供給される電力により記憶手段にて待機状態が記憶保持される。遊技機において外部電源からの電力供給が遮断されるタイミングは不規則であり、監視手段がいずれの待機状態の場合に電力供給が遮断されるかは予め特定することはできない。この場合に、外部電源からの電力供給が遮断された場合の待機状態の一定化を図ろうとすると、例えば、監視手段の待機状態に初期待機状態を設定しておくとともに、外部電源からの電力供給が遮断された場合に監視手段の待機状態を初期待機状態に変更させる必要が生じる。そうすると、監視手段の構成が複雑化してしまう。これに対して、本手段における構成によれば、上記のような監視手段の構成の複雑化を招くことなく、上記優れた効果を得ることができる。
【００８３】
また、上記のように待機状態が変更された場合には記憶手段の記憶内容をその変更された待機状態に更新することで、外部電源からの電力供給がいずれのタイミングで遮断されたとしても、その遮断された場合における待機状態を記憶手段に記憶させておくことができる。
【００８４】
なお、「前記開閉体が開閉操作された場合、前記待機状態が当該開閉操作前の状態から変更される」には、「閉鎖状態にある前記開閉体が開放操作されたこと又は開放状態にある前記開閉体が閉鎖操作されたことの少なくとも一方に基づいて前記待機状態が変更されるとともに、閉鎖操作後には前記待機状態が開閉操作前の状態から変更される」構成も含まれる。
【００８５】
手段３０．手段２９において、前記監視手段から前記待機状態の情報を入力する入力手段（ＣＰＵ３１１の入力ポート）と、
当該入力手段にて入力した待機状態の情報を定期的に確認する定期確認手段（ＣＰＵ３１１における信号読み込み処理を行う機能）と、
をさらに備えており、
前記更新手段は、少なくとも前記定期確認手段により確認された待機状態が前記記憶手段に記憶されている待機状態と異なっている場合に、当該記憶手段の記憶内容を前記定期確認手段により確認された待機状態の情報に更新するものであることを特徴とする遊技機。
【００８６】
手段３０によれば、監視手段の待機状態が定期的に確認され、少なくとも確認された待機状態が記憶手段に記憶されている待機状態と異なっている場合には、記憶手段の記憶内容がその確認された待機状態に更新される。これにより、上記手段１の作用効果を得ることができる。
【００８７】
手段３１．外部電源から供給される電力に基づいて動作する電気機器（可変入賞装置８３、主制御装置１６２、払出装置２２４、払出制御装置２４２等）が搭載された遊技機本体（本体枠１３）と、当該遊技機本体に対して開閉可能に支持され遊技機前面部を構成する遊技機前面体（前扉枠１４）と、を備えた遊技機において、
複数段階の待機状態が予め設定されているとともに、前記外部電源からの電力供給が行われている状況及び電力供給が遮断されている状況のいずれにおいても、前記遊技機前面体が開閉操作された場合、前記待機状態が当該開閉操作前の状態から変更される監視手段（監視装置２５０）と、
前記監視手段の待機状態を記憶するとともに、電力が供給されている間は記憶した情報の保持を可能とする記憶手段（ＲＡＭ３１３の第１検知状態格納エリア３１３ａ，第２検知状態格納エリア３１３ｂ）と、
前記外部電源からの電力供給が行われている状況で、少なくとも前記監視手段の待機状態が変更された場合に、その変更された待機状態に前記記憶手段の記憶内容を更新する更新手段（ＣＰＵ３１１における通常時更新処理を行う機能）と、
前記外部電源からの電力供給が停止されている状況において前記記憶手段に電力を供給する電断時用電源手段（データ記憶保持用コンデンサ３２１ｃ）と、
を備えていることを特徴とする遊技機。
【００８８】
手段３１の遊技機では、外部電源から供給された電力に基づいて電気機器が動作することで、遊技が進行することとなる。
【００８９】
当該構成において、複数段階の待機状態を有する監視手段が設けられており、外部電源からの電力供給の遮断中であっても遊技機前面体が開閉操作された場合には、待機状態が当該操作前の状態から変更される。また、待機状態を記憶する記憶手段が設けられており、外部電源から電力供給が行われている状況において監視手段の待機状態が変更されると、記憶手段の記憶内容がその変更された待機状態に更新される。そして、電断時用電源手段が記憶手段に電力が供給されている間は、外部電源からの電力供給が遮断された状況においても記憶手段にて待機状態の情報が記憶保持される。これにより、外部電源からの電力供給が遮断された場合における待機状態を遊技機において記憶するとともに、外部電源からの電力供給が遮断された状況においてその記憶した待機状態を記憶保持することが可能となる。よって、例えば、外部電源から電力供給が開始された場合に、記憶手段に記憶された待機状態と、電力供給が開始された際の監視手段の待機状態と、を比較することで、電力供給が遮断されている状況において遊技機前面体が不正に開閉操作されていた場合にはその事実を把握することが可能となる。
【００９０】
また、本構成においては、上記のとおり、記憶手段では外部電源から電力供給が遮断された場合の待機状態を記憶することが可能であるとともに、電力供給が遮断された状況においては電断時用電源手段から供給される電力により記憶手段にて待機状態が記憶保持される。遊技機において外部電源からの電力供給が遮断されるタイミングは不規則であり、監視手段がいずれの待機状態の場合に電力供給が遮断されるかは予め特定することはできない。この場合に、外部電源からの電力供給が遮断された場合の待機状態の一定化を図ろうとすると、例えば、監視手段の待機状態に初期待機状態を設定しておくとともに、外部電源からの電力供給が遮断された場合の監視手段の待機状態を初期待機状態に変更させる必要が生じる。そうすると、監視手段の構成が複雑化してしまう。これに対して、本手段における構成によれば、上記のような監視手段の構成の複雑化を招くことなく、上記優れた効果を得ることができる。
【００９１】
また、上記のように待機状態が変更された場合には記憶手段の記憶内容をその変更された待機状態に更新することで、外部電源からの電力供給がいずれのタイミングで遮断されたとしても、その遮断された場合における待機状態を記憶手段に記憶させておくことができる。
【００９２】
手段３２．支持対象（外枠１１）に対して開閉可能に支持され、外部電源から供給される電力に基づいて動作する電気機器（可変入賞装置８３、主制御装置１６２、払出装置２２４、払出制御装置２４２等）が搭載された遊技機主体（遊技機主部１２）を備えた遊技機において、
複数段階の待機状態が予め設定されているとともに、前記外部電源からの電力供給が行われている状況及び電力供給が遮断されている状況のいずれにおいても、前記遊技機主体が開閉操作された場合、前記待機状態が当該開閉操作前の状態から変更される監視手段（監視装置２５０）と、
前記監視手段の待機状態を記憶するとともに、電力が供給されている間は記憶した情報の保持を可能とする記憶手段（ＲＡＭ３１３の第１検知状態格納エリア３１３ａ，第２検知状態格納エリア３１３ｂ）と、
前記外部電源からの電力供給が行われている状況で、少なくとも前記監視手段の待機状態が変更された場合に、その変更された待機状態に前記記憶手段の記憶内容を更新する更新手段（ＣＰＵ３１１における通常時更新処理を行う機能）と、
前記外部電源からの電力供給が停止されている状況において前記記憶手段に電力を供給する電断時用電源手段（データ記憶保持用コンデンサ３２１ｃ）と、
を備えていることを特徴とする遊技機。
【００９３】
手段３２の遊技機では、外部電源から供給された電力に基づいて電気機器が動作することで、遊技が進行することとなる。
【００９４】
当該構成において、複数段階の待機状態を有する監視手段が設けられており、外部電源からの電力供給の遮断中であっても遊技機主体が開閉操作された場合には、待機状態が当該操作前の状態から変更される。また、待機状態を記憶する記憶手段が設けられており、外部電源から電力供給が行われている状況において監視手段の待機状態が変更されると、記憶手段の記憶内容がその変更された待機状態に更新される。そして、電断時用電源手段が記憶手段に電力が供給されている間は、外部電源からの電力供給が遮断された状況においても記憶手段にて待機状態の情報が記憶保持される。これにより、外部電源からの電力供給が遮断された場合における待機状態を遊技機において記憶するとともに、外部電源からの電力供給が遮断された状況においてその記憶した待機状態を記憶保持することが可能となる。よって、例えば、外部電源から電力供給が開始された場合に、記憶手段に記憶された待機状態と、電力供給が開始された際の監視手段の待機状態と、を比較することで、電力供給が遮断されている状況において遊技機主体が不正に開閉操作されていた場合にはその事実を把握することが可能となる。
【００９５】
また、本構成においては、上記のとおり、記憶手段では外部電源から電力供給が遮断された場合の待機状態を記憶することが可能であるとともに、電力供給が遮断された状況においては電断時用電源手段から供給される電力により記憶手段にて待機状態が記憶保持される。遊技機において外部電源からの電力供給が遮断されるタイミングは不規則であり、監視手段がいずれの待機状態の場合に電力供給が遮断されるかは予め特定することはできない。この場合に、外部電源からの電力供給が遮断された場合の待機状態の一定化を図ろうとすると、例えば、監視手段の待機状態に初期待機状態を設定しておくとともに、外部電源からの電力供給が遮断された場合の監視手段の待機状態を初期待機状態に変更させる必要が生じる。そうすると、監視手段の構成が複雑化してしまう。これに対して、本手段における構成によれば、上記のような監視手段の構成の複雑化を招くことなく、上記優れた効果を得ることができる。
【００９６】
また、上記のように待機状態が変更された場合には記憶手段の記憶内容をその変更された待機状態に更新することで、外部電源からの電力供給がいずれのタイミングで遮断されたとしても、その遮断された場合における待機状態を記憶手段に記憶させておくことができる。
【００９７】
手段３３．遊技機本体（本体枠１３）と、
前記遊技機本体に対して開放可能に設けられた前面扉（前扉枠１４）と、
遊技を統括制御する主制御手段（主制御装置１６２）と、
外部電源と接続され、前記主制御手段に電力を供給する電源手段（メイン電源部３２１ａ）と、
前記電源手段から前記主制御手段への電力供給の実行中における前記遊技機本体に対する前記前面扉の開放が発生したか否かの判定を行うとともに、前記電力供給の停止中における前記遊技機本体に対する前記前面扉の開放が発生したか否かの判定を該電力供給の復帰後に行う開放判定手段（ＣＰＵ５０１）と
を備えたことを特徴とする遊技機。
【００９８】
手段３３によれば、遊技機本体に対する前面扉の開放が可能となっており、外部電源と接続されている電源手段からは主制御手段への電力供給が可能となっている。開放判定手段により、主制御手段への電力供給の実行中における前面扉の開放が発生したか否かの判定が行われるため、外部電源から遊技機に電力が供給されている状態において前面扉が開放された場合にその開放を発見することが可能となる。また、開放判定手段により、主制御手段への電力供給の停止中における前面扉の開放が発生したか否かの判定が行われるため、外部電源から遊技機に電力が供給されていない状態において前面扉が開放された場合であってもその開放を発見することが可能となる。故に、遊技機への電力供給の有無にかかわらず、扉等の開閉体の開放を発見することができる。
【００９９】
手段３４．手段３３において、少なくとも前記電源手段から前記主制御手段への電力供給が停止している場合に、前記遊技機本体に対して前記前面扉が閉鎖されることで導通され、開放されることで遮断される第１経路（バックアップ経路５６７）と、
導通及び遮断されることが可能であり、少なくとも前記電源手段から前記主制御手段に電力が供給されている場合に、前記遊技機本体に対して前記前面扉が閉鎖されることで前記導通及び遮断のうち一方が行われ、開放されることで他方が行われる第２経路（接点用経路５７１）と
を備え、
前記開放判定手段は、
前記電源手段から前記主制御手段への電力供給の停止中における前記第１経路の遮断が発生したか否かの判定を該電力供給の復帰後に行う第１判定手段（主制御装置１６２のメイン処理におけるＳ９０４，Ｓ９０６）と、
前記電源手段から前記主制御手段への電力供給の実行中における前記第２経路の遮断が発生したか否かの判定を該電力供給の実行中に行う第２判定手段（主制御装置１６２のタイマ割込み処理におけるＳ８０２）とを有することを特徴とする遊技機。
【０１００】
手段３４によれば、第１経路は、少なくとも電源手段から主制御手段への電力供給が停止している場合に、遊技機本体に対して前面扉が閉鎖されることで導通され、開放されることで遮断される。そして、第１判定手段により、主制御手段への電力供給の停止中における第１経路の遮断が行われたか否かの判定がその電力供給の復帰後に行われる。これにより、外部電源から遊技機への電力供給が停止している場合における前面扉の開放を発見することが可能となる。
【０１０１】
一方、第２経路では、少なくとも電源手段から主制御手段に電力が供給されている場合、遊技機本体に対して前面扉が閉鎖されることで導通及び遮断のうち一方が行われ、開放されることで他方が行われる。そして、第２判定手段により、主制御手段への電力供給の実行中における第２経路の遮断が行われたか否かの判定がその電力供給の実行中に行われる。これにより、外部電源から遊技機に電力が供給されている場合における前面扉の開放の有無を判定することが可能となり、ひいては前面扉の開放を発見することが可能となる。
【０１０２】
手段３５．手段３４において、前記主制御手段に設けられるとともに前記電源手段から電力が供給され、遊技に関わる遊技情報を記憶する情報記憶手段（ＲＡＭ５０３）と、
前記電源手段から前記情報記憶手段への電力供給が停止している場合に前記情報記憶手段に電力を供給する補助電源部（バックアップ電源部５５１，６１０）と
を備え、
前記情報記憶手段を、前記電源手段又は前記補助電源部から電力供給が行われている間は、前記情報記憶手段に記憶されている遊技情報を記憶保持し、前記電源手段及び前記補助電源部からの電力供給が共に停止した場合に、当該情報記憶手段に記憶されている遊技情報に異常が発生する構成とした遊技機において、
前記第１経路は、前記補助電源部と前記情報記憶手段とを電気的に接続し、
前記第１判定手段は、前記情報記憶手段に記憶されている遊技情報に異常が発生しているか否かを判定することを特徴とする遊技機。
【０１０３】
手段３５によれば、情報記憶手段には、電源手段から電力が供給され、電源手段からの電力供給が停止している場合には補助電源部から電力が供給される。情報記憶手段には遊技に関わる遊技情報が記憶されており、電源手段又は補助電源部から情報記憶手段に電力供給が行われている間は情報記憶手段にて遊技情報の記憶が保持される。一方、電源手段及び補助電源部から情報記憶手段への電力供給が共に停止した場合はその遊技情報に異常が発生する。
【０１０４】
補助電源部と情報記憶手段とは第１経路により電気的に接続されているため、電源手段から情報記憶手段への電力供給が停止している場合に前面扉が開放されると、第１経路が遮断されて情報記憶手段への電力供給が停止し、情報記憶手段に記憶されている遊技情報に異常が発生する。この場合、遊技機への電力供給が停止して主制御手段が駆動していない状態であるにも関わらず、前面扉が開放された履歴を情報記憶手段に残すこととなる。そして、遊技情報に異常が発生しているか否かの判定が第１判定手段により行われるため、遊技機への電力供給が停止された状態において前面扉等の開閉体が開放された場合であっても、その開放があったことを発見することができる。
【０１０５】
なお、情報記憶手段を揮発性記憶手段により構成すると、電源手段及び補助電源部から情報記憶手段への電力供給が共に停止した場合に、情報記憶手段に記憶されている遊技情報に発生する異常として、遊技情報の少なくとも一部の消失するといった異常が挙げられる。
【０１０６】
手段３６．手段３５において、前記遊技機本体に対して前記前面扉が開放された場合に第１状態となり、前記遊技機本体に対して前記前面扉が閉鎖された場合に第２状態となるスイッチ手段（本体枠開放スイッチ４９２、前扉枠開放スイッチ４９１）を備え、
前記第１経路及び第２経路は、前記スイッチ手段が第１状態にある場合に遮断され、前記スイッチ手段が第２状態にある場合に導通されることを特徴とする遊技機。
【０１０７】
手段３６によれば、遊技機本体に対して前面扉が開放されている場合はスイッチ手段が第１状態となり、スイッチ手段が第１状態にある場合に第１経路は遮断される。このため、電源手段から情報記憶手段への電力供給が停止されている状態で前面扉が開放された場合、補助電源部から情報記憶手段への電力供給を停止させることができる。一方、遊技機本体に対して前面扉が閉鎖されている場合はスイッチ手段が第２状態となり、第１経路により補助電源部と情報記憶手段とが電気的に接続される。このため、電源手段から情報記憶手段への電力供給が停止されている状態でも、前面扉が閉鎖されていれば補助電源部から情報記憶手段に電力を供給することができる。
【０１０８】
また、第２経路は、スイッチ手段が第１状態にある場合に第１経路とともに遮断され、スイッチ手段が第２状態にある場合に第１経路とともに導通される。すなわち、第２経路は、遊技機本体に対して前面扉が開放されている場合に遮断され、遊技機本体に対して前面扉が閉鎖されている場合に導通される。したがって、遊技機に電力が供給されている場合は、前面扉が開放されたことを発見しつつ、その前面扉が閉鎖されたことも発見することが可能となる。
【０１０９】
手段３７．手段３６において、前記スイッチ手段は、
電気的な遮断状態又は導通状態に切り替え可能であり、前記遮断状態にある場合に前記第１経路を遮断し、前記導通状態にある場合に前記第１経路を導通させる第１切替手段（本体枠第１接点４９２ａ、前扉枠第１接点４９１ａ）と、
電気的な遮断状態又は導通状態に切り替え可能であり、前記遮断状態にある場合に前記第２経路を遮断し、前記導通状態にある場合に前記第２経路を導通させる第２切替手段（本体枠第２接点４９２ｂ、前扉枠第２接点４９１ｂ）と
を備え、
前記第１切替手段と前記第２切替手段とは、機械的に連動して前記遮断状態又は前記導通状態に切り替えられることを特徴とする遊技機。
【０１１０】
手段３７によれば、第１経路は、第１切替手段が遮断状態に切り替えられると遮断され第１切替手段が導通状態に切り替えられると導通される。一方、第２経路は、第２切替手段が遮断状態に切り替えられると遮断され、第２切替手段が導通状態に切り替えられると導通される。また、第１切替手段と第２切替手段とは、機械的に連動して遮断状態又は導通状態に切り替えられる。したがって、遊技機への電力供給の有無にかかわらず、第１経路及び第２経路を共に遮断させたり導通させたりすることが可能となる。
【０１１１】
手段３８．手段３７において、前記第２切替手段は、前記第２経路の両端に対して電気的に直列に接続されるようにして該第２経路に設けられていることを特徴とする遊技機。
【０１１２】
手段３８によれば、第２切替手段は、第２経路の両端に対して電気的に直列に接続されるようにしてその第２経路に設けられている。すなわち、第２切替手段は第２経路上に設けられている。したがって、第２切替手段により、第２経路を遮断させたり導通させたりすることができる。
【０１１３】
手段３９．手段３７又は３８において、前記第１切替手段は、前記第１経路における前記補助電源部と前記情報記憶手段との間に設けられていることを特徴とする遊技機。
【０１１４】
手段３９によれば、第１切替手段は、第１経路における補助電源部と情報記憶手段との間に設けられている。したがって、第１切替手段により、補助電源部と情報記憶手段とを電気的に遮断させたり導通させたりすることが可能となる。故に、遊技機本体に対して前面扉が閉鎖されている場合は、補助電源部から情報記憶手段に第１切替手段を介して電力を供給することが可能となり、遊技機本体に対して前面扉が開放されている場合は、補助電源部から情報記憶手段への電力供給を第１切替手段により停止させることが可能となる。
【０１１５】
手段４０．手段３７又は３８において、前記第１経路における前記補助電源部と前記情報記憶手段との間に設けられ、前記スイッチ手段が第１状態にある場合に電気的に遮断状態となり、該スイッチ手段が第２状態にある場合に電気的に導通状態となるスイッチ用遮断手段（スイッチ切替回路６３０）を備えたことを特徴とする遊技機。
【０１１６】
手段４０によれば、スイッチ用遮断手段は第１経路における補助電源部と情報記憶手段との間に設けられている。ここで、スイッチ用遮断手段は、スイッチ手段が第１状態にある場合に電気的に遮断状態となり、スイッチ手段が第２状態にある場合に電気的に導通状態となる。したがって、遊技機本体に対して前面扉が閉鎖されている場合は、補助電源部から情報記憶手段にスイッチ用遮断手段を介して電力を供給することが可能となり、遊技機本体に対して前面扉が開放されている場合は、補助電源部から情報記憶手段への電力供給をスイッチ用遮断手段により停止させることが可能となる。
【０１１７】
また、本構成では、遊技機本体に対して前面扉が閉鎖されている場合、スイッチ手段を介さずに補助電源部から情報記憶手段に電力を供給することが可能となる。このため、スイッチ手段は、前面扉の開放状態を検出する検出手段としての役割を果たすだけでよく、スイッチ手段に流れる電流を情報記憶手段に供給される電流に比べて極力小さいものとすることが可能となる。故に、スイッチ手段の経年劣化の進行を抑制することが可能となり、さらにはスイッチ手段を安価に構成することが可能となる。
【０１１８】
手段４１．手段３７乃至４０のいずれかにおいて、前記スイッチ手段と前記情報記憶手段との間にて前記第１経路に電気的に接続されることで該第１経路を接地させる接地手段（放電回路５６８）を備えたことを特徴とする遊技機。
【０１１９】
手段４１によれば、第１経路は、スイッチ手段と情報記憶手段との間にて接地手段により接地されている。補助電源部から情報記憶手段への電力供給は、第１経路を電荷が移動して電流が流れることで行われる。補助電源部から情報記憶手段への電力供給が停止された場合、すなわちスイッチ手段が第１状態となった場合、その時点では第１経路に残留電荷が存在していると考えられる。この場合、残留電荷が移動することで電流が情報記憶手段に流れ込むと、スイッチ手段が第１状態となったにも関わらず残留電荷分の電力が情報記憶手段に供給され続けることとなる。したがって、遊技機本体に対して前面扉が短時間だけ開放され再び閉鎖された場合、前面扉が開放されたにも関わらず、情報記憶手段への電力供給が停止されずに継続して行われるおそれがある。
【０１２０】
これに対して本構成では、第１経路が接地手段により接地されており、第１経路に電圧が印加されていない場合、残留電荷は電位が低い方へ移動するため、残留電荷は接地手段を介して第１経路からグランド（接地箇所）に放出されることとなる。したがって、スイッチ手段が第１状態となった場合、情報記憶手段への電力供給が速やかに停止されることとなる。これにより、遊技機本体に対する前面扉の開放期間が短期間であっても、情報記憶手段への電力供給をより好適に停止することが可能となり、前面扉が開放された履歴を確実に残すことができる。
【０１２１】
手段４２．手段４１において、前記接地手段を、前記第１経路が抵抗（放電抵抗５６９）を介して接地される構成としたことを特徴とする遊技機。
【０１２２】
手段４２によれば、第１経路は、接地手段により抵抗を介して接地されている。このため、補助電源部から情報記憶手段に第１経路を介して電力が供給されている場合には、グランドへの電流の流れ込みを抵抗により規制することができる。これにより、第１経路に接地手段が電気的に接続されている構成であっても、補助電源部から情報記憶手段への電力供給の効率低下を抑制することができる。
【０１２３】
手段４３．手段３３乃至４２のいずれかにおいて、前記電源手段から供給される電力を受ける受電部（接点用端子５２３）を備え、
前記第２経路は、前記電源手段と前記受電部とを電気的に接続し、
前記第２判定手段は、前記受電部に電力が供給されているか否かを判定することを特徴とする遊技機。
【０１２４】
手段４３によれば、第２経路により電源手段と受電部とが電気的に接続されているため、第２経路が導通されている場合は電源手段から受電部に対する電力供給が可能となり、第２経路が遮断されている場合は電源手段からの受電部に対する電力供給が停止する。したがって、第２判定手段により、受電部に電力が供給されているか否かの判定を行うことで、第２経路が遮断されているか否かの判定を行うことができる。
【０１２５】
手段４４．手段４３において、前記第２判定手段は、前記受電部に印加される電圧が、あらかじめ定めた特定値以上であるか否かを判定することを特徴とする遊技機。
【０１２６】
手段４４によれば、第２判定手段により、受電部に印加される電圧が、あらかじめ定めた特定値以上であるか否かの判定が行われる。これにより、電源手段から受電部に対して電力が供給されているか否かを判定することができる。
【０１２７】
手段４５．手段４３又は４４において、前記情報記憶手段は、前記受電部と電気的に並列に接続されていることを特徴とする遊技機。
【０１２８】
手段４５によれば、情報記憶手段は受電部と電気的に並列に接続されているため、第２経路が遮断されて電源手段から受電部に対する電力供給が停止した場合でも、電源手段から情報記憶手段に対して電力を継続して供給することが可能となる。これにより、電源手段から情報記憶手段に電力が供給されている場合に遊技機本体に対する前面扉の開放に伴って情報記憶手段の遊技情報に異常が発生するといった不都合の発生を抑制しつつ、その前面扉の開放を発見することが可能となる。
【０１２９】
手段４６．手段４３乃至４５のいずれかにおいて、前記受電部は前記主制御手段に設けられていることを特徴とする遊技機。
【０１３０】
手段４６によれば、情報記憶手段が設けられている主制御手段に、さらに受電部が設けられているため、電源手段から情報記憶手段及び受電部に電力が供給される構成を、単に電源手段と主制御手段とが電気的に接続されているといった簡易な構成により実現することが可能となる。
【０１３１】
手段４７．手段４６において、前記補助電源部から前記受電部への電力供給を規制する受電部用規制手段（ＶＢＢ用ダイオード５６６）を備えたことを特徴とする遊技機。
【０１３２】
手段４７によれば、情報記憶手段と受電部との間に設けられている受電部用規制手段により、補助電源部から受電部への情報記憶手段を介した電力供給が規制される。これにより、電源手段から受電部への電力供給が停止されているにもかかわらず受電部を介して補助電源部から主制御手段の他の部位に電力が供給されるといった不都合の発生を抑制することができる。
【０１３３】
手段４８．手段４７において、前記受電部用規制手段は、前記情報記憶手段と前記受電部との間に設けられていることを特徴とする遊技機。
【０１３４】
手段４８によれば、受電部用規制手段は、情報記憶手段と受電部との間に設けられている。ここで、電源手段は、情報記憶手段への電力供給が可能となっているため、その情報記憶手段を介して補助電源部と電気的に接続されていることになる。また、電源手段は受電部と電気的に接続されている。すなわち補助電源部は情報記憶手段及び電源部を介して受電部と電気的に接続されていることになる。これに対して、本構成のように情報記憶手段と受電部との間に受電部用規制手段が設けられていると、電源手段から主制御手段や情報記憶手段への電力供給が停止している場合に受電部を介して補助電源部から主制御手段の他の部位に電力が供給されるといった不都合の発生を抑制しつつ、補助電源部から電源手段に電力が逆流するといった不都合の発生を抑制することができる。
【０１３５】
手段４９．手段３３乃至４８のいずれかにおいて、前記補助電源部は、前記電源手段から電力が供給されることで充電が行われるとともに、放電することで前記情報記憶手段に電力を供給する充放電部（バックアップ用コンデンサ５５３）を備えていることを特徴とする遊技機。
【０１３６】
手段４９によれば、充放電部は、電源手段から電力が供給されることで充電が行われ、放電が行われることで情報記憶手段に電力が供給される。このため、電源手段からの電力供給が停止された場合、すなわち遊技機への電力供給が停止された場合に、充放電部から情報記憶手段に電力を供給することが可能となる。また、充放電部は、放電した状態となっても電源手段により再び充電されるため、放電後に別の充放電部と取り替える必要がない。したがって、遊技機に対するメンテナンス作業における負担増加を抑制することができるとともに、メンテナンス費の増加を抑制することができる。
【０１３７】
手段５０．手段３３乃至４９のいずれかにおいて、前記補助電源部に設けられるとともに、前記電源手段と前記充放電部との間に設けられ、前記充放電部から前記電源手段への電力供給を規制する電源用規制手段（ロジック用ダイオード５５４）を備えたことを特徴とする遊技機。
【０１３８】
手段５０によれば、電源用規制手段により、充放電部から電源手段への電力供給が規制される。したがって、遊技機への電力供給が停止されて電源手段からの電力供給が停止されている場合に、補助電源部から電源手段に電力が供給されることで電源手段を介して遊技機の他の部位に電力が供給されるといった不都合の発生を抑制することができる。
【０１３９】
手段５１．手段３３乃至５０のいずれかにおいて、前記主制御手段は、前記情報記憶手段に電気的に接続された記憶端子（ＶＢＢ端子５２２）を備え、
前記補助電源部を前記記憶端子に電気的に接続する構成としたことを特徴とする遊技機。
【０１４０】
手段５１によれば、補助電源部は記憶端子を介して情報記憶手段と電気的に接続されている。このため、情報記憶手段が主制御手段に設けられていても、補助電源部を情報記憶手段にだけ接続することが可能となる。これにより、補助電源部から供給する電力を、情報記憶手段にて消費する電力だけとすることが可能となる。故に、補助電源部の電力容量を極力小さくすることが可能となるとともに、補助電源部の小型化やコスト低減を実現することが可能となる。
【０１４１】
手段５２．手段３３乃至５１のいずれかにおいて、前記情報記憶手段に対して、前記補助電源部と前記電源手段とを電気的に並列に接続したことを特徴とする遊技機。
【０１４２】
手段５２によれば、補助電源部と電源手段とは情報記憶手段に対して電気的に並列に接続されている。このため、電源手段から情報記憶手段への電力供給が停止した場合でも、補助電源部から情報記憶手段に速やかに電力を供給することが可能となる。さらに、電源手段による印加電圧と補助電源部による印加電圧とが同一の大きさであれば、仮に電源手段及び補助電源部の両者から電力が供給されても、情報記憶手段に印加される電圧が、それらのうち一方から電力が供給された場合の電圧と同等の大きさとなる。これにより、情報記憶手段に印加される電圧が過電圧となるといった不都合の発生を抑制することができる。
【０１４３】
手段５３．手段３３乃至５２のいずれかにおいて、前記第１経路における前記補助電源部と前記情報記憶手段との間に設けられ、前記電源手段からの電力供給が行われている場合に電気的に遮断状態となり、前記電源手段からの電力供給が停止されて場合に電気的に導通状態となる電源用遮断手段（電源切替回路６２０）を備えたことを特徴とする遊技機。
【０１４４】
手段５３によれば、電源用遮断手段は第１経路における補助電源部と情報記憶手段との間に設けられている。ここで、電源用遮断手段は、電源手段からの電力供給が行われている場合に電気的に遮断状態となり、電源手段からの電力供給が停止された場合に電気的に導通状態となる。したがって、遊技機への電力供給が行われている場合には、電源手段だけから情報記憶手段に電力を供給することが可能となる。
【０１４５】
例えば、電源手段及び補助電源部のいずれからも情報記憶手段に電力が供給されている場合、遊技機本体に対して前面扉が開閉されると補助電源部から情報記憶手段への電力が供給及び停止されることとなる。これにより、情報記憶手段に供給される電力にノイズが混入するなどして、その電力が不安定になるおそれがある。これに対して、本構成では、遊技機本体に対して前面扉が開放された場合に補助電源部から情報記憶手段への電力供給を停止しつつ、電源手段から情報記憶手段に供給される電力が不安定になるといった不都合の発生を抑制することができる。
【０１４６】
手段５４．手段３３乃至５３のいずれかにおいて、前記電源手段から前記主制御手段への電力供給が停止される場合に前記遊技情報として電力停止情報（停電フラグ）を前記情報記憶手段に記憶させる情報記憶実行手段（ＮＭＩ割込み処理におけるステップＳ１０１）を備え、
前記第１判定手段は、前記電源手段から前記主制御手段への電力供給が開始された場合に、前記電力停止情報に異常が発生しているか否かを判定することを特徴とする遊技機。
【０１４７】
手段５４によれば、電源手段から主制御手段への電力供給が停止されると、情報記憶実行手段により電力停止情報が遊技情報として情報記憶手段に記憶される。そして、電源手段から主制御手段への電力供給が開始されると、電力停止情報に異常が発生しているか否かの判定が第１判定手段により行われる。したがって、遊技機への電力供給が停止された状態で遊技機本体に対して前面扉が開放されると、遊技情報としての電力停止情報に異常が発生することとなる。この場合、第１判定手段により、電力停止情報に異常が発生していると判定されることで、遊技機本体に対して前面扉が開放された履歴を発見することができる。
【０１４８】
手段５５．手段３３乃至５４のいずれかにおいて、前記電源手段から前記主制御手段への電力供給が停止される場合に前記遊技情報として特定の判定値（ＲＡＭ判定値）を前記情報記憶手段に記憶させる判定値記憶実行手段（主制御装置１６２のメイン処理におけるステップＳ９０５）を備え、
前記第１判定手段は、前記電源手段から前記主制御手段への電力供給が開始された場合に、前記判定値に異常が発生しているか否かを判定することを特徴とする遊技機。
【０１４９】
手段５５によれば、電源手段から主制御手段への電力供給が停止されると、判定値記憶実行手段により特定の判定値が遊技情報として情報記憶手段に記憶される。そして、電源手段から主制御手段への電力供給が開始されると、その判定値に異常が発生しているか否かの判定が第１判定手段により行われる。したがって、遊技機への電力供給が停止された状態で遊技機本体に対して前面扉が開放されると、遊技情報としての判定値に異常が発生することとなる。この場合、第１判定手段により、特定の判定値に異常が発生していると判定されることで、遊技機本体に対して前面扉が開放された履歴を発見することができる。
【０１５０】
手段５６．手段３３乃至５５のいずれかにおいて、前記遊技情報に異常が発生していると前記第１判定手段により判定された場合に報知音を出力する可聴音出力手段（スピーカ部２６）を備えたことを特徴とする遊技機。
【０１５１】
手段５６によれば、遊技情報に異常が発生していると第１判定手段により判定された場合、可聴音出力手段から報知音が出力される。このため、遊技機への電力供給が停止された状態で遊技機本体に対して前面扉が開放された場合であっても、その開放があったことをホール管理者などに察知させることが可能となる。
【０１５２】
手段５７．手段３３乃至５６のいずれかにおいて、前記遊技情報に異常が発生していると前記第１判定手段により判定された場合に点灯するランプ部（エラー表示ランプ部２４）を備えたことを特徴とする遊技機。
【０１５３】
手段５７によれば、遊技情報に異常が発生していると第１判定手段により判定された場合、ランプ部が点灯する。このため、遊技機への電力供給が停止された状態で遊技機本体に対して前面扉が開放された場合であっても、その開放があったことをホール管理者などに察知させることが可能となる。
【０１５４】
手段５８．手段３３乃至５７のいずれかにおいて、前記遊技情報に異常が発生していると前記第１判定手段により判定された場合に外部出力部（枠用外部端子板４９５）を介して特定信号を外部機器（ホールコンピュータ５０８）に出力する構成とした遊技機であって、
前記外部出力部に設けられ、前記外部機器側から前記主制御手段への信号の入力を規制する入力規制手段（フォトカプラ５０７）を備えたことを特徴とする遊技機。
【０１５５】
手段５８によれば、遊技情報に異常が発生していると第１判定手段により判定された場合、外部機器に対して特定信号が外部出力部を介して出力される、このため、遊技機への電力供給が停止された状態で遊技機本体に対して前面扉が開放された場合であっても、その開放があったことを、遊技機への電力供給が行われた後に外部機器に記憶させることが可能となる。すなわち、遊技機本体に対して前面扉の開放された履歴を外部機器にて保管することが可能となる。
【０１５６】
また、外部出力部に設けられた入力規制手段により、外部機器側から主制御手段への信号の入力が規制される。このため、仮に、外部機器側から主制御手段に対して不正信号が出力されても、主制御手段が不正に制御されるといった不都合の発生を抑制することができる。
【０１５７】
手段５９．手段３３乃至５８のいずれかにおいて、前記遊技機本体を、取付対象（外枠１１）から遊技機前方への開放が可能な構成とするとともに、
前記第１経路は、前記取付対象に対して前記遊技機本体が閉鎖されている場合に前記補助電源部と前記情報記憶手段とを電気的に接続し、前記取付対象に対して前記遊技機本体が開放された場合に前記補助電源部と前記情報記憶手段とを電気的に遮断するものであることを特徴とする遊技機。
【０１５８】
手段５９によれば、取付対象に対して遊技機本体が閉鎖されている場合に補助電源部と情報記憶手段とが第１経路により電気的に接続され、取付対象に対して遊技機本体が開放された場合に補助電源部と情報記憶手段とが電気的に遮断される。このため、遊技機への電力供給が停止された状態において取付対象に対して遊技機本体が開放された場合であっても、その開放があったことを発見することができる。
【０１５９】
手段６０．手段５９において、前記主制御手段を前記遊技機本体の背面に備えたことを特徴とする遊技機。
【０１６０】
手段６０によれば、主制御手段が遊技機本体の背面に備えられている。このため、例えば不正行為者が主制御手段に対して不正を行おうとした場合、取付対象に対して遊技機本体を開放させて遊技機本体の背面を露出させる必要がある。これに対して、遊技機への電力供給が停止された状態において取付対象に対して遊技機本体が開放された場合であっても、その開放があったことを発見することができる。このため、主制御手段に対して不正が行われた場合、ホール管理者などにその不正を発見させ易くしたり不正が行われたことを察知させたりすることが可能となる。
【０１６１】
手段６１．取付対象（外枠１１、本体枠１３）に対して開閉可能に取り付けられた開閉体（外枠１１に対する本体枠１３、本体枠１３に対する前扉枠１４）と、
遊技を統括制御する主制御手段（主制御装置１６２）と、
前記主制御手段に設けられ、遊技に関わる遊技情報を記憶する情報記憶手段（ＲＡＭ５０３）と、
外部電源と接続され、前記主制御手段に電力を供給する電源手段（メイン電源部３２１ａ）と、
前記遊技機本体に対する前記前面扉の開放が前記電源手段から前記主制御手段への電力供給中に行われたか否かの判定を行うとともに、前記遊技機本体に対する前記前面扉の開放が前記電源手段から前記主制御手段への電力供給停止中に行われたか否かの判定を前記電源手段から前記主制御手段への電力供給復帰後に行う開放判定手段（ＣＰＵ５０１）とを備えたことを特徴とする遊技機。
【０１６２】
手段６１によれば、外部電源と接続されている電源手段からは主制御手段への電力供給が可能となっている。開放判定手段により、取付対象に対する開閉体の開放が電源手段から主制御手段への電力供給中に行われたか否かの判定が行われるため、外部電源から遊技機に電力が供給されている状態において開閉体が開放された場合にその開放を発見することが可能となる。また、開放判定手段により、取付対象に対する開閉体の開放が電源手段から主制御手段への電力供給停止中に行われたか否かの判定が主制御手段への電力供給復帰後に行われるため、外部電源から遊技機に電力が供給されていない状態において開閉体が開放された場合であってもその開放を発見することが可能となる。故に、遊技機への電力供給の有無にかかわらず、扉等の開閉体の開放を発見することができる。
【０１６３】
なお、本構成に対して上記手段３４乃至６０のいずれかを適用することで、各手段における効果を享受することができる。この場合、遊技機本体を取付対象に代えて適用するとともに、前面扉を開閉体に代えて適用する。
【０１６４】
手段６２．手段３３乃至手段６１のいずれかにおいて、遊技機前方から視認可能な状態で前記遊技機本体の前面部に設けられ、遊技球が流下する遊技領域（遊技盤８１）と、
前記遊技領域を流下する遊技球が入球可能な入球部（一般入賞口８２、可変入賞装置８３、作動口８４）と、
を備え、
前記入球部に遊技球が入球した場合に遊技者に特典が付与される構成とした遊技機において、
前記遊技機本体に対して前記前面扉が閉鎖されている場合に前記遊技領域が非露出状態となる構成としたことを特徴とする遊技機。
【０１６５】
手段６２によれば、遊技機本体に対して前面扉が閉鎖されている場合、遊技領域が非露出状態となっている。このため、例えば不正行為者が、入球部に遊技球が入球しやすいように遊技領域に不正を行おうとした場合、遊技機本体に対して前面扉を開放させて遊技領域を露出させる必要がある。これに対して、遊技機への電力供給が停止された状態において遊技機本体に対して前面扉が開放された場合であっても、その開放があったことを発見することができる。このため、遊技領域に対して不正が行われた場合、ホール管理者などにその不正を発見させ易くしたり不正が行われたことを察知させたりすることが可能となる。
【０１６６】
また、かかる構成では、いわゆるパチンコ機に対して上記手段３３乃至手段６１のいずれかの効果を享受することができる。
【０１６７】
手段６３．手段３３乃至手段６２のいずれかにおいて、遊技機前方から視認可能な位置に設けられ、複数種の絵柄が変動表示される複数の絵柄表示領域と、遊技機前面部にて遊技球を貯留する貯留部と、該貯留部に貯留された遊技球を取り込む取込装置と、該取込装置による遊技媒体の取り込みを開始させるべく操作される取込開始操作手段と、各絵柄表示領域における絵柄の変動表示を開始させるべく操作される始動操作手段と、該各絵柄表示領域における絵柄の変動表示を停止させるべく操作される複数の停止操作手段とを備え、
前記取込装置により所定数の遊技球が取り込まれ、さらに前記始動操作手段が操作された場合に、各絵柄表示領域における絵柄の変動表示を開始させ、絵柄の変動表示の停止後に各絵柄表示領域に表示されている絵柄により所定絵柄又は所定絵柄の組み合わせが成立していた場合には遊技者に特典が付与される構成としたことを特徴とする遊技機。
【０１６８】
手段６３によれば、パチンコ機とスロットマシンとが融合した遊技機に対して上記手段３３乃至手段６１のいずれかの効果を享受することができる。
【０１６９】
手段６４．手段３３乃至手段６１のいずれかにおいて、遊技機前方から視認可能な位置に設けられ、複数種の絵柄が変動表示される複数の絵柄表示領域と、各絵柄表示領域における絵柄の変動表示を開始させるべく操作される始動操作手段と、該各絵柄表示領域における絵柄の変動表示を停止させるべく操作される複数の停止操作手段とを備え、
遊技メダルの受入完了状態で前記始動操作手段が操作された場合に各絵柄表示領域における絵柄の変動表示を開始させ、絵柄の変動表示の停止後に、各絵柄表示領域に表示されている絵柄により所定絵柄又は所定絵柄の組み合わせが成立していた場合には遊技者に特典が付与される構成としたことを特徴とする遊技機。
【０１７０】
手段６４によれば、いわゆるスロットマシンに対して上記手段３３乃至手段６１のいずれかの効果を享受することができる。
【０１７１】
手段６５．遊技機本体（本体枠１３）と、
前記遊技機本体に対して開放可能に設けられた前面扉（前扉枠１４）と、
遊技を統括制御する主制御装置（主制御装置１６２）と、
前記主制御装置に設けられ、遊技に関わる遊技情報を記憶する情報記憶手段（ＲＡＭ５０３）と、
前記情報記憶手段に記憶されている遊技情報に異常が発生しているか否かを判定する異常判定手段（主制御装置１６２のメイン処理におけるＳ９０４，Ｓ９０６）と、
外部電源と接続され、前記主制御装置に電力を供給するとともに前記情報記憶手段に電力を供給する電源装置（メイン電源部３２１ａ）と、
前記電源装置から前記情報記憶手段への電力供給が停止している場合に前記情報記憶手段に電力を供給するバックアップ電源部（バックアップ電源部５５１，６１０）と
を備え、
前記情報記憶手段を、前記電源装置又は前記バックアップ電源部から電力供給が行われている間は、前記情報記憶手段に記憶されている遊技情報を記憶保持し、前記電源装置及び前記バックアップ電源部からの電力供給が共に停止した場合に、当該情報記憶手段に記憶されている遊技情報に異常が発生する構成とした遊技機において、
前記遊技機本体に対して前記前面扉が閉鎖されている場合に前記バックアップ電源部と前記情報記憶手段とを電気的に接続し、前記遊技機本体に対して前記前面扉が開放された場合に前記バックアップ電源部と前記情報記憶手段とを電気的に遮断するバックアップ経路（バックアップ経路５６７）を備えたことを特徴とする遊技機。
【０１７２】
手段６５によれば、電源装置からは、主制御装置に電力が供給されるとともに情報記憶手段に電力が供給される。そして、電源装置から情報記憶手段への電力供給が停止している場合にはバックアップ電源部から情報記憶手段に電力が供給される。情報記憶手段には遊技に関わる遊技情報が記憶されており、電源装置又はバックアップ電源部から情報記憶手段に電力供給が行われている間は情報記憶手段にて遊技情報の記憶が保持される。一方、電源装置及びバックアップ電源部から情報記憶手段への電力供給が共に停止した場合はその遊技情報に異常が発生する。また、異常判定手段により、遊技情報に異常が発生しているか否かの判定が行われる。
【０１７３】
特に、遊技機本体に対して前面扉が閉鎖されている場合にバックアップ電源部と情報記憶手段とがバックアップ経路により電気的に接続され、遊技機本体に対して前面扉が開放された場合にバックアップ電源部と情報記憶手段とが電気的に遮断される。したがって、電源装置から情報記憶手段への電力供給が停止されている状態で前面扉が開放されると、電源装置及びバックアップ電源部から情報記憶手段への電力供給が共に停止し、情報記憶手段に記憶されている遊技情報に異常が発生する。この場合、遊技機への電力供給が停止して主制御装置が駆動していない状態であるにも関わらず、遊技機本体に対して前面扉が開放された履歴を残すこととなる。そして、異常判定手段により、遊技情報に異常が発生していると判定されることで、遊技機への電力供給が停止された状態において前面扉等の開閉体が開放された場合であっても、その開放があったことを発見することができる。
【０１７４】
なお、情報記憶手段を揮発性記憶手段により構成すると、電源装置及びバックアップ電源部から情報記憶手段への電力供給が共に停止した場合に、情報記憶手段に記憶されている遊技情報に発生する異常として、遊技情報の少なくとも一部の消失するといった異常が挙げられる。
【０１７５】
上記手段６５に対して、上記手段３４乃至６４のいずれかの構成を適用してもよい。この場合、手段６５に関わる発明をより効果的なものとすることが可能となる。
【０１７６】
以下に、以上の各手段を適用し得る各種遊技機の基本構成を示す。
【０１７７】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（内，外レール部１０１，１０２）と、遊技領域内に配置された各遊技部品とを備え、それら各遊技部品のうち所定の入球部（各種スイッチ１５２〜１５５）に遊技球が入球した場合に遊技者に特典を付与する遊技機。
【０１７８】
スロットマシン等の回胴式遊技機：複数の絵柄を可変表示させる絵柄表示装置を備え、始動操作手段の操作に基づいて前記複数の絵柄の可変表示が開始され、停止操作手段の操作に基づいて前記複数の絵柄の可変表示が停止され、その停止後の絵柄に応じて遊技者に特典を付与する遊技機。
【０１７９】
（第１の実施形態）
以下、遊技機の一種であるパチンコ遊技機（以下、「パチンコ機」という）の第１の実施形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【０１８０】
パチンコ機１０は、当該パチンコ機１０の外殻を形成する外枠１１と、この外枠１１に対して前方に回動可能（開閉可能）に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【０１８１】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能（開閉可能）に支持されている。詳細には、正面視で左側を回動基端側（開閉基端側）とし右側を回動先端側（開閉先端側）として本体枠１３が前方へ回動可能とされている。
【０１８２】
本体枠１３には、図２に示すように、前扉枠１４が回動可能（開閉可能）に支持されており、正面視で左側を回動基端側（開閉基端側）とし右側を回動先端側（開閉先端側）として前方へ回動可能とされている。また、本体枠１３には、図３に示すように、裏パックユニット１５が回動可能（開閉可能）に支持されており、正面視で左側を回動基端側（開閉基端側）とし右側を回動先端側（開閉先端側）として後方へ回動可能とされている。
【０１８３】
次に、前扉枠１４について説明する。なお、以下の説明では、図１〜図３を参照するとともに、前扉枠１４の背面の構成については図５を参照する。図５は、前扉枠１４の背面図である。
【０１８４】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。なお、ガラス２２に代えて、透明樹脂板を嵌め込むようにしてもよい。
【０１８５】
窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【０１８６】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【０１８７】
下側膨出部３２の右方には、手前側へ突出するようにして遊技球発射ハンドル４１が設けられている。遊技球発射ハンドル４１が操作されることにより、後述する遊技球発射機構から遊技球が発射される。
【０１８８】
前扉枠１４の背面には、図２及び図５に示すように、通路形成ユニット５０が取り付けられている。通路形成ユニット５０は、合成樹脂により形成されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【０１８９】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【０１９０】
次に、本体枠１３について詳細に説明する。図６は本体枠１３の正面図である。
【０１９１】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【０１９２】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【０１９３】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【０１９４】
樹脂ベース７１の上部には、図２及び図６に示すように、前扉枠１４が開放されているか否か（又は閉鎖されているか否か）を検知する前扉枠開閉検知装置としての前扉枠開放センサ（前扉枠開放スイッチ）７８が設けられている。前扉枠開放センサ７８は、樹脂ベース７１の前面から出没可能なピンを有しており、本体枠１３に対して前扉枠１４を閉じた状態ではピンが押し込まれて前扉枠１４の閉鎖が検知され、本体枠１３に対して前扉枠１４を開いた状態ではピンが突出位置に戻って前扉枠１４の開放が検知されるようになっている。
【０１９５】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【０１９６】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２は、左右にそれぞれ２個ずつ合計４個設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【０１９７】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【０１９８】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【０１９９】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【０２００】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【０２０１】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【０２０２】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【０２０３】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【０２０４】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【０２０５】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【０２０６】
次に、本体枠１３の背面構成について説明する。図８は本体枠１３の背面図である。
【０２０７】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【０２０８】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【０２０９】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図９は遊技盤８１を後方より見た斜視図、図１０は遊技盤８１から主制御装置ユニット１６０を取り外した状態を示す背面図である。
【０２１０】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【０２１１】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【０２１２】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【０２１３】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【０２１４】
入賞検知機構について説明すると、集合板ユニット１５０には、遊技盤８１表側の各一般入賞口８２と対応する位置にそれぞれ入賞口スイッチ１５２ａ〜１５２ｄが設けられている。また、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。また、集合板ユニット１５０外における可変表示ユニット８６の右側には、スルーゲート８５を通過する遊技球を検知するゲートスイッチ１５５が設けられている。
【０２１５】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【０２１６】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０２１７】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０２１８】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０２１９】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０２２０】
次に、裏パックユニット１５について説明する。図１２は裏パックユニット１５の正面図、図１３は裏パックユニット１５の分解斜視図である。
【０２２１】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０２２２】
ベース部２１１には、その右上部に外部端子板２１３が設けられている。外部端子板２１３には、パチンコ機１０に発生した各種のエラー情報を出力するための出力端子、本体枠１３の開放時に信号出力するための出力端子、及び前扉枠１４の開放時に信号出力するための出力端子等が設けられている。そして、これらの出力端子を通じて、遊技ホール側の管理制御装置（又はホールコンピュータ）に対して枠側の状態に関する信号が出力される。
【０２２３】
ベース部２１１には、外部端子板２１３よりも外側に、本体枠１３が開放されているか否か（又は閉鎖されているか否か）を検知する本体枠開閉検知装置としての本体枠開放センサ（本体枠開放スイッチ）２３０が設けられている。外枠１１に対して本体枠１３を閉じた状態では当該センサ２３０の金属接点が閉じて本体枠１３の閉鎖が検知され、外枠１１に対して本体枠１３を開いた状態では金属接点が開いて本体枠１３の開放が検知されるようになっている。
【０２２４】
また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０２２５】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０２２６】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０２２７】
払出機構部２０２には、裏パック基板（電力受入部又は外部電力受入部）２２９が設置されている。裏パック基板２２９には、例えば交流２４ボルトの主電源が供給され、電源スイッチ２２９ａの切替操作により電源ＯＮ又は電源ＯＦＦとされるようになっている。
【０２２８】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０２２９】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０２３０】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０２３１】
電源及び発射制御装置２４３は、基板ボックス２４６内に電源及び発射制御基板が収容されており、当該基板により、各種制御装置等で要する所定の電力が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０２３２】
次に、パチンコ機１０の電源が遮断されている状態で本体枠１３や前扉枠１４が開放された場合に、その事実を把握するための構成について説明する。
【０２３３】
図６及び図１４に示すように、本体枠１３の樹脂ベース７１には、第１監視装置２５１が設けられている。また、図１５に示すように、裏パックユニット１５には、第２監視装置２５２が設けられている。第１監視装置２５１により、電源遮断状態での前扉枠１４の開放が監視され、第２監視装置２５２により、電源遮断状態での遊技機主部１２の開放が監視される。
【０２３４】
ここで、第１監視装置２５１及び第２監視装置２５２の具体的な構成について説明する。なお、第１監視装置２５１及び第２監視装置２５２は共に同一の構成を具備してなるため、これら両監視装置２５１，２５２の説明を監視装置２５０としてまとめて行う。図１６は監視装置２５０の斜視図、図１７は監視装置２５０の分解斜視図、図１８は監視装置２５０の断面図である。
【０２３５】
監視装置２５０は、有色不透明の合成樹脂材料によりそれぞれ形成された土台用ケース体２５４と蓋用ケース体２５５とを備えており、これら両ケース体２５４，２５５がネジ固定されていることによりハウジング２５６が形成されている。なお、蓋用ケース体２５５及び土台用ケース体２５４のうちいずれか一方又は両方を、無色透明の合成樹脂材料により形成してもよく、また合成樹脂材料ではなく金属材料により形成してもよい。
【０２３６】
ハウジング２５６内には、本体枠１３や前扉枠１４といった監視対象物の移動に応じて機械的に動作し、その動作により待機位置が変更される機械的動作機構２５７と、当該機械的動作機構２５７の待機位置を検知するとともにその検知結果を主制御装置１６２に出力するための検知装置２５８とが設置されている。なお、両ケース体２５４，２５５のうち、蓋用ケース体２５５の側面には一対の固定用フランジ２５９が一体形成されており、これら固定用フランジ２５９を介して、監視装置２５０は設置対象にネジ固定（着脱自在に固定）されている。
【０２３７】
機械的動作機構２５７について詳細に説明する。なお、機械的動作機構２５７の説明では、図１６〜図１８に加え、図１９を参照する。図１９は、機械的動作機構２５７の主要構成部品の側面図である。
【０２３８】
機械的動作機構２５７は、回転軸体２６１と、連動体としての円盤２６２と、第１付勢手段としての第１バネ２６３と、リンク体としての回転子２６４と、第２付勢手段としての第２バネ２６５と、移動体としてのプッシャ（押下体又は押圧体）２６６と、を備えている。なお、図１９においては、第１バネ２６３及び第２バネ２６５を省略して示す。
【０２３９】
回転軸体２６１は、土台用ケース体２５４上において円盤２６２を回転可能に保持するためのものである。具体的には、回転軸体２６１は、合成樹脂材料により形成されており、図１９等に示すように、円柱状をなす基部２６１ａと、当該基部２６１ａの一端面から起立させて形成され角柱状をなす軸部２６１ｂとを備えている。軸部２６１ｂは基部２６１ａよりもその周縁が一回り小さく形成されており、基部２６１ａと軸部２６１ｂとの境界部分には段差面２６１ｃが存在している。なお、回転軸体２６１は、その内部が空洞となっており、基部２６１ａの先端部にて開放されているが、非空洞形状としてもよい。
【０２４０】
回転軸体２６１に対して円盤２６２が組み付けられて両者が一体化されている。詳細には、円盤２６２の中央には、図１７に示すように、角形（具体的には、四角形状）の貫通孔２６２ａが形成されており、当該貫通孔２６２ａに対して回転軸体２６１の軸部２６１ｂが嵌合されている。この場合、軸部２６１ｂの高さ寸法は円盤２６２の厚み寸法よりも大きくなっており、さらに円盤２６２の裏面は回転軸体２６１の上記段差面２６１ｃに当接している。したがって、図１８に示すように、軸部２６１ｂは円盤２６２の表面よりも軸線方向の外方に突出している（以下、突出部２６１ｄともいう）。なお、回転軸体２６１と円盤２６２とは別体である必要はなく、両者が一体形成されていてもよい。
【０２４１】
円盤２６２が一体化された回転軸体２６１は、基部２６１ａにおける段差面２６１ｃとは反対側の端部が土台用ケース体２５４の内側の板面上に載るようにして、土台用ケース体２５４上に載置されている。この場合、土台用ケース体２５４には内側の板面から起立させて円形囲い枠２５４ａが一体形成されており、当該円形囲い枠２５４ａにより区画された領域内に基部２６１ａが載置されている。この円形囲い枠２５４ａにより内側の板面上に沿った回転軸体２６１（及び円盤２６２）の移動が規制されている。
【０２４２】
円盤２６２が一体化された回転軸体２６１が土台用ケース体２５４上に載置された状態において、当該回転軸体２６１の軸部２６１ｂの突出部２６１ｄは、図１８に示すように、蓋用ケース体２５５の筒状領域２７１内に入り込んでいる。
【０２４３】
詳細には、蓋用ケース体２５５には、円盤２６２の回転軸線と軸線が同一線上に位置するようにして筒状領域２７１が一体形成されている。筒状領域２７１は、蓋用ケース体２５５の表面から外方に起立させて形成された外側筒部２７２と、蓋用ケース体２５５の裏面から内方に起立させて形成された内側筒部２７３とを備えており、蓋用ケース体２５５を内外に貫通している。
【０２４４】
外側筒部２７２の先端開口部２７５には、図１８に示すように、内側に突出した環状縮径部２７６が一体形成されており、筒状領域２７１の内径は外側筒部２７２の先端開口部２７５にて縮径されている。また、外側筒部２７２の内周面には、図１９（ａ）に示すように、環状縮径部２７６を基端として軸線方向に延びる複数（具体的には、８個）のケース側リブ２７７が一体形成されている。これら複数のケース側リブ２７７は、上記軸線を中心として等間隔に形成されており、各ケース側リブ２７７間にはそれぞれケース側カム溝２７８が形成されている。任意の一のケース側リブ２７７は他の一のケース側リブ２７７と対向しており、任意の一のケース側カム溝２７８は他の一のケース側カム溝２７８と対向している。また、ケース側リブ２７７の数はケース側カム溝２７８の数と同一となっている。なお、対向するケース側カム溝２７８間の距離は、筒状領域２７１におけるケース側リブ２７７が形成された領域よりも内側筒部２７３側の領域の内径と同一となっている。
【０２４５】
上記構成の筒状領域２７１内に、図１８に示すように、内側筒部２７３側から突出部２６１ｄが入り込んでいる。また、筒状領域２７１には、第１バネ２６３、回転子２６４、第２バネ２６５及びプッシャ２６６が設置されている。これら第１バネ２６３、回転子２６４、第２バネ２６５及びプッシャ２６６は、それらの各軸線が円盤２６２の回転軸線及び筒状領域２７１の軸線と同一線上に位置している。
【０２４６】
プッシャ２６６は合成樹脂材料により形成されており、図１８に示すように、軸線方向の一端側が開放され他端側が閉塞された形状をなしている。なお、閉塞部２６６ａの周面は外方に凸の曲面状となっている。
【０２４７】
プッシャ２６６の外周面におけるその開放部２６６ｂ側には、外方に突出した複数の突起２６６ｃが一体形成されている。これら複数の突起２６６ｃは、上記軸線を中心として等間隔に形成されており、任意の一の突起２６６ｃは他の一の突起２６６ｃと対向している。突起２６６ｃの数は、ケース側リブ２７７やケース側カム溝２７８の数よりも少ないが、同数としてもよい。
【０２４８】
プッシャ２６６における、閉塞部２６６ａの周面及び突起２６６ｃが形成された領域を除いた部位の外径は、対向するケース側リブ２７７間の距離と同一又はそれよりも若干小さくなっている。プッシャ２６６は、筒状領域２７１内にその内側筒部２７３側から挿通されており、閉塞部２６６ａ側が先端開口部２７５を通じて筒状領域２７１の外方に突出しており、開放部２６６ｂ側が筒状領域２７１内にある。この場合、各突起２６６ｃは、ケース側カム溝２７８内に入り込んでいる。そして、プッシャ２６６は、筒状領域２７１内を軸線方向に移動可能となっている。
【０２４９】
筒状領域２７１内であってプッシャ２６６と円盤２６２との間に、回転子２６４が設けられている。回転子２６４は合成樹脂材料により形成されており、図１９（ｃ）に示すように、軸線方向の途中位置に形成された段差部２８１を介して、外径が相対的に大小となった小径部２８２と大径部２８３とを備えている。
【０２５０】
大径部２８３の外周面には、その先端部から当該大径部２８３の途中位置まで軸線方向に延びる複数（具体的には、８個）の回転子側カム溝２８４が形成されている。これら複数の回転子側カム溝２８４は、上記軸線を中心として等間隔に形成されており、各回転子側カム溝２８４間にはそれぞれ回転子側リブ２８５が形成されている。回転子側カム溝２８４の数は回転子側リブ２８５の数と同一となっており、さらには回転子側カム溝２８４及び回転子側リブ２８５の数はケース側カム溝２７８及びケース側リブ２７７の数と同一となっている。
【０２５１】
回転子２６４において回転子側リブ２８５が形成された部位が最大外径部位となっており、この最大外径部位の外径は筒状領域２７１におけるケース側リブ２７７が形成された領域よりも内側筒部２７３側の領域の内径と同一又はそれよりも若干小さくなっている。また、各回転子側リブ２８５は各ケース側カム溝２７８内に入り込み可能に形成されているとともに、各回転子側カム溝２８４は各ケース側リブ２７７が入り込み可能に形成されている。したがって、回転子２６４は筒状領域２７１内を軸線方向に移動可能となっている。
【０２５２】
回転子２６４は、図１８に示すように、その内部が小径部２８２の先端にて開放された第１開放領域２８６と、その内部が大径部２８３の先端にて開放された第２開放領域２８７とを備えており、これら第１開放領域２８６と第２開放領域２８７とは軸線方向に直交する面を有する仕切板部２８８により区画されている。
【０２５３】
第１開放領域２８６及び第２開放領域２８７のうち、第１開放領域２８６は断面が角形状（具体的には、四角形状）をなしており、当該角形状は回転軸体２６１の軸部２６１ｂの角形状と同一の多角形状をなしている。この第１開放領域２８６に軸部２６１ｂが遊挿されている。但し、第１開放領域２８６の各内面は軸部２６１ｂの各外面と近い位置にあり、回転子２６４は回転軸体２６１及び円盤２６２と一体的に回転する。つまり、回転子２６４がその軸線を中心として回転する場合、それに連動して円盤２６２が軸線を中心として回転する。ちなみに、第１開放領域２８６の長さ寸法は、突出部２６１ｄの長さ寸法よりも小さくなっている。
【０２５４】
これら回転子２６４と円盤２６２との間に介在させて、図１８に示すように、上記第１バネ２６３が設置されている。第１バネ２６３は、その内径が回転子２６４の小径部２８２の外径よりも大きくなっており、その一端が円盤２６２の表面に当接しており、他端が回転子２６４の段差部２８１に当接している。また、回転子２６４とプッシャ２６６との間に介在させて、上記第２バネ２６５が設置されている。第２バネ２６５は、その外径がプッシャ２６６の内径よりも小さくなっており、プッシャ２６６の内部空間に収容されている。そして、その一端がプッシャ２６６の閉塞部内面に当接しており、他端が回転子２６４の仕切板部２８８に当接している。第１バネ２６３及び第２バネ２６５は、圧縮状態で設置されている。なお、これら第１バネ２６３及び第２バネ２６５のうち、第１バネ２６３の付勢力の方が第２バネ２６５の付勢力よりも大きい。
【０２５５】
第１バネ２６３の付勢力は、円盤２６２に付与されるとともに、回転子２６４及びプッシャ２６６に付与される。この付勢力により、円盤２６２は土台用ケース体２５４に向けて付勢され、回転子２６４及びプッシャ２６６は外側筒部２７２の先端開口部２７５に向けて付勢されている。
【０２５６】
この先端開口部２７５に向けた回転子２６４及びプッシャ２６６の移動は、プッシャ２６６の各突起２６６ｃが外側筒部２７２の環状縮径部２７６に内側から当接した位置にて規制されている。つまり、プッシャ２６６の押圧が行われていない自然状態では、プッシャ２６６は筒状領域２７１から最も外方に突出した最大突出位置にある。
【０２５７】
回転子２６４は、上記自然状態において、各回転子側リブ２８５が各ケース側カム溝２７８に入り込み、さらに各回転子側カム溝２８４に各ケース側リブ２７７が入り込んだ状態となっている。つまり、回転子２６４は、自然状態において、軸線方向を中心とした回転が不可能となっている。なお、回転子２６４は、自然状態において、その第１開放領域２８６に突出部２６１ｄが遊挿されている。
【０２５８】
一方、第２バネ２６５の付勢力は、回転子２６４に付与されるとともに、プッシャ２６６に付与される。この第２バネ２６５は、プッシャ２６６における後述する自然状態への復帰動作を良好にするためのものである。なお、当該第２バネ２６５を不具備としても、プッシャ２６６の自然状態への復帰動作は可能である。
【０２５９】
以上説明した機械的動作機構２５７では、プッシャ２６６の自然状態からの移動及び当該自然状態への復帰に連動して円盤２６２が回転する。そこで、かかる円盤２６２の回転に関する構成について説明する。
【０２６０】
円盤２６２は上記のとおり回転軸体２６１と一体化されており、土台用ケース体２５４上に回転可能に載置されている。この場合に、円盤２６２は、回転子２６４の回転移動に連動して回転移動する。詳細には、回転子２６４の大径部２８３の先端には、図１９（ｃ）に示すように、連続山形状の回転子側カム部２８９が一体形成されている。この回転子側カム部２８９は、複数の山部２８９ａから構成されている。具体的には、一対の回転子側リブ２８５と回転子側カム溝２８４に対して、一の山部２８９ａが形成されている。この場合、回転子側リブ２８５の先端面は全て一方向への傾斜面となっており、各回転子側リブ２８５においてそれら傾斜面の傾斜方向及び傾斜角度は全て同一となっている。同様に、回転子側カム溝２８４の先端面は全て一方向への傾斜面となっており、各回転子側カム溝２８４においてそれら傾斜面の傾斜方向及び傾斜角度は全て同一となっている。
【０２６１】
上記回転子側カム部２８９に対応させて、プッシャ２６６の開放部２６６ｂの先端には、図１９（ｂ）に示すように、連続山形状のプッシャ側カム部２９０が一体形成されている。プッシャ側カム部２９０は、回転子側カム部２８９の山部２８９ａと同数の山部２９０ａから構成されている。そして、プッシャ側カム部２９０の山部２９０ａは、回転子側カム部２８９の山部２８９ａと同一のピッチ、大きさ、傾斜及び形状を有している。したがって、回転子２６４の大径部２８３の先端とプッシャ２６６の開放部２６６ｂの先端とをそれらの軸線方向に重ね合わせると、回転子側カム部２８９とプッシャ側カム部２９０とが完全に噛み合う。
【０２６２】
また、筒状領域２７１のケース側リブ２７７の先端面２７７ａは、図１９（ａ）に示すように、全て一方向への傾斜面となっており、各ケース側リブ２７７においてそれら傾斜面の傾斜方向及び傾斜角度は全て同一となっている。この各ケース側リブ２７７の先端面２７７ａの傾斜方向は、各回転子側リブ２８５の先端面の傾斜方向に対して逆方向となっているが、両者の傾斜角度は同一となっている。
【０２６３】
上記のように回転子側カム部２８９、プッシャ側カム部２９０及びケース側リブ２７７が形成されていることにより、プッシャ２６６の自然状態からの移動及び当該自然状態への復帰に連動して円盤２６２が回転する。かかる円盤２６２の回転動作について、図２０を参照して説明する。図２０は、プッシャ２６６の移動に連動した円盤２６２の回転動作を説明するための説明図である。なお、図２０（ａ）は自然状態を示し、図２０（ｂ）及び図２０（ｃ）はプッシャ２６６が押圧されている状態を示し、図２０（ｄ）は自然状態に復帰する過程を示す。また、図２０（ａ）〜（ｄ）において、ドット模様で示す部位は回転子側リブ２８５であり、格子状模様で示す部位はケース側リブ２７７であり、黒塗りで示す部位はプッシャ２６６の突起２６６ｃである。
【０２６４】
図２０（ａ）に示すように、自然状態では、上述したように、第１バネ２６３に付勢されて、プッシャ２６６は最大突出位置にある。この場合、回転子２６４は、各回転子側リブ２８５が各ケース側カム溝２７８に入り込んでいるとともに、各回転子側カム溝２８４に各ケース側リブ２７７が入り込んでいる。これにより、回転子２６４の回転移動は阻止されている。なお、プッシャ２６６も、その突起２６６ｃがケース側カム溝２７８に入り込んでいるため、回転移動が阻止されている。また、回転子側カム部２８９は、その一部がプッシャ側カム部２９０に当接している。但し、これらカム部２８９，２９０は完全には噛み合っていない。
【０２６５】
その後、プッシャ２６６が第１バネ２６３の付勢力に抗する力で押圧されることにより、プッシャ２６６及び回転子２６４が円盤２６２側に向けて移動し、図２０（ｂ）に示すように、各回転子側リブ２８５が各ケース側カム溝２７８から外れるとともに、各回転子側カム溝２８４から各ケース側リブ２７７が外れる。これにより、回転子２６４の回転移動が許容される。一方、プッシャ２６６は、その突起２６６ｃがケース側カム溝２７８に入り込んでいるため、回転移動は依然として阻止されている。
【０２６６】
ここで、回転子２６４は上記のとおり第１バネ２６３の付勢力を受けているため、プッシャ２６６が押圧されている状況であってもプッシャ２６６側に向けた力が加わっている。また、回転子側カム部２８９は、その一部がプッシャ側カム部２９０に当接している。したがって、回転子２６４は、回転子側カム部２８９がプッシャ側カム部２９０と完全に噛み合う位置に向けて回転移動する。これにより、図２０（ｃ）に示すように、回転子２６４のそれ以上の内側への移動が阻止されたプッシャ２６６の最大押圧位置では、回転子側カム部２８９はプッシャ側カム部２９０と完全に噛み合っている。この場合に、上記のとおり、回転子２６４と円盤２６２とは回転軸体２６１の軸部２６１ｂを介して一体的に回転するようになっている。したがって、図２０（ｂ）から図２０（ｃ）への回転子２６４の回転移動に合わせて円盤２６２が回転移動する。この円盤２６２の回転量（回転角度）は、回転子２６４の回転量（回転角度）と同一となっている。これは、以下も同様である。
【０２６７】
その後、プッシャ２６６の押圧が解除されることにより、プッシャ２６６及び回転子２６４は、第１バネ２６３の付勢力（及び第２バネ２６５の付勢力）によって自然状態に向けて移動する。但し、プッシャ側カム部２９０の谷部分は、回転子２６４の回転方向で見て、ケース側リブ２７７の幅方向の中間位置となっている。したがって、図２０（ｄ）に示すように、プッシャ２６６はケース側リブ２７７と干渉することなく自然状態に向けて移動するが、回転子２６４は回転子側リブ２８５がケース側リブ２７７と干渉する。
【０２６８】
この場合に、上記のとおり、各ケース側リブ２７７の先端面２７７ａの傾斜方向は、各回転子側リブ２８５の先端面の傾斜方向に対して逆方向となっており、さらに両者の傾斜角度は同一となっている。また、回転子２６４は上記のとおり第１バネ２６３の付勢力を受けている。したがって、回転子２６４は、ケース側リブ２７７の先端面２７７ａに沿って回転移動する。また、この回転子２６４の回転移動に合わせて円盤２６２が回転移動する。これら回転子２６４及び円盤２６２の回転方向は、プッシャ２６６が押圧された際の回転子２６４及び円盤２６２の回転方向と同一となっている。そして、最終的に、図２０（ａ）に示すように、プッシャ２６６及び回転子２６４が自然状態に復帰する。但し、上記一連の動作により回転子２６４は所定角度回転し、各回転子側リブ２８５は当初のケース側カム溝２７８内からその隣のケース側カム溝２７８内に移動している。そして、この回転子２６４の回転移動に合わせて円盤２６２も回転移動している。
【０２６９】
以上説明した本構成では、自然状態にあるプッシャ２６６が押圧され、その後に自然状態に復帰するという１サイクルの動作が行われた場合には、円盤２６２は常に同一の規定角度だけ回転移動する（規定回転量だけ回転移動する）。そして、円盤２６２が一周するためには、上記１サイクルの動作がケース側カム溝２７８の数分行われる必要がある。かかる構成では、円盤２６２は、自然状態における待機位置（回転待機位置）が複数段階設定されていると言うことができ、上記１サイクルの動作により１の待機位置から次の待機位置に移動すると言える。
【０２７０】
上記のように回転子２６４及び円盤２６２が回転する構成において、プッシャ２６６が最大突出位置（又は、自然状態）から最大押圧位置（又は、プッシャ側カム部２９０と回転子側カム部２８９とが完全に噛み合う位置）に移動するまでの回転量（回転角度）は、プッシャ２６６が最大押圧位置から最大突出位置に移動するまでの回転量（回転角度）よりも小さくなっている。当該構成について図２１を参照して説明する。図２１は、蓋用ケース体２５５の筒状領域２７１、プッシャ２６６の開放部２６６ｂ側及び回転子２６４の大径部２８３周辺を展開して示す説明図である。なお、図２１における寸法や距離の記載は、単一の仮想円周を基準としたものである。
【０２７１】
既に説明したように、ケース側リブ２７７の幅寸法Ｘ１とケース側カム溝２７８の幅寸法Ｘ２とは同一（又は略同一）となっており（Ｘ１＝Ｘ２）、図２１（ａ）に示すように、一対のケース側リブ２７７とケース側カム溝２７８との各幅寸法Ｘ１，Ｘ２の和は、距離Ｌ１となっている（Ｌ１＝Ｘ１＋Ｘ２）。そして、上記のとおり、自然状態からプッシャ２６６が最大押圧位置まで移動し、その後、自然状態に復帰した場合、各回転子側リブ２８５は当初のケース側カム溝２７８内からその隣りのケース側カム溝２７８内に移動する。したがって、プッシャ２６６が上記のように１サイクルの移動を行った場合、回転子２６４の回転量はＬ１となる。
【０２７２】
また、プッシャ側カム部２９０の山部（プッシャ側山部）２９０ａの数と回転子側カム部２８９の山部（回転子側山部）２８９ａの数とは同一となっており、さらにプッシャ側山部２９０ａの幅寸法と回転子側山部２８９ａの幅寸法とは同一となっている。プッシャ側山部２９０ａ及び回転子側山部２８９ａは、共に同一形状及び同一の大きさの二等辺三角形となっており、幅寸法はＬ１となっている。ちなみに、各山部２８９ａ，２９０ａの最大突出箇所から最大凹箇所までの幅寸法は（Ｌ１×１／２）となっている。また、各プッシャ側山部２９０ａの最大突出箇所は、ケース側カム溝２７８の幅方向の中間位置にあり、各プッシャ側山部２９０ａの最大凹箇所は、ケース側リブ２７７の幅方向の中間位置にある。
【０２７３】
図２１（ａ）に示すように、自然状態では、各回転子側リブ２８５が各ケース側カム溝２７８内に入り込んでいる。この場合、プッシャ側山部２９０ａと回転子側山部２８９ａとは当接しているが、プッシャ側カム部２９０と回転子側カム部２８９とが完全に噛み合った状態のときよりも幅方向に距離Ｌ２分ずれた位置にある。この距離Ｌ２は、距離Ｌ１の１／４となっている。
【０２７４】
その後、プッシャ２６６が押圧され各回転子側リブ２８５が各ケース側カム溝２７８から外れることにより、回転子２６４が距離Ｌ２分、すなわち距離（Ｌ１×１／４）分だけ回転移動し、図２１（ｂ）に示すように、プッシャ側カム部２９０と回転子側カム部２８９とが噛み合った状態となる。
【０２７５】
その後、プッシャ２６６の押圧が解除され自然状態に復帰することで、既に説明したように、回転子２６４が回転移動し、各回転子側リブ２８５が移動先の各ケース側カム溝２７８内に入り込んだ状態となる。この際の回転量は、距離（Ｌ１−Ｌ２）分、すなわち距離（Ｌ１×３／４）分である。つまり、本構成においては、自然状態からプッシャ２６６が最大押圧位置まで移動する際に回転子２６４が回転移動する回転量（回転角度）は、自然状態に復帰する際に回転子２６４が回転移動する回転量（回転角度）の１／３となっている。そして、これに伴って、円盤２６２が回転移動する回転量（回転角度）は、自然状態からプッシャ２６６が最大押圧位置まで移動する際に対して、自然状態に復帰する際の１／３となっている。
【０２７６】
なお、回転子２６４（及び円盤２６２）の回転量は上記のものに限定されることはない。すなわち、回転子側リブ２８５が一のケース側カム溝２７８からその隣りのケース側カム溝２７８に回転移動する場合、その回転移動の途中位置にてプッシャ側カム部２９０と回転子側カム部２８９とが噛み合い、この噛み合いにより、自然状態からプッシャ２６６が最大押圧位置に向けて移動する場合の回転子２６４の回転移動が規制されるものであり、この各カム部２８９，２９０が噛み合う位置までの回転子２６４の回転量（回転角度）が当該噛み合う位置から移動先のケース側カム溝２７８までの回転子２６４の回転量（回転角度）よりも小さくなっていればよい。
【０２７７】
次に、検知装置２５８による円盤２６２の待機位置の検知に関する構成を説明する。図２２は検知装置２５８の平面図である。
【０２７８】
検知装置２５８は、円盤２６２の回転待機位置を検知し、その検知結果を主制御装置１６２に出力する機能を有する。具体的には、検知装置２５８は、合成樹脂材料により形成されたベース部２９１を備えている。ベース部２９１は、その中央部分に厚み方向に貫通した矩形の開口部２９１ａを有する略矩形枠状をなしている。ベース部２９１には、その周縁部の一辺に外方に延出した延出板部２９１ｂが一体形成されており、当該延出板部２９１ｂの表面にはコネクタ（電気的接続部材）２９２が設置されている。コネクタ２９２は複数（具体的には、５個）の接続ピン２９２ａを備えている。当該コネクタ２９２には、図１６や図１７に示すように、主制御装置１６２に向けた信号経路を形成するハーネス２９３のコネクタ（電気的接続部材）２９３ａが接続される。なお、ハーネス２９３は、上記接続ピン２９２ａの数と同数の電気配線２９３ｂを束ねてなり、各接続ピン２９２ａに対応した信号経路は主制御装置１６２と検知装置２５８との間の全体に亘ってそれぞれ独立している。
【０２７９】
コネクタ２９２の接続ピン２９２ａは、図２２に示すように、開口部２９１ａに設置された長尺状の金属端子２９４と電気的に接続されている。金属端子２９４について詳細には、金属端子２９４は複数設けられており、各金属端子２９４は全て同一の形状及び大きさを有している。金属端子２９４の数は、コネクタ２９２の接続ピン２９２ａと同数となっている。各金属端子２９４は、その一端が開口部２９１ａの周縁におけるコネクタ２９２側の一辺に固定されているとともに、他端が開口部２９１ａの周縁におけるコネクタ２９２側の一辺に対して対向する一辺に固定されている。つまり、各金属端子２９４は、開口部２９１ａの周縁におけるコネクタ２９２側の一辺とそれに対向する一辺とを橋渡すようにして設置されている。
【０２８０】
開口部２９１ａにおいて各金属端子２９４は相互に離間させて設けられており、各金属端子２９４は相互に接触していない。また、複数の金属端子２９４は、開口部２９１ａにおける非橋渡し方向の両端部にそれぞれ偏倚させて設置されている。これにより、開口部２９１ａにおいて非橋渡し方向の中央部分は所定範囲に亘って金属端子２９４が位置していない。
【０２８１】
上記のように開口部２９１ａにおける非橋渡し方向の両端部にそれぞれ偏倚させて複数の金属端子２９４を設置した構成において、非橋渡し方向の一端側に偏倚させて設置された金属端子２９４の数と他端側に偏倚させて設置された金属端子２９４の数とは異なっている。具体的には、図２２の状態で見て、右端側に偏倚させて設置された金属端子２９４の数は３個となっており、左端側に偏倚させて設置された金属端子２９４の数は２個となっている。このうち、右端側の金属端子２９４は等間隔で離間させて設置されており、この離間させた間隔は金属端子２９４の幅寸法分となっている。また、左端側の金属端子２９４は、当該金属端子２９４の幅寸法分離間させて設置されている。
【０２８２】
なお、右端側の金属端子２９４の数を左端側の金属端子２９４の数よりも少なくしてもよく、右端側の金属端子２９４の数と左端側の金属端子２９４の数とを同数としてもよい。また、右端側又は左端側のいずれか一方にのみ金属端子２９４を設置するようにしてもよい。また、金属端子２９４間の距離は、金属端子２９４の幅寸法分よりも大きくてもよい。
【０２８３】
各金属端子２９４は、その長さ方向の中間部分が、ベース部２９１の裏面側から表面側に変形されている。つまり、各金属端子２９４は、その長さ方向の中間部分に隆起接点部２９５が形成されている。各金属端子２９４は、隆起接点部２９５のみが開口部２９１ａの表面側の縁部よりも外方に突出しており、その他の部分は当該表面側の縁部よりも奥まった位置にある。これら隆起接点部２９５は、検知装置２５８の上方に位置する円盤２６２の裏面によって上方から若干押圧されている。金属端子２９４は、比較的弾性の大きい金属により長尺状に形成されており板バネとしての機能を有しているため、隆起接点部２９５は自己の付勢力により円盤２６２の裏面に接した状態が維持されている。
【０２８４】
各金属端子２９４は、ベース部２９１の裏面に設けられた中継電気線２９６を介してコネクタ２９２の接続ピン２９２ａと電気的に接続されている。この中継電気線２９６は、金属端子２９４及び接続ピン２９２ａの各組合せと１対１で対応させて設けられており、各中継電気線２９６は相互に離間されている。
【０２８５】
上記の検知装置２５８は、土台用ケース体２５４上に載置されているとともに、当該土台用ケース体２５４と蓋用ケース体２５５とにより挟持されている。そして、検知装置２５８は、延出板部２９１ｂ及びコネクタ２９２を除いてハウジング２５６内に収容されている。つまり、延出板部２９１ｂ及びコネクタ２９２はハウジング２５６外に突出している。
【０２８６】
検知装置２５８は、土台用ケース体２５４上において、円盤２６２の下方に位置している。この場合に、円盤２６２と一体化された回転軸体２６１は土台用ケース体２５４上に載置されているが、検知装置２５８のベース部２９１には開口部２９１ａが形成されており、さらに開口部２９１ａにおいて非橋渡し方向の中央部分は所定範囲に亘って金属端子２９４が位置していないため、検知装置２５８と回転軸体２６１との干渉が防止されている。
【０２８７】
円盤２６２は、検知装置２５８の上方において回転移動する。この円盤２６２の構成について図２３を用いてより詳細に説明する。図２３（ａ）は円盤２６２の平面図、図２３（ｂ）は図２３（ａ）のＡ―Ａ線断面図である。
【０２８８】
円盤２６２は、図２３（ｂ）に示すように、その厚み方向に複数層構造となっている。具体的には、表側の第１樹脂板層２９７と、中間の金属板層２９８と、裏側の第２樹脂板層２９９と、からなる３層構造となっている。この場合、回転軸体２６１の軸部２６１ｂが嵌合される貫通孔２６２ａは、全ての板層２９７〜２９９を貫通するようにして形成されている。
【０２８９】
円盤２６２は、既に説明したように、自然状態における待機位置が複数段階設定されており、プッシャ２６６の上記１サイクルの動作により、一の待機位置から次の待機位置に回転移動する。ここで、図２３（ａ）において、円盤２６２の表面に記した数字は待機位置を示しており、当該円盤２６２は第１待機位置〜第８待機位置を有している。この待機位置について詳細には、第１待機位置では、数字の「１」が記された部位が、検知装置２５８のコネクタ２９２と最も近い位置にある。また、円盤２６２は、図２３（ａ）の状態で見て時計回りに回転移動するものであり、次の第２待機位置では、数字の「２」が記された部位が、検知装置２５８のコネクタ２９２と最も近い位置にある。なお、この数字を不具備としてもよい。
【０２９０】
円盤２６２は、各待機位置において、検知装置２５８の各金属端子２９４を、所定の組合せで電気的に導通させる。当該機能について詳細に説明する。円盤２６２の第１樹脂板層２９７と金属板層２９８とには、貫通孔２６２ａ以外の孔部は形成されていないが、第２樹脂板層２９９には貫通孔２６２ａ以外に複数の孔部２９９ａが形成されている。この孔部２９９ａが形成された位置では、金属板層２９８の板面が露出している。この露出した板面が、検知装置２５８による被検知部２９８ａとなっている。
【０２９１】
被検知部２９８ａは、図２３（ａ）に示すように、円盤２６２の周縁寄りの位置に形成されている。これら被検知部２９８ａは、各待機位置にそれぞれ対応させて形成されており、円盤２６２が対応する待機位置となった際にいずれかの金属端子２９４の隆起接点部２９５の上方に位置する。そして、被検知部２９８ａが下方に位置する隆起接点部２９５と当接するように、第２樹脂板層２９９の厚み寸法、第２樹脂板層２９９の柔らかさ、及び隆起接点部２９５の隆起度合いが設定されている。この場合、一の待機位置に対応する各被検知部２９８ａは、円盤２６２の中心を通る直線上に並んでいる。また、任意の待機位置から円盤２６２を１８０°回転移動させると、他の待機位置となる。したがって、一の待機位置に対応する各被検知部２９８ａが並ぶ直線上には、円盤２６２を１８０°回転移動させた場合の待機位置に対応する各被検知部２９８ａも並んでいる。但し、これら待機位置に対応した各被検知部２９８ａは、重複していない。
【０２９２】
円盤２６２によって電気的に導通される金属端子２９４の組合せと当該円盤２６２の待機位置との関係について図２４及び図２５を参照して説明する。なお、以下の説明では、各金属端子２９４を図２４の状態で見て左側から順に、第１金属端子２９４ａ、第２金属端子２９４ｂ、第３金属端子２９４ｃ、第４金属端子２９４ｄ及びベース金属端子２９４ｅと称する。
【０２９３】
図２４（ａ）及び図２５に示すように、円盤２６２が第１待機位置にある場合、第１金属端子２９４ａとベース金属端子２９４ｅとが電気的に導通される。また、図２４（ｂ）及び図２５に示すように、円盤２６２が第１待機位置にある場合、第２金属端子２９４ｂとベース金属端子２９４ｅとが電気的に導通される。また、第３待機位置〜第８待機位置については、図２５に示すとおりである。そして、図２５に示すように、各待機位置において、電気的に導通される金属端子２９４の組合せは全て異なっている。なお、いずれの待機位置においても、ベース金属端子２９４ｅが他の金属端子２９４ａ〜２９４ｄと電気的に導通される。
【０２９４】
上記のとおり、一の待機位置に対応する各被検知部２９８ａが並ぶ直線上には、円盤２６２を１８０°回転移動させた場合の待機位置に対応する各被検知部２９８ａも並んでいる。この場合に、一方の待機位置において他の待機位置に対応した被検知部２９８ａが隆起接点部２９５の上方に位置しないようになっている。
【０２９５】
詳細には、各金属端子２９４は、図２４の状態で見て、第１金属端子２９４ａと第２金属端子２９４ｂとが開口部２９１ａの左端側にあり、第３金属端子２９４ｃと第４金属端子２９４ｄとベース金属端子２９４ｅとが開口部２９１ａの右端側にある。この場合に、円盤２６２の回転中心に対する各金属端子２９４ａ〜２９４ｅの隆起接点部２９５の距離が異なるように、各金属端子２９４ａ〜２９４ｅが設置されている。そして、各金属端子２９４ａ〜２９４ｅの幅寸法は全て同一となっているとともに、円盤２６２の回転中心に対する各隆起接点部２９５の距離は当該幅寸法の自然数倍ずつ異なっている。さらに、隆起接点部２９５の大きさは、接触対象の被検知部のみが接触するように設定されている。したがって、円盤２６２が１周した場合、各検知部の移動経路上には接触対象の一の隆起接点部２９５のみが存在することとなり、上記のとおり一方の待機位置において他の待機位置に対応した被検知部２９８ａが隆起接点部２９５の上方に位置しない。
【０２９６】
第１待機位置と第５待機位置について具体的には、図２４（ａ）及び図２４（ｃ）に示すように、第１待機位置においていずれかの隆起接点部２９５の上方に位置している被検知部２９８ａは、第５待機位置においていずれの隆起接点部２９５の上方にも位置しておらず、さらに第５待機位置においていずれかの隆起接点部２９５の上方に位置している被検知部２９８ａは、第１待機位置においていずれの隆起接点部２９５の上方にも位置していない。
【０２９７】
また、第２待機位置と第６待機位置について具体的には、図２４（ｂ）及び図２４（ｄ）に示すように、第２待機位置においていずれかの隆起接点部２９５の上方に位置している被検知部２９８ａは、第６待機位置においていずれの隆起接点部２９５の上方にも位置しておらず、さらに第６待機位置においていずれかの隆起接点部２９５の上方に位置している被検知部２９８ａは、第２待機位置においていずれの隆起接点部２９５の上方にも位置していない。
【０２９８】
上記のように被検知部２９８ａと隆起接点部２９５との位置関係が設定された構成において、隆起接点部２９５は、検知対象外の被検知部２９８ａが接しない範囲内において、被検知部２９８ａよりも大きめに形成されている。ここで、プッシャ２６６の上記１サイクルの動作において、自然状態から最大押圧位置までプッシャ２６６が移動するまでの円盤２６２の回転量は、自然状態に復帰する際の円盤２６２の回転量よりも小さくなっている。そして、隆起接点部２９５は、自然状態から最大押圧位置までプッシャ２６６が移動する場合、その移動開始前に接していた被検知部２９８ａとの接触状態が維持される大きさに形成されている。
【０２９９】
以上の構成において、検知装置２５８には、コネクタ２９２に接続されるハーネス２９３を介して主制御装置１６２から電気信号が出力される。この電気信号は、コネクタ２９２の複数の接続ピン２９２ａのうち、一の接続ピン２９２ａに供給される。この主制御装置１６２からの電気信号が供給される接続ピン２９２ａは、中継電気線２９６を介してベース金属端子２９４ｅと電気的に接続されている。つまり、主制御装置１６２からの電気信号は、ベース金属端子２９４ｅに供給される。
【０３００】
各金属端子２９４ａ〜２９４ｅは、既に説明したように、円盤２６２の待機位置に応じて所定の組合せで電気的に導通される。また、いずれの待機位置においても、ベース金属端子２９４ｅが他の金属端子２９４ａ〜２９４ｄと電気的に導通される。ベース金属端子２９４ｅと電気的に導通される金属端子２９４ａ〜２９４ｄには、ベース金属端子２９４ｅから上記電気信号が供給される。そして、この電気信号は、その金属端子２９４ａ〜２９４ｄと対応する中継電気線２９６を介して電気的に接続された接続ピン２９２ａに供給される。この接続ピン２９２ａに供給された電気信号は、ハーネス２９３を介して主制御装置１６２に入力される。主制御装置１６２では、この入力した電気信号がいずれの接続ピン２９２ａから供給されたものかを把握可能となっている。つまり、主制御装置１６２では、検知装置２５８に電気信号を出力し、その電気信号が返還された場合の出力元の接続ピン２９２ａの種類により、円盤２６２がいずれの待機位置にあるかを把握する。言い換えると、主制御装置１６２では、検知装置２５８からの検知信号パターン（機械的コード）に基づいて、円盤２６２がいずれの待機位置にあるかを把握する。
【０３０１】
ちなみに、本監視装置２５０において「検知状態」とは、検知装置２５８において、円盤２６２により導通が確保されている金属端子２９４ａ〜２９４ｅの組合せのことであり、主制御装置１６２から監視装置２５０に電気信号が供給されている状況では検知状態が検知信号パターンとして主制御装置１６２に出力されるものである。また、本監視装置２５０において「待機状態」とは、上記検知状態の概念を含めた状態のことであり、外部電源からパチンコ機１０への電力供給が少なくとも行われていない状況であっても維持可能な状態のことである。
【０３０２】
なお、待機位置の検知に関する構成は上記のものに限定されることはなく、待機位置の数が２個，３個，４個，５個，６個，７個又は９個以上であってもよい。この場合、ケース側カム溝２７８、回転子側リブ２８５及び各カム部２８９，２９０の山部２８９ａ，２９０ａの数などを待機位置の数に合わせて変更する必要がある。また、検知装置２５８に関して、長尺状の金属端子２９４に代えて、突起状の金属端子を設けてもよい。また、金属端子２９４の数は、各待機位置を個別に検知することができるのであれば、５個未満又は６個以上としてもよい。さらには、第２樹脂板層２９９に孔部２９９ａを形成することで被検知部２９８ａを形成したが、金属板層２９８の裏面に突起を形成することで被検知部２９８ａを形成してもよい。
【０３０３】
次に、プッシャ２６６が上記１サイクルの動作を行う場合における検知装置２５８からの検知信号パターンの切り替わりタイミングについて説明する。図２６は上記切り替わりタイミングを説明するための説明図である。なお、図２６（ａ）〜（ｅ）は、プッシャ２６６の１サイクルの動作を示し、図２６（ａ）及び図２６（ｅ）は自然状態、図２６（ｃ）は最大押圧状態、図２６（ｂ）及び図２６（ｄ）は自然状態と最大押圧状態との間の状態を示す。また、第１検知信号パターンはプッシャ２６６の押圧が行われる前の検知信号パターンであり、第２検知信号パターンはプッシャ２６６の押圧が行われた後に移行する検知信号パターンである。
【０３０４】
既に説明したように、プッシャ２６６の上記１サイクルの動作において、自然状態から最大押圧位置までプッシャ２６６が移動するまでの円盤２６２の回転量は、自然状態に復帰する際の円盤２６２の回転量よりも小さくなっている。また、隆起接点部２９５は、自然状態から最大押圧位置までプッシャ２６６が移動する場合、その移動開始前に接していた被検知部２９８ａとの接触状態が維持される大きさに形成されている。したがって、図２６（ａ）〜（ｃ）に示す自然状態から最大押圧状態へ移行する場合には第１検知信号パターンは維持され、最大押圧状態から自然状態に復帰する途中の図２６（ｄ）に示すタイミングで第１検知信号パターンから第２検知信号パターンに切替えられる。
【０３０５】
なお、第１検知信号パターンから第２検知信号パターンへ切り替わる際に、所定期間に亘って第１検知信号パターンと第２検知信号パターンとが混在し、いずれの検知信号パターンであるかが認識不可となる構成としてもよい。当該構成であっても、かかる認識不可な期間は、検知信号パターンが切り替わる途中の期間であるため、各待機位置における検知信号パターンの認識は正確に行われる。
【０３０６】
以上説明した監視装置２５０は、上記のとおり第１監視装置２５１として本体枠１３の樹脂ベース７１に設置されている（図１４（ａ）参照）。そして、図１４（ｂ）に示すように、前扉枠１４が閉鎖された状態では当該前扉枠１４によってプッシャ２６６が押圧され、当該プッシャ２６６は最大押圧位置にある。また、図１４（ｃ）に示すように、前扉枠１４が開放された状態では当該前扉枠１４による押圧が解除され、プッシャ２６６は自然状態に復帰する。図１４（ｂ）の状態から図１４（ｃ）の状態に移行するタイミングで、第１監視装置２５１の検知状態（すなわち、円盤２６２の待機位置）が切替えられ、それに伴って、第１監視装置２５１から出力される検知信号パターンが切替えられる。
【０３０７】
また、監視装置２５０は、上記のとおり第２監視装置２５２として裏パックユニット１５に設置されている（図１５（ａ）参照）。この場合、裏パックユニット１５には押圧片３００が設けられている。押圧片３００は、板バネとしての機能を有しており、一端が裏パックユニット１５の回動基端側の側面から外方に突出しており、他端が第２監視装置２５２のプッシャ２６６の先端と隣接した位置にて対峙している。当該構成においては、図１５（ｂ）に示すように、遊技機主部１２が閉鎖された状態では外枠１１によって押圧片３００の外方に突出した端部が押圧される。そして、外枠１１によって押圧片３００が押圧されることで、押圧片３００自体の板バネとしての機能によりプッシャ２６６が押圧される。したがって、遊技機主部１２が閉鎖された状態ではプッシャ２６６は最大押圧位置にある。また、図１５（ａ）に示すように、遊技機主部１２が開放された状態では外枠１１による押圧片３００の押圧が解除され、それに伴って押圧片３００によるプッシャ２６６の押圧が解除される。これにより、プッシャ２６６は自然状態に復帰する。図１５（ｂ）の状態から図１５（ａ）の状態に移行するタイミングで、第２監視装置２５２の検知状態（すなわち、円盤２６２の待機位置）は切替えられ、それに伴って、第２監視装置２５２から出力される検知信号パターンが切替えられる。
【０３０８】
第１監視装置２５１及び第２監視装置２５２は、上記のとおり複数段階の検知状態を備えており、監視対象の開放操作が行われる度にその検知状態が順次切替えられる。この場合に、当該検知状態は機械的な検知状態であるため、検知状態の切替えに際しては電力を要しない。よって、パチンコ機１０の電源遮断状態において、前扉枠１４や遊技機主部１２の開放操作が行われたとしても、各監視装置２５１，２５２の検知状態は切替えられる。そして、パチンコ機１０の電源が投入された状態において、検知状態に対応した検知信号パターンが各監視装置２５１，２５２から主制御装置１６２に出力される。主制御装置１６２では、各監視装置２５１，２５２から入力した検知信号パターンに基づいて、電源遮断状態における前扉枠１４や遊技機主部１２の不正開放を監視する。この主制御装置１６２における監視処理については、後に説明する。
【０３０９】
次に、パチンコ機１０の電気的構成について、図２７のブロック図に基づいて説明する。図２７では、電力の供給ラインを二重線矢印で示し、信号ラインを実線矢印で示す。
【０３１０】
主制御装置１６２に設けられた主制御基板３０１には、主制御回路３０２と停電監視回路３０３（電断監視回路）とが内蔵されている。主制御回路３０２には、ＣＰＵ３１１が搭載されている。
【０３１１】
ＣＰＵ３１１には、当該ＣＰＵ３１１により実行される各種の制御プログラムや固定値データを記憶したＲＯＭ３１２（不揮発性情報記憶手段）と、そのＲＯＭ３１２内に記憶される制御プログラムの実行に際して各種のデータ等を一時的に記憶するためのメモリであるＲＡＭ３１３（揮発性情報記憶手段）と、割込回路やタイマ回路、データ入出力回路などの各種回路が内蔵されている。なお、ＣＰＵ３１１、ＲＯＭ３１２及びＲＡＭ３１３がそれぞれ個別に１チップ化された構成としてもよい。これは、他の制御装置のＣＰＵにおいても同様である。
【０３１２】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０３１３】
ＣＰＵ３１１には、入力ポート及び出力ポートがそれぞれ設けられている。ＣＰＵ３１１の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、ＣＰＵ３１１（主制御回路３０２）には停電監視回路３０３を介して電力が供給される。
【０３１４】
一方、ＣＰＵ３１１の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０３１５】
停電監視回路３０３は、主制御回路３０２と電源及び発射制御基板３２１とを中継し、また電源及び発射制御基板３２１から出力される最大電圧である直流安定２４ボルトの電圧を監視する。そして、この電圧が２２ボルト未満になると電源遮断の発生と判断し、主制御回路３０２に対して停電信号を送信する。主制御回路３０２では、この停電信号の入力を確認することにより、その確認結果に基づいて後述する停電時処理（電断時処理）を実行する。
【０３１６】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０３１７】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０３１８】
払出制御基板３２２のＣＰＵ３３１には、入出力ポートが設けられている。ＣＰＵ３３１の入力側には、主制御回路３０２、電源及び発射制御基板３２１、及び裏パック基板２２９が接続されている。また、ＣＰＵ３３１の出力側には、主制御回路３０２及び裏パック基板２２９が接続されている。
【０３１９】
電源及び発射制御基板３２１は、電源部３２１ａと発射制御部３２１ｂとを備えている。電源部３２１ａは、例えば、遊技ホール等における商用電源（外部電源）に接続されている。そして、その商用電源から供給される外部電力に基づいて主制御回路３０２や払出制御基板３２２等に対して各々に必要な動作電力を生成するとともに、その生成した動作電力を二重線矢印で示す経路を通じて主制御回路３０２や払出制御基板３２２等に対して供給する。その概要としては、電源部３２１ａは、裏パック接続基板２２９を介して供給される交流２４ボルト電源を取り込み、各種スイッチやモータ等を駆動するための＋１２Ｖ電力、ロジック用の＋５Ｖ電力などを生成し、これら＋１２Ｖ電力、＋５Ｖ電力を主制御回路３０２や払出制御基板３２２等に対して供給する。
【０３２０】
発射制御部３２１ｂは、遊技者による遊技球発射ハンドル４１の操作にしたがって遊技球発射機構１１０の発射制御を担うものであり、遊技球発射機構１１０は所定の発射条件が整っている場合に駆動される。
【０３２１】
また、電源及び発射制御基板３２１には、電断時用電源手段としてデータ記憶保持用コンデンサ３２１ｃが搭載されている。データ記憶保持用コンデンサ３２１ｃには、電源部３２１ａが接続されており、パチンコ機１０の電源がＯＮ状態の場合（外部電源からの電力供給が行われている場合）には充電される。また、データ記憶保持用コンデンサ３２１ｃは主制御回路３０２におけるＣＰＵ３１１のＶＢＢ端子に接続されており、パチンコ機１０の電源がＯＦＦ状態の場合や商用電源における停電発生時等といった電源遮断状態（外部電源からの電力供給が遮断されている場合）では、データ記憶保持用コンデンサ３２１ｃから放電されＲＡＭ３１３に対してデータ記憶保持用電力が供給される。よって、かかる状況であっても、データ記憶保持用コンデンサ３２１ｃからデータ記憶保持用電力が供給されている間はＲＡＭ３１３に記憶されたデータが消去されることなく保持される。
【０３２２】
ちなみに、データ記憶保持用コンデンサ３２１ｃに充電された電力は主制御回路３０２のＲＡＭ３１３やその他のＲＡＭにおいてデータを記憶保持するために用いられ、電動アクチュエータなどの機器を動作させるためには用いられない。また、データ記憶保持用コンデンサ３２１ｃの容量は比較的大きく確保されており、電源遮断前にＲＡＭ３１３に記憶されていた情報は所定の期間内（例えば、１日や２日）保持される。また、電断時用電源手段は、データ記憶保持用コンデンサに限定されることはなく、バッテリや非充電式電池などであってもよい。非充電式電池の場合、パチンコ機１０の電源がＯＮ状態の際に電断時用電源手段への蓄電を行う必要はないが、定期的に交換する必要が生じる。
【０３２３】
また、電源及び発射制御基板３２１には、上記データ記憶保持用コンデンサ３２１ｃとは異なる停電時処理用コンデンサが設けられている。電源及び発射制御基板３２１では、直流安定２４ボルトの電源が２２ボルト未満になった後においても、停電時処理用コンデンサから放電することにより、後述する停電時処理の実行に十分な時間の間、制御系の駆動電源である５ボルトの出力を正常値に維持するように構成されている。これにより、主制御回路３０２などは、停電時処理を正常に実行し完了することができる。
【０３２４】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０３２５】
音声ランプ制御基板３２４のＣＰＵ３４１には入出力ポートが設けられている。ＣＰＵ３４１の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０３２６】
次に、主制御装置１６２のＣＰＵ３１１により実行される各制御処理を図２８〜図３１のフローチャート等を参照しながら説明する。かかるＣＰＵ３１１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【０３２７】
図２８は、ＮＭＩ割込み処理であり、当該処理は、停電の発生等によるパチンコ機１０の電源遮断時に実行される。すなわち、停電の発生等によりパチンコ機１０の電源が遮断されると、停電信号が電源監視回路３０３からＣＰＵ３１１のＮＭＩ端子に出力され、ＣＰＵ３１１は実行中の制御を中断してＮＭＩ割込み処理を開始する。ＮＭＩ割込み処理では、ステップＳ１０１にてＲＡＭ３１３に設けられた停電フラグ格納エリアに停電フラグをセットし、本処理を終了する。その後、後述する通常処理にて停電フラグがセットされていることが確認されることで、停電時処理が実行される。
【０３２８】
次に、タイマ割込み処理について図２９のフローチャートを用いて説明する。
【０３２９】
先ずステップＳ２０１では、各種スイッチや払出制御基板３２２などからの信号読み込み処理を実行する。その後、ステップＳ２０２では、開放検知処理を実行する。開放検知処理では、前扉枠開放センサ７８及び本体枠開放センサ２３０から入力した信号に基づいて前扉枠１４及び遊技機主部１２が開放状態であるか否かを判定し、開放状態であると判定した場合には、音声ランプ制御装置１４３に対して報知コマンドを出力するとともに外部端子板２１３を介してホールコンピュータに報知信号を出力する報知処理を実行する。これにより、外部電源からの電力供給が行われている状況で前扉枠１４又は遊技機主部１２が開放状態となっている場合には、スピーカ部２６からの報知音の出力、エラー表示ランプ部２４の点灯、及び図柄表示装置９１での報知表示が行われ、前扉枠１４又は遊技機主部１２が開放状態となっていることがパチンコ機１０の周囲に対して報知される。また、ホールコンピュータにて、前扉枠１４又は遊技機主部１２が開放状態となっていることが把握される。つまり、本パチンコ機１０は、開閉体が開放状態であることを把握する開放把握手段と、開放状態であると判定した場合に予め定められた開放報知を報知手段にて実行させる開放報知実行手段とを備えている。
【０３３０】
続くステップＳ２０３では、通常時更新処理を実行する。通常時更新処理では、第１監視装置２５１及び第２監視装置２５２からの入力信号に基づいて、それら監視装置２５１，２５２の検知状態を更新する。当該通常時更新処理については、後に説明する。その後、ステップＳ２０４にて始動入賞処理を実行する。
【０３３１】
始動入賞処理では、作動口スイッチ１５４から入力した信号に基づいて、遊技球が作動口８４に入賞したか否かを判定する。そして、遊技球が作動口８４に入賞している場合には、第１特定ランプ部９３及び図柄表示装置９１の作動保留球数が上限値未満であることを条件として、その入賞に対して大当たりを発生させるか否かの指標となるカウンタ値のＲＡＭ３１３への格納処理を実行する。当該カウンタ値が大当たりの発生に対応した値である場合には、その入賞に対応した遊技回において大当たりが発生することとなる。つまり、始動入賞処理において、大当たりといった特別遊技状態への移行抽選機能（移行判定手段）が果たされる。
【０３３２】
始動入賞処理の後、ＣＰＵ３１１は本タイマ割込み処理を一旦終了する。なお、タイマ割込み処理において、大当たりを発生させるか否かの指標となるカウンタ値を更新する処理なども実行するようにしてもよい。
【０３３３】
次に、電源投入時のリセットに伴い起動されるメイン処理について、図３０のフローチャートを用いて説明する。
【０３３４】
先ずステップＳ３０１では、電源投入に伴う初期設定処理を実行する。具体的には、従側の制御基板（払出制御基板３２２等）が動作可能な状態になるのを待つために例えば１秒程度、ウェイト処理を実行する。続くステップＳ３０２では、ＲＡＭ３１３のアクセスを許可する。
【０３３５】
その後、ステップＳ３０３では、電源及び発射制御装置２４３に設けたＲＡＭ消去スイッチ２４７がオンされているか否かを判定し、続くステップＳ３０４ではＲＡＭ３１３の停電フラグ格納バッファに停電フラグが格納されているか否かを判定する。また、ステップＳ３０５ではＲＡＭ判定値を算出し、続くステップＳ３０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３１３の作業領域アドレスにおけるチェックサム値である。なお、ＲＡＭ３１３の所定のエリアに書き込まれたキーワードが正しく保存されているか否かにより記憶保持されたデータの有効性を判断することも可能である。
【０３３６】
上述したように、本パチンコ機１０では、例えばホールの営業開始時など、電源投入時にＲＡＭデータを初期化する場合にはＲＡＭ消去スイッチ２４７を押しながら電源が投入される。従って、ＲＡＭ消去スイッチ２４７が押されていれば、ステップＳ３１２〜Ｓ３１５の処理に移行する。また、電源遮断の発生情報が設定されていない場合や、ＲＡＭ判定値（チェックサム値等）により記憶保持されたデータの異常が確認された場合も同様にステップＳ３１２〜Ｓ３１５の処理に移行する。
【０３３７】
ステップＳ３１２では、報知処理を実行する。当該報知処理では、音声ランプ制御基板３２４に報知用コマンドを出力する。これにより、スピーカ部２６からの報知音の出力、エラー表示ランプ部２４の点灯、及び図柄表示装置９１での報知表示が行われる。また、報知処理では、遊技ホールに設けられたホールコンピュータに外部端子板２１３を介して異常信号を出力する。この場合、ホールコンピュータにて、ＲＡＭデータの初期化やＲＡＭ判定値により記憶保持されたデータの異常等が把握される。なお、報知の態様を上記のものに限定されることはなく、例えば上記各態様のいずれか１つとしてもよく、上記各態様の所定の組合せとしてもよい。
【０３３８】
続くステップＳ３１３では、従側の制御基板となる払出制御基板３２２等を初期化するために、払出初期化コマンド等を出力する。続くステップＳ３１４ではＲＡＭ３１３の使用領域を０にクリアし、ステップＳ３１５ではＲＡＭ３１３の初期化処理を実行する。その後、ステップＳ３１６にて割込み許可を設定し、後述する通常処理に移行する。
【０３３９】
一方、ＲＡＭ消去スイッチ２４７が押されていない場合には、停電フラグが格納されていること、及びＲＡＭ判定値（チェックサム値等）が正常であることを条件に、ステップＳ３０７の検知状態把握処理と、ステップＳ３０８及びステップＳ３０９の検知状態の比較判定処理と、を実行する。そして、比較判定処理における判定結果に応じて、ステップＳ３１０〜ステップＳ３１１の処理又はステップＳ３１２〜ステップＳ３１５の処理を実行し、ステップＳ３１６に進む。ステップＳ３０７〜ステップＳ３０９の処理については後に詳細に説明することとする。
ステップＳ３１２〜ステップＳ３１５の処理は既に説明したとおりであるため、ステップＳ３１０〜ステップＳ３１１の処理を説明すると、ステップＳ３１０では停電フラグ格納バッファに格納されている停電フラグをクリアし、ステップＳ３１１にて従側の制御基板を電源遮断前の遊技状態に復帰させるための復電コマンドを出力する。その後、ステップＳ３１６にて割込み許可を設定し、後述する通常処理に移行する。これにより、電源遮断前の状態に復帰する。
【０３４０】
次に、通常処理について、図３１のフローチャートを用いて説明する。この通常処理では遊技の主要な処理が実行される。
【０３４１】
通常処理において、ステップＳ４０１では、前回の処理で更新されたコマンド等の出力データを従側の各制御基板に出力する。具体的には、後述するコマンド設定処理にてセットされたコマンドを払出制御基板３２２等に対して出力する。また、図柄表示装置９１による第１図柄の変動表示に際して停止図柄コマンド、変動態様コマンド等を音声ランプ制御基板３２４に出力する。
【０３４２】
続くステップＳ４０２では、第１特定ランプ部９３に表示される色の切り替えを行うための第１特定ランプ部制御処理を実行する。第１特定ランプ部制御処理では、大当たり判定や第１特定ランプ部９３に配設されたＬＥＤランプの光源スイッチのオンオフ制御などが行われる。そして、第１特定ランプ制御処理では、始動入賞処理にて格納されたカウンタ値に基づいて大当たりを発生させると判定した場合、遊技状態を大当たり状態に移行させる。つまり、第１特定ランプ制御処理において、特別遊技状態への移行機能（移行手段）が果たされる。なお、第１特定ランプ部制御処理において、図柄表示装置９１による第１図柄の変動表示の設定も行われる。
【０３４３】
第１特定ランプ部制御処理の後は、ステップＳ４０３にて大入賞口開閉処理を実行する。大入賞口開閉処理では、大当たり状態である場合において可変入賞装置８３の大入賞口を開放又は閉鎖する。すなわち、大当たり状態のラウンド毎に大入賞口を開放し、大入賞口の最大開放時間が経過したか、又は大入賞口に遊技球が規定数だけ入賞したかを判定する。この規定数だけ入賞したか否かの判定は、上述した大入賞口用カウンタを確認することにより行われる。そして、これら何れかの条件が成立すると大入賞口を閉鎖する。つまり、大入賞口開閉処理において、特別遊技状態の進行機能（進行手段）が果たされる。
【０３４４】
その後、ステップＳ４０４では、第２特定ランプ部９４に表示される色の切り替え処理を行うための第２特定ランプ部制御処理を実行する。第２特定ランプ制御処理では、ゲート保留球数が１以上であることを条件に第２特定ランプ部９４における表示色の切り換えを開始する。この際、表示色の切り換え時間も設定する。そして、作動口８４に付随する電動役物を所定時間開放する場合には、第２特定ランプ部９４において所定の色の停止表示が行われる。
【０３４５】
ステップＳ４０４の後は、ステップＳ４０５にて、遊技球発射制御処理を実行する。遊技球発射制御処理では、電源及び発射制御基板３２１の発射制御部３２１ｂから発射許可信号を入力していることを条件として、所定期間（例えば、０．６ｓｅｃ）に１回、遊技球発射機構１１０のソレノイド１１１を励磁する。これにより、発射レール１１２上にある遊技球が遊技領域に向けて打ち出される。ちなみに、発射許可信号は、ＣＰＵ３１１における入力ポート３１１以外の入力ポートに入力されており、当該遊技球発射制御処理にてその入力ポートに発射許可信号があるか否かを確認する。
【０３４６】
続くステップＳ４０６では、ＲＡＭ３１３内に設けられた停電フラグ格納バッファに停電フラグが格納されているか否かを判定する。停電フラグが格納されていない場合は、繰り返し実行される複数の処理の最後の処理が終了したこととなるので、ステップＳ４０７にて次の通常処理の実行タイミングに至ったか否か、すなわち前回の通常処理の開始から所定時間（本実施形態では４ｍｓｅｃ）が経過したか否かを判定する。所定時間が経過していない場合には、ステップＳ４０６に戻り、所定時間が経過している場合には、ステップＳ４０１に戻る。
【０３４７】
一方、ステップ４０６にて、停電フラグが格納されている場合は、電源遮断が発生したことになるので、ステップＳ４０８以降の停電時処理を実行する。つまり、ステップＳ４０８では、タイマ割込み処理の発生を禁止する。続くステップＳ４０９では、電断時更新処理を実行する。この電断時更新処理については、後に説明する。その後、ステップＳ４１０にて電源が遮断されたことを示す停電コマンドを他の制御基板に対して出力する。そして、ステップＳ４１１にてＲＡＭ判定値を算出、保存し、ステップＳ４１２にてＲＡＭ３１３のアクセスを禁止した後に、電源が完全に遮断して処理が実行できなくなるまで無限ループを継続する。なお、電源が完全に遮断された後も、電源及び発射制御基板３２１のデータ記憶保持用コンデンサ３２１ｃからデータ記憶保持用電力が供給されるため、電源遮断前にＲＡＭ３１３に記憶されていた情報はそのままの状態で所定の期間内（例えば、１日や２日）保持される。
【０３４８】
次に、電源遮断中における前扉枠１４及び遊技機主部１２の不正開放の監視に関する電気的構成について、図３２のブロック図に基づいて説明する。
【０３４９】
主制御装置１６２には、第１監視装置２５１及び第２監視装置２５２が電気的に接続されている。第１監視装置２５１及び第２監視装置２５２では、既に説明したように、パチンコ機１０の電源投入中又は電源遮断中であるかに関係なく、前扉枠１４又は遊技機主部１２が開閉操作される毎に複数段階の検知状態が変更され、パチンコ機１０の電源投入中においてその検知状態の情報が主制御装置１６２に入力される。
【０３５０】
主制御装置１６２のＣＰＵ３１１では、第１監視装置２５１及び第２監視装置２５２から入力した信号に基づいて、各監視装置２５１，２５２の検知状態を把握する。この場合、ＣＰＵ３１１のＲＡＭ３１３には、第１検知状態格納エリア３１３ａ及び第２検知状態格納エリア３１３ｂが設けられている。そして、電源投入中において把握した第１監視装置２５１の検知状態は第１検知状態格納エリア３１３ａに格納され、電源投入中において把握した第２監視装置２５２の検知状態は第２検知状態格納エリア３１３ｂに格納される。ＲＡＭ３１３は、上記のとおりパチンコ機１０の電源遮断中においてもデータ記憶保持用の電力が供給され、データの記憶保持が行われる構成であるため、電源遮断時に各検知状態格納エリア３１３ａ，３１３ｂに格納されていた検知状態は、データ記憶保持用の電力が供給されている範囲において記憶保持される。ＣＰＵ３１１では、各監視装置２５１，２５２から入力する検知状態の情報に基づいて、電源遮断中における前扉枠１４及び遊技機主部１２の不正開放が行われたか否かを判定し、その判定結果に基づいて報知処理を実行する。
【０３５１】
次に、電源遮断中における前扉枠１４及び遊技機主部１２の不正開放に関して、主制御装置１６２のＣＰＵ３１１により実行される各制御処理を説明する。
【０３５２】
先ず、タイマ割込み処理（図２９）にて実行される処理について説明する。
【０３５３】
タイマ割込み処理におけるステップＳ２０１の信号読み込み処理において、第１監視装置２５１及び第２監視装置２５２から入力した信号（電気信号パターン）の読み込みが行われる。この読み込まれた信号の情報は、ＣＰＵ３１１のレジスタに記憶保持される。この場合、ＣＰＵ３１１には第１レジスタと第２レジスタとが少なくとも設けられており、第１監視装置２５１の信号の情報は第１レジスタに記憶保持され、第２監視装置２５２の信号の情報は第２レジスタに記憶保持される。これは、ＣＰＵ３１１のレジスタに関する以下の説明においても同様である。また、タイマ割込み処理におけるステップＳ２０３では、通常時更新処理を実行する。
【０３５４】
通常更新処理について、図３３のフローチャートを用いて説明する。
【０３５５】
通常時更新処理では、先ずステップＳ５０１にて、第１更新処理を実行する。第１更新処理では、信号読み込み処理にて把握した第１監視装置２５１の検知状態の情報が、ＲＡＭ３１３の第１検知状態格納エリア３１３ａに格納されている検知状態の情報と異なっている場合に、検知状態の情報の更新を実行する処理である。
【０３５６】
当該第１更新処理について詳細には、図３４のフローチャートに示すように、先ずステップＳ６０１にて比較処理を実行する。比較処理では、上記信号読み込み処理にてＣＰＵ３１１のレジスタに記憶した検知状態の情報と、ＲＡＭ３１３の第１検知状態格納エリア３１３ａに格納されている検知状態の情報とを比較する。続くステップＳ６０２では比較処理にて比較した各検知状態が一致しているか否かを判定する。その結果、一致している場合には、そのまま本第１更新処理を終了する。一方、一致していない場合には、ステップＳ６０３にて、最新の検知状態の情報、すなわちＣＰＵ３１１のレジスタに記憶されている検知状態の情報を、第１検知状態格納エリア３１３ａに格納した後に、本第１更新処理を終了する。
【０３５７】
通常更新処理の説明に戻り、ステップＳ５０１にて第１更新処理を実行した後は、ステップＳ５０２にて第２更新処理を実行する。第２更新処理では、信号読み込み処理にて把握した第２監視装置２５２の検知状態の情報が、ＲＡＭ３１３の第２検知状態格納エリア３１３ｂに格納されている検知状態の情報と異なっている場合に、検知状態の情報の更新を実行する処理である。この具体的な、処理内容については、第１更新処理と同様であるため、ここでは説明を省略する。ステップＳ５０２にて第２更新処理を実行した後に、本通常時更新処理を終了する。
【０３５８】
次に、通常処理（図３１）にて実行される処理について説明する。
【０３５９】
通常処理では、ＮＭＩ割込み処理において停電フラグがセットされた場合、上記のとおりステップＳ４０８〜ステップＳ４１２の停電時処理を実行する。そして、停電時処理では第１監視装置２５１及び第２監視装置２５２に関して、ステップＳ４０９にて電断時更新処理を実行する。
【０３６０】
電断時更新処理では、図３５のフローチャートに示すように、先ずステップＳ７０１にて信号読み込み処理を実行する。この信号読み込み処理では、第１監視装置２５１及び第２監視装置２５２から入力した信号（電気信号パターン）の読み込みが行われる。そして、この読み込まれた信号の情報は、ＣＰＵ３１１のレジスタに記憶保持される。続くステップＳ７０２では、第１更新処理を実行する。第１更新処理では既に説明したように、信号読み込み処理にて把握した第１監視装置２５１の検知状態の情報が、ＲＡＭ３１３の第１検知状態格納エリア３１３ａに格納されている検知状態の情報と異なっている場合に、検知状態の情報の更新を実行する。続くステップＳ７０３では、第２更新処理を実行する。第２更新処理では既に説明したように、信号読み込み処理にて把握した第２監視装置２５２の検知状態の情報が、ＲＡＭ３１３の第２検知状態格納エリア３１３ｂに格納されている検知状態の情報と異なっている場合に、検知状態の情報の更新を実行する。第２更新処理を実行した後に、本電断時更新処理を終了する。上記のように電断時更新処理が実行されることにより、パチンコ機１０の電源が遮断される時点での各監視装置２５１，２５２における検知状態の情報のＲＡＭ３１３への記憶が確実に行われる。
【０３６１】
次に、メイン処理（図３０）にて実行される処理について説明する。
【０３６２】
メイン処理では、各監視装置２５１，２５２に関して、ステップＳ３０７にて検知状態把握処理を実行するとともに、ステップＳ３０８及びステップＳ３０９にて比較判定処理を実行する。検知状態把握処理では、ステップＳ７０１等の信号読み込み処理と同様に、第１監視装置２５１及び第２監視装置２５２から入力した信号の読み込みが行われ、この読み込まれた信号の情報は、ＣＰＵ３１１のレジスタに記憶保持される。
【０３６３】
続くステップＳ３０８では、比較処理を実行する。比較処理では、上記検知状態把握処理にてＣＰＵ３１１のレジスタに記憶した第１監視装置２５１の検知状態の情報と、ＲＡＭ３１３の第１検知状態格納エリア３１３ａに格納されている検知状態の情報とを比較する。また、比較処理では、上記検知状態把握処理にてＣＰＵ３１１のレジスタに記憶した第２監視装置２５２の検知状態の情報と、ＲＡＭ３１３の第２検知状態格納エリア３１３ｂに格納されている検知状態の情報とを比較する。
【０３６４】
続くステップＳ３０９では、比較処理にて比較した第１監視装置２５１の各検知状態が一致しているか否かを判定するとともに、第２監視装置２５２の各検知状態が一致しているか否かを判定する。その結果、両方がそれぞれ一致している場合には、ステップＳ３１０〜ステップＳ３１１の処理を実行する。また、いずれか一方でも一致していない場合には、ステップＳ３１２〜ステップＳ３１５の処理を実行する。この場合、特にステップＳ３１２の報知処理が実行されることにより、第１監視装置２５１又は第２監視装置２５２の少なくとも一方について、電断時と復電時とで検知状態が異なっていること、すなわち電源遮断中において前扉枠１４又は遊技機主部１２が不正開放されたことが報知される。
【０３６５】
以上詳述した本実施形態によれば、以下の優れた効果を奏する。
【０３６６】
複数段階の検知状態（待機状態）が予め設定されているとともに、前扉枠１４が開閉操作されたことに機械的に連動して検知状態が当該開閉操作前の状態から変更される第１監視装置２５１を設けた。また、主制御装置１６２では、外部電源からの電力供給が遮断された時点における第１監視装置２５１の検知状態をＲＡＭ３１３にて記憶するとともに、電力供給が遮断された状況下においてその記憶内容を保持するようにした。そして、外部電源からの電力供給が開始された場合には、ＲＡＭ３１３に記憶保持されている検知状態と、電力供給の開始後に把握した検知状態とを比較し、両者が一致しない場合にはその旨の報知を行うようにした。これにより、外部電源からの電力供給が遮断されている状況において前扉枠１４が不正に開閉操作されていた場合には、その旨を遊技ホールの管理者等に報知することができ、上記不正行為に対処するよう促すことができる。
【０３６７】
複数段階の検知状態（待機状態）が予め設定されているとともに、遊技機主部１２が開閉操作されたことに機械的に連動して検知状態が当該開閉操作前の状態から変更される第２監視装置２５２を設けた。また、主制御装置１６２では、外部電源からの電力供給が遮断された時点における第２監視装置２５２の検知状態をＲＡＭ３１３にて記憶するとともに、電力供給が遮断された状況下においてその記憶内容を保持するようにした。そして、外部電源からの電力供給が開始された場合には、ＲＡＮ３１３に記憶保持されている検知状態と、電力供給の開始後に把握した検知状態とを比較し、両者が一致しない場合にはその旨の報知を行うようにした。これにより、外部電源からの電力供給が遮断されている状況において遊技機主部１２が不正に開放操作されていた場合には、その旨を遊技ホールの管理者等に報知することができ、上記不正行為に対処するよう促すことができる。
【０３６８】
また、上記のように、外部電源から電力供給が遮断された時点における各監視装置２５１，２５２の検知状態をＲＡＭ３１３に記憶するとともに、電力供給が遮断された状況下においてその記憶内容を保持するようにした。パチンコ機１０において外部電源からの電力供給が遮断されるタイミングは不規則であり、各監視装置２５１，２５２がいずれの検知状態の場合に電力供給が遮断されるかは予め特定することはできない。この場合に、外部電源からの電力供給が遮断された時点の検知状態の一定化を図ろうとすると、例えば、各監視装置２５１，２５２の検知状態に初期検知状態を設定しておくとともに、外部電源からの電力供給が遮断された時点で各監視装置２５１，２５２の検知状態を初期検知状態に変更させる必要が生じる。そうすると、各監視装置２５１，２５２の構成が複雑化してしまう。これに対して、本実施形態における構成によれば、上記のような各監視装置２５１，２５２の構成の複雑化を招くことなく、上記優れた効果を得ることができる。
【０３６９】
外部電源からの電力供給が遮断される場合に実行される停電時処理において、その時点での各監視装置２５１，２５２の検知状態をＲＡＭ３１３に記憶させるようにした。これにより、外部電源からの電力供給が遮断された時点における検知状態をＲＡＭ３１３に確実に記憶させることができる。
【０３７０】
外部電源からの電力供給が行われている状況では、タイマ割込み処理（図２９）において、各監視装置２５１，２５２の検知状態を定期的に確認するとともに、その確認した検知状態がＲＡＭ３１３に記憶されている検知状態と異なっている場合には検知状態を更新するようににした。パチンコ機１０において外部電源からの電力供給が遮断されるタイミングは不規則であり、各監視装置２５１，２５２がいずれの検知状態の場合に電力供給が遮断されるかは予め特定することはできない。この場合に、上記のように検知状態が変更された場合にはＲＡＭ３１３の記憶内容をその変更された検知状態に更新することで、外部電源からの電力供給がいずれのタイミングで遮断されたとしても、その遮断時点における検知状態をＲＡＭ３１３に記憶させておくことができる。
【０３７１】
外部電源からの電力供給の開始時に実行されるメイン処理（図３０）において、ＲＡＭ３１３に記憶されている各検知状態と、電力供給の開始後に把握した各検知状態とを比較する比較処理を実行するとともに、前者と後者とが一致しない場合には報知処理を実行するようにした。これにより、電力供給が遮断されている状況において前扉枠１４や遊技機主部１２が不正に開放操作されていた場合には、電力供給の開始後に迅速に対処することが可能となる。
【０３７２】
各監視装置２５１，２５２において、閉鎖状態にある開閉体（すなわち、前扉枠１４又は遊技機主部１２）が開放操作されたことに基づいて検知状態が当該操作前の状態から変更され、開放状態にある開閉体が閉鎖操作されたとしても検知状態が変更されないようにした。開放状態にある開閉体が閉鎖操作されたとしても検知状態が変更されないようにすることで、パチンコ機１０のメンテナンス時などといった開閉体が開放状態である状況で外部電源からの電力供給が遮断されたとしても、その後の閉鎖操作により各監視装置２５１，２５２の検知状態がＲＡＭ３１３に記憶された検知状態と異なるものとなってしまうことはない。これにより、上記のように電力供給の遮断中における開閉体の不正な開放操作を監視装置２５１，２５２により監視するようにした構成において、パチンコ機１０のメンテナンス性の低下を極力抑制することが可能となる。一方、閉鎖状態にある開閉体が開放操作されたことに基づいて各監視装置２５１，２５２が操作前の状態から変更されるため、外部電源からの電力供給が遮断された状況において、開閉体の不正な開閉操作を監視することは可能である。
【０３７３】
各監視装置２５１，２５２がいずれの検知状態にあるかが、各監視装置２５１，２５２の外観上、識別不可とした。これにより、不正行為者などに各監視装置２５１，２５２の検知状態がいずれであるかが知られてしまうことが防止できる。
【０３７４】
（第２の実施形態）
本実施形態では、監視装置の構成が上記第１の実施形態と異なっている。そこで、その相違点について図３６を参照して説明する。図３６（ａ）は自然状態における監視装置４００の断面図、図３６（ｂ）は押圧状態における監視装置４００の断面図である。なお、図３６において上記第１の実施形態と同様の構成については同一の番号を付すとともにその説明を省略する。
【０３７５】
図３６（ａ）に示すように、本実施形態の監視装置４００は、上記第１の実施形態と異なり、回転軸体２６１は無底の略筒状をなしている。この回転軸体２６１の貫通孔４０１に挿通させて開放センサ４０２が設けられている。開放センサ４０２は、土台用ケース体２５４上に固定されており、回転軸体２６１の軸部２６１ｂの先端から出没可能なピン４０３を有している。なお、開放センサ４０２は回転軸体２６１と干渉しないように設けられており、開放センサ４０２により回転軸体２６１の回転移動が阻害されることはない。
【０３７６】
上記構成では、図３６（ｂ）に示すように、プッシャ２６６が押圧され最大押圧位置にある場合、開放センサ４０２のピン４０３が押し込まれて開閉体の閉鎖が検知され、開閉体を開放した状態では、図３６（ａ）に示すように、ピン４０３が突出位置に戻って開閉体の開放が検知されるようになっている。そして、開放センサ４０２は、主制御装置１６２と電気的に接続されており、検知結果は主制御装置１６２に対して出力される。なお、この検知結果の出力は、コネクタ２９２を通じて検知装置２５８における検知結果とまとめて行われる。
【０３７７】
上記監視装置４００を前扉枠１４の第１監視装置２５１として適用することにより、第１監視装置２５１では電源遮断中の前扉枠１４の不正開放を監視する機能だけでなく、電源投入中において前扉枠１４が開放状態か否かを検知する機能も果たされる。よって、第１監視装置２５１の構成が上記第１の実施形態に比べ複雑化するものの、前扉枠開放センサ７８を第１監視装置２５１と別に設ける必要がないため、パチンコ機１０の部品点数の削減が図られる。
【０３７８】
また、上記監視装置４００を遊技機主部１２（又は本体枠１３）の第２監視装置２５２として適用することにより、第２監視装置２５２では電源遮断中の遊技機主部１２の不正開放を監視する機能だけでなく、電源投入中において遊技機主部１２が開放状態か否かを検知する機能も果たされる。よって、第２監視装置２５２の構成が上記第１の実施形態に比べ複雑化するものの、本体枠開放センサ２３０を第２監視装置２５２と別に設ける必要がないため、パチンコ機１０の部品点数の削減が図られる。
【０３７９】
（第３の実施形態）
以下、スロットマシンに関する第３の実施形態を、図面に基づいて説明する。図３７はスロットマシン４１０の前面扉４１２を開いた状態の斜視図である。
【０３８０】
図３７に示すように、スロットマシン４１０は前方に開放した箱状の筐体４１１と、筐体４１１の前面側に開閉可能に取り付けられた前面扉４１２とを備えている。前面扉４１２には表示窓４１３が形成されており、当該表示窓４１３を通じて筐体４１１の内部に設けられた絵柄表示装置としてのリールユニット４１４による図柄の可変表示が視認可能となっている。当該リールユニット４１４における図柄の可変表示は、前面扉４１２の前面に設けられた図示しないスタートレバーが操作されたことに基づいて開始され、同じく前面扉４１２の前面に設けられた図示しないストップスイッチが操作されたことに基づいて停止される。また、前面扉４１２にはその裏面に表示制御装置４１５が設置されている。表示制御装置４１５は前面扉４１２に設けられたスピーカ、ランプ、補助表示部等の駆動制御を行う機能を有している。
【０３８１】
筐体４１１内においてリールユニット４１４の上方には、主制御装置４１６が設置されている。当該主制御装置４１６による制御に基づいてリールユニット４１４において図柄の可変表示が行われるとともに、表示制御装置４１５におけるスピーカ等の駆動制御が行われる。また、主制御装置４１６は、入賞役の抽選等といった当否判定機能を有しており、リールユニット４１４における遊技結果が当否判定結果と一致することで遊技者に特典が付与される。また、筐体４１１内には、主制御装置１６２などに電力を供給する電源装置４１７が設けられている。
【０３８２】
上記スロットマシン４１０においては、パチンコ機１０と同様に、電源遮断中において前面扉４１２を不正に開放する行為が想定される。これに対して、筐体４１１には上記第１の実施形態と同様の監視装置２５０が設置されている。監視装置２５０は、前面扉４１２の開放状態では自然状態にあり、前面扉４１２の閉鎖状態では押圧状態にある。そして、電源遮断中及び電源投入中のいずれにおいても前面扉４１２の開閉操作が行われることで、監視装置２５０の検知状態が変更される。
【０３８３】
本構成によれば、電源遮断中において前面扉４１２が不正に開放されたとしても、監視装置２５０の検知状態が電源遮断時点から変更されることで、主制御装置４１６などにおいてそれを把握することができる。よって、上記不正行為に対処することができる。なお、スロットマシン４１０においては、電源遮断中において前面扉４１２を不正に開放し、主制御装置４１６を不正な制御装置に交換するといった主制御装置４１６に対する不正行為が想定される。当該不正行為に対しては、監視装置２５０を表示制御装置４１５や監視装置２５０専用の制御装置と電気的に接続し、その電気的に接続した制御装置において監視装置２５０の監視処理を行うことで、上記主制御装置４１６に対する不正行為に対処することができる。
【０３８４】
（第４の実施形態）
上記第１の実施形態における監視装置の変形例を、図３８を参照して説明する。図３８は別の監視装置４２０の内部構成を説明するための説明図であり、図３８（ａ）は自然状態を示し、図３８（ｂ）は最大押圧状態を示し、図３８（ｃ）は最大押圧状態から自然状態に復帰する途中の状態を示す。
【０３８５】
図３８（ａ）に示すように、監視装置４２０は、四角箱状のハウジング４２１を備えている。ハウジング４２１にはプッシャ４２２が設けられており、プッシャ４２２はその一端側がハウジング４２１外に突出している。プッシャ４２２はバネ４２３によりハウジング４２１の外方に向けて付勢されており、その付勢力に抗する力で押圧されることでハウジング４２１内に向けて移動する。
【０３８６】
ハウジング４２１には、連動ギア４２４が設けられている。連動ギア４２４は、その回転軸方向がプッシャ４２２の移動方向と交差している（具体的には、直交している）。連動ギア４２４は、第１ギア４２５と、当該第１ギア４２５よりも小型の第２ギア４２６とが一体形成されたものであり、これら第１ギア４２５及び第２ギア４２６は各回転軸が同一軸線上に位置するようにして当該軸線方向に並設されている。なお、これら第１ギア４２５と第２ギア４２６とが別体であり、両者を一体化して連動ギア４２４を構成してもよい。連動ギア４２４のうち第１ギア４２５は、その外周に、二等辺三角形の歯が連続して形成されたものであり、第２ギア４２６は、回転方向を一方に制限するためのラチェットとして形成されている。
【０３８７】
連動ギア４２４は、プッシャ４２２が最大押圧位置から自然状態に復帰する際に回転する。当該構成について詳細には、プッシャ４２２にはその側面から突出する爪部材４２７が取り付けられている。爪部材４２７はプッシャ４２２の内部に形成された穴部４２８に一端側が挿入されており、バネ４２９により外方に向けて付勢されている。そして、爪部材４２７に対してバネ４２９の付勢力に抗する力が加えられた場合、爪部材４２７は穴部４２８内方に向けて移動する。
【０３８８】
爪部材４２７は、自然状態において第２ギア４２６の周面と当接している。この場合、第２ギア４２６は、プッシャ４２２が最大押圧位置に向けて移動する場合には爪部材４２７が第２ギア４２６の歯を乗り越え、プッシャ４２２が最大押圧位置から自然状態に復帰する際に爪部材４２７が第２ギア４２６の歯に食い込むようになっている。
【０３８９】
連動ギア４２４は、ハウジング４２１に設置されたストッパ４３０により移動が規制されており、プッシャ４２２が最大押圧位置から自然状態に復帰するタイミング以外において回転しないようになっている。この場合、ストッパ４３０の先端は、第１ギア４２５の歯と噛み合う山形状となっている。また、ストッパ４３０は、金属（又は合成樹脂）により薄板状に形成されており、板バネとして機能する。そして、この板バネの付勢力は、プッシャ４２２を押圧するバネ４２３の付勢力よりも小さくなっている。
【０３９０】
上記構成においては、プッシャ４２２が自然状態から最大押圧位置に移動する場合、爪部材４２７は第２ギア４２６の歯を乗り越えるため、図３８（ｂ）に示すように、連動ギア４２４は回転しない。一方、プッシャ４２２が最大押圧位置から自然状態に復帰する場合、爪部材４２７は第２ギア４２６の歯に食い込む。そして、この食い込みにより、図３８（ｃ）に示すように、連動ギア４２４をストッパ４３０の付勢力に抗して回転させる。その後、図３８（ａ）に示すように、プッシャ４２２が自然状態に復帰することで、連動ギア４２４は第１ギア４２５の歯とストッパ４３０の先端とが噛み合った状態となる。つまり、連動ギア４２４は、プッシャ４２２が最大押圧位置から自然状態に移動する場合に特定方向に回転し、その回転量は第１ギア４２５の１つの歯分となっている。さらに言うと、連動ギア４２４は、複数（具体的には、第１ギア４２５の歯の数分）の待機位置を有しており、プッシャ４２２が最大押圧位置から自然状態に移動する場合に一の待機位置から次の待機位置に回転する。
【０３９１】
上記連動ギア４２４を備えた構成において、監視装置４２０には上記第１の実施形態と同様の検知装置が内蔵されている。また、連動ギア４２４の第１ギア４２５における第２ギア４２６側とは反対側の面には被検知部が設けられている。そして、これら検知装置及び被検知部により、連動ギア４２４の待機位置が検知され、遊技機の電源投入中においてその検知結果が制御装置に出力される。
【０３９２】
以上説明した監視装置４２０によれば、プッシャ４２２の移動に連動した連動ギア４２４の回転が確実に行われるように、プッシャ４２２を押圧するバネ４２３の付勢力とストッパ４３０の付勢力とを正確に調整する必要がある点で上記第１の実施形態の管理装置２５０よりも設計が難化するものの、遊技機の電源遮断中における開閉体の不正開放が行われた場合には検知状態が変更されるため、当該不正開放に対処することができる。また、開閉体が閉鎖操作された場合には検知状態が変更することなく、開閉体が開放操作された場合に検知状態が変更するようにすることができる。
【０３９３】
（第５の実施形態）
本実施形態では、前扉枠１４や本体枠１３の不正開放を監視する構成が上記第１の実施形態と異なっている。そこで、本実施形態における不正開放の監視に関する構成を以下に説明する。なお、以下の説明では、上記第１の実施形態と同一の構成については、各図面において同一の番号を付すとともにその説明を基本的に省略する。図３９は本実施形態におけるパチンコ機１０の主要な構成を展開して示す斜視図、図４０は裏パックユニット１５の正面図である。
【０３９４】
図３９に示すように、本体枠１３における樹脂ベース７１の上部には、前扉枠１４の開放の状態を検出するための前扉枠開放スイッチ４９１が設けられている。前扉枠開放スイッチ４９１は、機械的なスイッチであって樹脂ベース７１の前面に出没可能なピンを有しており、そのピンはバネなどの付勢手段により突出方向に付勢されている。本体枠１３に対して前扉枠１４が開放されている場合、ピンは付勢手段により付勢されて突出しており、本体枠１３に対して前扉枠１４が閉鎖されている場合、ピンは付勢手段の付勢力に抗して押し込まれている。前扉枠開放スイッチ４９１は、開状態（第１状態）又は閉状態（第２状態）への移行が可能となっており、ピンが突出している場合は開状態となり、ピンが押し込まれている場合は閉状態となる。
【０３９５】
前扉枠開放スイッチ４９１は、常開式のスイッチであり、前扉枠第１接点４９１ａと前扉枠第２接点４９１ｂとを有している（図４２参照）。それら接点４９１ａ，４９１ｂは、前扉枠開放スイッチ４９１の動作に伴ってそれぞれ電気的な導通状態又は遮断状態に互いに連動して切り替えられる構成となっており、前扉枠開放スイッチ４９１が開状態にある場合には共に遮断状態に機械的に切り替えられ、前扉枠開放スイッチ４９１が閉状態にある場合には共に導通状態に機械的に切り替えられる。なお、前扉枠第１接点４９１ａと前扉枠第２接点４９１ｂとは、図示しない絶縁部により電気的に絶縁されている。ここで、本実施形態では、図３９に示すように、第１監視装置２５１は設けられていない。
【０３９６】
図４０に示すように、裏パック２０１の右上部には、本体枠１３（遊技機主部１２）の開放の状態を検出するための本体枠開放スイッチ４９２が設けられている。本体枠開放スイッチ４９２は、機械的なスイッチであってベース部２１１の側面に出没可能な突出部を有している。突出部の内側には、付勢力を有する金属接点が取り付けられており、突出部はその金属接点の付勢力により突出方向に付勢されている。外枠１１に対して本体枠１３が開放されている場合、突出部は金属接点により付勢されて突出しており、外枠１１に対して本体枠１３が閉鎖されている場合、突出部は金属接点の付勢力に抗して押し込まれている。本体枠開放スイッチ４９２は、開状態又は閉状態への移行が可能となっており、突出部が突出している場合は開状態となり、突出部が押し込まれている場合は閉状態となる。
【０３９７】
本体枠開放スイッチ４９２は、常開式のスイッチであり、第１接点と第２接点とを有している。それら接点は、本体枠開放スイッチ４９２の機械的な動作に伴ってそれぞれ電気的な導通状態又は遮断状態に互いに連動して切り替えられる構成となっており、本体枠開放スイッチ４９２が開状態にある場合には共に遮断状態に機械的に切り替えられ、本体枠開放スイッチ４９２が閉状態にある場合には共に導通状態に機械的に切り替えられる。なお、それら第１接点と第２接点とは、図示しない絶縁部により電気的に絶縁されている。
【０３９８】
次に、本実施形態におけるパチンコ機１０の電気的構成について、図４１のブロック図に基づいて説明する。
【０３９９】
主制御装置１６２に設けられた主制御基板４９３には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０４００】
ＲＡＭ５０３は、パチンコ機１０の電源の遮断後においても、電源及び発射制御装置２４３に設けられた電源及び発射制御基板３２１のバックアップ電源部５５１（図４２参照）から電力が供給されることで、データの記憶保持が可能な構成となっている。
【０４０１】
主制御基板４９３のＣＰＵ５０１には、アドレスバス及びデータバスで構成されるバスラインを介して入出力ポートが接続されている。主制御基板４９３の入力側には、主制御装置１６２に設けられた電源監視基板４９４、払出制御装置２４２に設けられた払出制御基板３２２が接続されている。この場合に、電源監視基板４９４には電源及び発射制御基板３２１が接続されており、主制御基板４９３には電源監視基板４９４を介して電源が供給される。
【０４０２】
主制御基板４９３の入力側には、さらに、前扉枠開放スイッチ４９１、本体枠開放スイッチ４９２及びその他図示しないスイッチ群などが接続されている。例えば、前扉枠開放スイッチ４９１は、前扉枠第１接点４９１ａと前扉枠第２接点４９１ｂとがそれぞれ独立して主制御基板４９３に接続されている。そして、本体枠１３に対して前扉枠１４が開放されている場合、その開放が前扉枠第１接点４９１ａと前扉枠第２接点４９１ｂとにより別々に検出される。また、本体枠開放スイッチ４９２は、本体枠第１接点４９２ａと本体枠第２接点４９２ｂとがそれぞれ独立して主制御基板４９３に接続されている。そして、外枠１１に対して本体枠１３が開放されている場合、その開放が本体枠第１接点４９２ａと本体枠第２接点４９２ｂとにより別々に検出される。
【０４０３】
本体枠第１接点４９２ａ及び前扉枠第１接点４９１ａは、パチンコ機１０の電源投入後における本体枠１３の開放及び前扉枠１４の開放を検出するものであり、主制御基板４９３の入力側に共通で接続されている。これに対して、本体枠第２接点４９２ｂ及び前扉枠第２接点４９１ｂは、パチンコ機１０の電源遮断後における本体枠１３の開放及び前扉枠１４の開放を検出するものであり、第１接点４９１ａ，４９２ａと同様に、主制御基板４９３のＣＰＵ５０１に共通で接続されている。
【０４０４】
一方、主制御基板４９３の出力側には、遊技盤８１に設けられた枠用外部端子板４９５の各出力端子を介して遊技ホール側のホールコンピュータ５０８が接続されている。例えば、本体枠１３や前扉枠１４が開放された場合、その旨が本体枠第１接点４９２ａや前扉枠第１接点４９１ａにより検出されると、主制御基板４９３から枠用外部端子板４９５に対して開放検出信号が出力され、その開放検出信号は、枠用外部端子板４９５の出力端子からホールコンピュータ５０８に対して出力される。
【０４０５】
枠用外部端子板４９５にはフォトカプラ５０７が設けられており、主制御基板４９３の出力側は、そのフォトカプラ５０７を介して各出力端子に接続されている。フォトカプラ５０７は、発光素子（例えば、発光ダイオード）と受光素子（例えば、フォトトランジスタ）とにより構成されている。発光素子は主制御基板４９３の出力側に接続されており、受光素子は枠用外部端子板４９５の出力端子に接続されている。フォトカプラ５０７では、入力側に電流が流れると発光素子が発光し、その発光に伴い受光素子が導通状態となる。したがって、主制御基板４９３からフォトカプラ５０７に信号が入力される（発光素子に電流が流れる）と、フォトカプラ５０７がＯＮ状態（受光素子が導通状態）となり、その信号がフォトカプラ５０７から枠用外部端子板４９５の出力端子に出力される。
【０４０６】
フォトカプラ５０７は、発光素子の発光に伴い受光素子が動作（ＯＮ）するため、入力側と出力側とは電気的に絶縁されている。したがって、順方向（入力側から出力側）への信号伝達は行われるが、逆方向（出力側から入力側）への信号伝達は行われない。すなわち、主制御基板４９３から枠用外部端子板４９５に対して信号が出力されると、その信号はフォトカプラ５０７を介してホールコンピュータ５０８に出力されるが、ホールコンピュータ５０８側から枠用外部端子板４９５に対して信号が出力されても、フォトカプラ５０７により主制御基板４９３へのその信号の入力が規制される。
【０４０７】
主制御基板４９３の出力側には、さらに、電源監視基板４９４、払出制御基板３２２が接続されている。払出制御基板３２２には、賞球コマンドなどといった各種コマンドが出力される。かかる場合に、当該各種コマンドは、ハーネスＨＬを介して一方向通信によって出力される（すなわち、コマンドを入力した旨の情報が払出制御基板３２２から主制御基板４９３に対して出力されない）。また、主制御基板４９３の出力側には、中継端子板３２３が接続されている。中継端子板３２３を介して主制御基板４９３から音声ランプ制御装置１４３に設けられた音声ランプ制御基板３２４に対して各種コマンドなどが出力される。
【０４０８】
電源監視基板４９４は、主制御基板４９３と電源及び発射制御基板３２１とを中継し、また電源及び発射制御基板３２１から出力される最大電源である直流安定２４ボルトの電源を監視する。
【０４０９】
払出制御基板３２２については、上記第１の実施形態にて説明したとおりであるため、ここでは説明を省略する。
【０４１０】
電源及び発射制御基板３２１は、メイン電源部３２１ａと発射制御部３２１ｂとを備えている。メイン電源部３２１ａは、二重線矢印で示す経路を通じて、主制御基板４９３や払出制御基板３２２等に対して各々に必要な動作電源を供給する。その概要としては、メイン電源部３２１ａは、裏パック接続基板２２９を介して供給される交流２４ボルト電源を取り込み、各種スイッチやモータ等を駆動するための＋１２Ｖ電源、ロジック用の＋５Ｖ電源、ＲＡＭのデータ記憶保持用電源などの直流電源を生成し、これら直流電源から主制御基板４９３や払出制御基板３２２等に対して電力を供給する。
【０４１１】
例えば、主制御装置１６２のＣＰＵ５０１にはＶＣＣ端子５２１（図４２参照）が設けられており、＋５Ｖの直流電力がそのＶＣＣ端子５２１に供給されることでＣＰＵ５０１が駆動する。また、ＣＰＵ５０１にはＶＢＢ端子５２２（図４２参照）が設けられており、＋５Ｖの直流電力がそのＶＢＢ端子５２２に供給されることでＲＡＭ５０３にデータが記憶保持される。
【０４１２】
発射制御部３２１ｂについては、上記第１の実施形態にて説明したとおりであるため、ここでは説明を省略する。
【０４１３】
音声ランプ制御基板３２４は、表示制御装置３２５を制御したり、各種ランプ部２３〜２５やスピーカ部２６を制御したりするものである。音声ランプ制御基板３２４は、ＣＰＵ、ＲＯＭ及びＲＡＭ等を備えており、ＣＰＵにはアドレスバス及びデータバスで構成されるバスラインを介して入出力ポートが接続されている。音声ランプ制御基板３２４の入力側には中継端子板３２３に中継されて主制御基板４９３が接続されており、主制御基板４９３から出力される各種コマンドに基づいて、表示制御装置３２５などを制御する。
【０４１４】
例えば、主制御基板４９３において、ＲＡＭ５０３のデータがクリアされていたり有効でなかったりした場合、すなわちＲＡＭ５０３のデータが正常でない場合、主制御基板４９３から音声ランプ制御基板３２４に対して表示初期化コマンドが出力される。そして、音声ランプ制御基板３２４に表示初期化コマンドが入力されると、音声ランプ制御基板３２４では、スピーカ部２６から報知音を出力させたり、エラー表示ランプ部２４を報知態様で点灯させたりする制御が行われる。これにより、ＲＡＭ５０３のデータが正常でない旨をホール管理者などに察知させることが可能となる。
【０４１５】
また、本体枠１３や前扉枠１４が開放された場合、その旨が本体枠第１接点４９２ａや前扉枠第１接点４９１ａにより検出されることで、主制御基板４９３から音声ランプ制御基板３２４に対して開放検出コマンドが出力される。そして、音声ランプ制御基板３２４に開放検出コマンドが入力されると、音声ランプ制御基板３２４では、スピーカ部２６から報知音を出力させたり、エラー表示ランプ２４を報知態様で点灯させたりする制御が行われる。これにより、本体枠１３や前扉枠１４が開放されている旨をホール管理者などに察知させることが可能となる。
【０４１６】
本実施形態では、パチンコ機１０の電源投入後には、本体枠１３や前扉枠１４が開放されるとその旨が本体枠第１接点４９２ａや前扉枠第１接点４９１ａにより検出され、電源遮断後には、本体枠１３や前扉枠１４が開放されるとバックアップ電源部５５１から主制御装置１６２のＲＡＭ５０３への電力供給が停止する構成となっている。その構成について、図４２を用いて詳細に説明する。図４２は、主制御装置１６２のＣＰＵ５０１に電力を供給するための電気的構成を示す図である。
【０４１７】
図４２において、電源及び発射制御装置２４３には、パチンコ機１０の電源遮断後にＣＰＵ５０１のＶＢＢ端子５２２（ＲＡＭ５０３）に電力を供給するバックアップ電源部５５１が設けられている。バックアップ電源部５５１には、メイン電源部３２１ａ（図４１参照）に接続されて＋５Ｖの直流電力の供給が可能なロジック電源部５５２と、パチンコ機１０の電源投入後にロジック電源部５５２からの直流電力の供給により充電されるバックアップ用コンデンサ５５３とが備えられている。ロジック電源部５５２とバックアップ用コンデンサ５５３とは直列に接続されており、それらの間には、ロジック電源部５５２への電力の逆流を防止するロジック用ダイオード５５４が設けられている。さらに、バックアップ用コンデンサ５５３とロジック用ダイオード５５４との間には主制御装置１６２が接続されている。
【０４１８】
パチンコ機１０の電源投入後には、ロジック電源部５５２により主制御装置１６２及びバックアップ用コンデンサ５５３に電圧が印加される。一方、パチンコ機１０の電源遮断後には、ロジック電源部５５２によるバックアップ用コンデンサ５５３への電圧印加が行われなくなり、バックアップ用コンデンサ５５３により電圧が印加されることで主制御装置１６２への電力供給が行われることとなる。
【０４１９】
主制御装置１６２には、ＣＰＵ５０１に電力を供給するＶＣＣ電源部５６１が備えられている。ＶＣＣ電源部５６１は、電源及び発射制御装置２４３のメイン電源部３２１ａに接続されており、＋５Ｖの直流電力の供給が可能となっている。さらに、ＶＣＣ電源部５６１は、ＣＰＵ５０１のＶＣＣ端子５２１に接続されている。ＶＣＣ電源部５６１からＶＣＣ端子５２１へはパチンコ機１０の電源投入後に電力が供給され、これにより、ＣＰＵ５０１ではＲＡＭ５０３を除いたＲＯＭ５０２や各種回路など各部に電力が供給される。パチンコ機１０の電源遮断後には、ＶＣＣ電源部５６１からＶＣＣ端子５２１への電力供給が停止される。
【０４２０】
また、主制御装置１６２には、ＣＰＵ５０１のＲＡＭ５０３に電力を供給するＶＢＢ電源部５６５と、ＶＢＢ電源部５６５への電力の逆流を防止するＶＢＢ用ダイオード５６６とが備えられている。ＶＢＢ電源部５６５は、電源及び発射制御装置２４３のメイン電源部３２１ａに接続されており、＋５Ｖの直流電力の供給が可能となっている。さらに、ＶＢＢ電源部５６５は、ＶＢＢ用ダイオード５６６を介してＣＰＵ５０１のＶＢＢ端子５２２に接続されている。パチンコ機１０の電源投入後には、ＶＢＢ電源部５６５からＶＢＢ端子５２２に電力が供給される。この場合、ＶＢＢ端子５２２からＲＡＭ５０３に電力が供給され、ＲＡＭ５０３では、電力が供給されてデータの記憶や更新などが実行可能となる。一方、パチンコ機１０の電源遮断後には、ＶＢＢ電源部５６５からＶＢＢ端子５２２への電力供給は停止される。なお、ＲＡＭ５０３にはＶＢＢ端子５２２からのみ電力供給が可能な構成となっており、ＶＢＢ端子５２２に電力が供給されることでＲＡＭ５０３に電力が供給され、ＶＢＢ端子５２２への電力供給が停止されることでＲＡＭ５０３への電力供給が停止される。
【０４２１】
ＶＢＢ端子５２２は、バックアップ経路５６７を介して電源及び発射制御装置２４３のバックアップ電源部５５１と電気的に接続されている。バックアップ経路５６７はＶＢＢ電源部５６５と並列関係となるようにＶＢＢ端子５２２に接続されている。バックアップ経路５６７には、本体枠開放スイッチ４９２の本体枠第２接点４９２ｂ及び前扉枠開放スイッチ４９１の前扉枠第２接点４９１ｂが備えられており、それら第２接点４９１ｂ，４９２ｂはＶＢＢ端子５２２とバックアップ電源部５５１との間で直列に接続されている。
【０４２２】
バックアップ経路５６７には、各第２接点４９１ｂ，４９２ｂよりもＶＢＢ端子５２２側に放電回路５６８が接続されている。放電回路５６８には放電抵抗５６９が備えられており、その放電抵抗５６９は接地されている。
【０４２３】
バックアップ経路５６７は、各第２接点４９１ｂ，４９２ｂがいずれも導通状態にある場合（本体枠１３及び前扉枠１４がいずれも閉鎖されている場合）に導通状態となり、それら第２接点４９１ｂ，４９２ｂのうち少なくとも一方が遮断状態にある場合（本体枠１３及び前扉枠１４のうち少なくとも一方が開放されている場合）に遮断状態（開放状態）となる。パチンコ機１０の電源が遮断された場合（ＶＢＢ電源部５６５からＶＢＢ端子５２２への電力供給が停止した場合）、バックアップ経路５６７が導通状態であれば、バックアップ電源部５５１のバックアップ用コンデンサ５５３からＶＢＢ端子５２２に電力が供給される。この場合、パチンコ機１０の電源遮断後でも、ＲＡＭ５０３ではデータが記憶保持されることとなる。
【０４２４】
これに対して、パチンコ機１０の電源遮断後にバックアップ経路５６７が遮断状態となると、バックアップ用コンデンサ５５３からＶＢＢ端子５２２への電力供給が停止される。この場合、ＶＢＢ電源部５６５及びバックアップ用コンデンサ５５３のいずれからもＶＢＢ端子５２２に電力が供給されず、ＲＡＭ５０３に記憶されていたデータが消失される。なお、消失されるデータはＲＡＭデータの全て又は一部のデータであり、全てのデータが消失された場合に限らず一部のデータが消失された場合でも、ＲＡＭデータが全体として変化したり破壊されたりすることとなる。すなわち、ＲＡＭデータが一部でも消失された場合はそのＲＡＭデータに異常が発生することになる。この場合、パチンコ機１０の電源投入後（パチンコ機１０が電源遮断から電源投入に復帰された後）に、ＲＡＭデータについてＣＰＵ５０１により異常判定が行われることで、ＲＡＭデータに発生している異常が発見される。
【０４２５】
バックアップ経路５６７が遮断された場合、バックアップ経路５６７に存在していた残留電荷が放電回路５６８から放出される。より詳しくは、バックアップ用コンデンサ５５３からＶＢＢ端子５２２に電力が供給される場合、バックアップ経路５６７には電荷が存在しており、その電荷が移動して電流がＶＢＢ端子５２２に流れ込み、ＶＢＢ端子５２２に電力が供給される。バックアップ経路５６７が遮断された場合、その時点でバックアップ経路５６７を移動していた電荷が残留電荷としてバックアップ経路５６７に存在することとなる。また、バックアップ経路５６７が遮断されるとバックアップ経路５６７に電圧が印加されなくなり、バックアップ経路５６７に存在している残留電荷は電位の低い方に移動する。したがって、バックアップ経路５６７における本体枠第２接点４９２ｂ及び前扉枠第２接点４９１ｂよりもＶＢＢ端子５２２側に存在する残留電荷は、放電回路５６８の放電抵抗５６９を介してグランドに放出される。
【０４２６】
例えば、バックアップ経路５６７に放電回路５６８が接続されていない構成であれば、バックアップ経路５６７が遮断された場合、バックアップ経路５６７の電位に比べてＶＢＢ端子５２２の電位の方が低くなっている。この場合、残留電荷が移動することでＶＢＢ端子５２２に電流が流れ込み、バックアップ経路５６７が遮断された後も残留電荷分の電力がＶＢＢ端子５２２に継続して供給されることとなる。
【０４２７】
バックアップ経路５６７は、実際には電気配線により構成されており、その電気配線は、本体枠開放スイッチ４９２の本体枠第２接点４９２ｂ及び前扉枠開放スイッチ４９１の前扉枠第２接点４９１ｂを経由して主制御装置１６２と電源及び発射制御装置２４３とに接続されている。したがって、電気配線はそれらの開放スイッチ４９１，４９２や制御装置１６２，２４３に接続されるために十分な長さを有しており、本体枠１３や前扉枠１４が開放された場合、電気配線に多くの残留電荷が存在していると考えられる。さらに、ＲＡＭ５０３がデータを記憶保持する際に消費する電力は少量であるため、バックアップ経路５６７が遮断されてもしばらくの間（例えば、数秒間）は、そのバックアップ経路５６７に充電された電力によりＲＡＭ５０３のデータの記憶保持が可能であると考えられる。したがって、本体枠１３や前扉枠１４の開閉動作が素早く（例えば、５秒間で）行われると、バックアップ用コンデンサ５５３からＶＢＢ端子５２２への電力供給が停止されることなく継続して行われ、ＲＡＭ５０３のデータが消失しない可能性がある。
【０４２８】
これに対して、本実施の形態では、バックアップ経路５６７が遮断された場合、バックアップ経路５６７の残留電荷が放電回路５６８に放出されるため、ＶＢＢ端子５２２への電力供給が速やかに停止される。これにより、パチンコ機１０の電源が遮断されている状態で、本体枠１３及び前扉枠１４のうち少なくとも一方が開放された場合、ＲＡＭデータに異常がより確実に発生することとなる。すなわち、本体枠１３及び前扉枠１４のうち少なくとも一方が開放された履歴がより確実にＲＡＭ５０３に残されることとなる。
【０４２９】
なお、放電回路５６８に備えられている放電抵抗５６９は、ＲＡＭ５０３（ＶＢＢ端子５２２）の内部抵抗より十分に大きい抵抗値となっており、ＶＢＢ電源部５６５又はバックアップ用コンデンサ５５３からＶＢＢ端子５２２に電力が供給されている場合は、放電回路５６８への電流の流れ込みが放電抵抗５６９により規制されることとなる。また、例えば、ＲＡＭ５０３の駆動電流が小さい場合などは、ＲＡＭ５０３に適正な大きさの電流を供給するために、放電抵抗５６９をＲＡＭ５０３の内部抵抗に比べて小さい又は同等の抵抗値としてもよい。
【０４３０】
ここで、主制御装置１６２のＣＰＵ５０１には接点用端子５２３が設けられており、接点用端子５２３は、接点用経路５７１を介してＶＢＢ電源部５６５と接続されている。この場合、接点用端子５２３は、ＶＢＢ端子５２２と並列関係となるようにＶＢＢ電源部５６５に接続されている。接点用経路５７１はＶＢＢ電源部５６５とＶＢＢ用ダイオード５６６との間に接続されており、バックアップ電源部５５１から供給される電力が接点用経路５７１に流れ込まないようになっている。接点用経路５７１には、本体枠開放スイッチ４９２の本体枠第１接点４９２ａ及び前扉枠開放スイッチ４９１の前扉枠第１接点４９１ａが備えられており、それら第１接点４９１ａ，４９２ａは接点用端子５２３とＶＢＢ電源部５６５との間で直列に接続されている。
【０４３１】
接点用経路５７１は、各第１接点４９１ａ，４９２ａがいずれも導通状態にある場合（本体枠１３及び前扉枠１４がいずれも閉鎖されている場合）に導通状態となり、それら第１接点４９１ａ，４９２ａのうち少なくとも一方が遮断状態にある場合（本体枠１３及び前扉枠１４のうち少なくとも一方が開放されている場合）に遮断状態（開放状態）となる。パチンコ機１０の電源投入後、接点用経路５７１が導通状態である場合には、ＶＢＢ電源部５６５から接点用端子５２３への電力供給が行われ、接点用端子５２３に＋５Ｖ電圧が印加される。一方、接点用経路５７１が遮断状態である場合には、ＶＢＢ電源部５６５から接点用端子５２３への電力供給が停止され、接点用端子５２３に＋５Ｖ電圧は印加されない。すなわち、本体枠１３や前扉枠１４が開放された場合、接点用端子５２３に対する電圧印加が停止される。
【０４３２】
次に、主制御装置１６２におけるＣＰＵ５０１にて実行される各種処理のうち、本実施形態におけるタイマ割込み処理について説明する。図４３は本実施形態におけるタイマ割込み処理を示すフローチャートである。
【０４３３】
先ずステップＳ８０１では、信号読み込み処理を実行する。すなわち、主制御基板４９３に接続されている各種スイッチなどからの信号を読み込むと共に、当該スイッチの状態を判定して検出情報を保存する（但し、ＲＡＭ消去スイッチ２４７の状態や停電信号を除く）。なお、検出情報の保存は、ＲＡＭ５０３内に設定された各検出情報に対応するフラグ格納エリアにフラグをセットすることにより行われる。
【０４３４】
ステップＳ８０２では、接点用端子５２３に電圧が印加されたか否かを判定する。具体的には、接点用端子５２３に対する印加電圧の大きさが所定値（例えば４Ｖ）以上であるか否かを判定する。接点用端子５２３に電圧が印加されていない場合、ステップＳ８０３に進み、本体枠１３及び前扉枠１４の少なくとも一方が開放されている（接点用経路５７１が遮断状態にある）として、ＲＡＭ５０３に設けられた開放検出フラグ格納エリアに開放検出フラグをセットする。開放検出フラグ格納エリアに開放検出フラグがセットされることにより、通常処理（図３１）の外部出力処理（ステップＳ４０１）にて開放検出コマンドが音声ランプ制御基板３２４に出力される。
【０４３５】
音声ランプ制御基板３２４は、開放検出コマンドが入力された場合に、出力音を報知音に設定してスピーカ２０を駆動させる。これにより、スピーカ２０から報知音が出力されることとなる。
【０４３６】
なお、この場合の報知音を、音声ランプ制御基板３２４に音声ランプ用表示初期化コマンドが入力された（ＲＡＭ５０３のデータに異常が発生した）場合に出力される報知音と同じ種類の可聴音としてもよい。不正防止の観点から見ると、ＲＡＭデータの異常発生は主にパチンコ機１０の電源投入時に発生すると考えられるが、パチンコ機１０の電源投入後の本体枠１３や前扉枠１４の開放は主に遊技中に発生すると考えられる。したがって、音声ランプ用開放検出コマンドに対応した報知音が、音声ランプ用表示初期化コマンドに対応した報知音と同じ種類の可聴音であっても、その報知音が出力された時の状況により、本体枠１３や前扉枠１４の開放を報知する報知音であるか否かをホール関係者などが判断することが可能となる。
【０４３７】
ここで、音声ランプ制御基板３２４にて、ＲＡＭデータの異常発生に対応した報知音と同様に、本体枠１３や前扉枠１４の開放に対応した報知音がスピーカ部２６から所定時間（例えば３０秒）だけ継続して出力される設定とすることで、報知音が出力されているパチンコ機１０をホール管理者などがより確実に発見することが可能となる。なお、例えば本体枠１３の背面に報知音停止ボタンを設け、その報知音停止ボタンが押されることでスピーカ部２６からの報知音の出力が停止する構成としてもよい。
【０４３８】
さらに、音声ランプ制御基板３２４は、開放検出コマンドが入力された場合に、報知態様でエラー表示ランプ部２４を点灯させる。ここで、この場合のエラー表示ランプ部２４の報知態様を、ＲＡＭデータの異常発生に対応した報知態様と同じものとしてもよい。これは、報知音と同様に、エラー表示ランプ部２４が点灯したときの状況により、本体枠１３や前扉枠１４の開放を報知する点灯であるか否かをホール関係者などが判断することが可能になるからである。
【０４３９】
また、ＲＡＭデータに異常が発生した場合と同様に、音声ランプ制御基板３２４にて、エラー表示ランプ部２４が所定時間（例えば３０秒）だけ報知態様で点灯する設定とすることで、エラー表示ランプ部２４が報知態様で点灯しているパチンコ機１０をホール管理者などがより確実に発見することが可能となる。なお、例えば本体枠１３の背面に点灯停止ボタンを設け、その点灯停止ボタンが押されることでエラー表示ランプ部２４の報知態様での点灯が停止する構成としてもよい。
【０４４０】
加えて、音声ランプ制御基板３２４に対して開放検出コマンドを出力する際、枠用外部端子板４９５に対して開放検出信号を出力する。開放検出信号は枠用外部端子板４９５を介してホールコンピュータ５０８に入力され、ホールコンピュータ５０８には、枠用外部端子板４９５からの開放検出信号入力の履歴が記憶される。この場合、ホールコンピュータ５０８にて、開放検出信号入力の履歴がホール管理者などに認識されることで、本体枠１３や前扉枠１４が開放されたことをホール管理者などが察知し易くなる。
【０４４１】
タイマ割込み処理（図４３）の説明に戻り、接点用端子５２３に電圧が印加されている場合、ステップＳ８０４に進み、本体枠１３及び前扉枠１４が共に閉鎖されている（接点用経路５７１が導通状態にある）として、開放検出フラグ格納エリアのデータをクリアする。この場合、開放検出フラグ格納エリアに開放検出フラグがセットされていれば、その開放検出フラグをクリアする。このように、開放検出フラグ格納エリアの復帰処理を行うことで、本体枠１３及び前扉枠１４の閉鎖後に再びそれら本体枠１３や前扉枠１４が開放されても、開放検出フラグをセットすることが可能となり、ひいてはそれら枠１３，１４の開放を検出することが可能となる。
【０４４２】
その後、ステップＳ８０５では、始動入賞処理を実行する。当該始動入賞処理については、上記第１の実施形態において既に説明したとおりであるため、ここでは説明を省略する。その後、本タイマ割込み処理を終了する。
【０４４３】
次に、本実施形態におけるメイン処理について説明する。図４４は本実施形態におけるメイン処理を示すフローチャートである。
【０４４４】
先ずステップＳ９０１では、電源投入に伴う初期設定処理を実行する。具体的には、従側の制御基板（払出制御基板３２２及び音声ランプ制御基板３２４等）が動作可能な状態になるのを待つために例えば１秒程度、ウェイト処理を実行する。続くステップＳ９０２では、ＲＡＭ５０３のアクセスを許可する。
【０４４５】
その後、ステップＳ９０３では、電源及び発射制御装置２４３に設けたＲＡＭ消去スイッチ２４７がオンされているか否かを判別し、続くステップＳ９０４ではＲＡＭ５０３の停電フラグ格納エリアに停電フラグがセットされているか否かを判別する。また、ステップＳ９０５ではＲＡＭ判定値を算出し、続くステップＳ９０６では、そのＲＡＭ判定値が電源遮断時に保存したＲＡＭ判定値と一致するか否か、すなわち記憶保持されたデータの有効性を判別する。
【０４４６】
ＲＡＭ判定値は、例えばＲＡＭ５０３の作業領域アドレスにおけるチェックサム値であり、チェックサム値は、ＲＡＭデータにおける全てのデータ列の総和を算出したものである。なお、チェックサム値を、ＲＡＭデータにおいて指定された複数のデータ列の総和として算出してもよい。ＲＡＭ５０３への電力供給が停止した場合、ＲＡＭデータでの異常が発生するため電力供給の停止前後ではチェックサム値が一致しなくなる。そこで、電力供給の停止前後でチェックサム値が一致するか否かの判定を行い、ＲＡＭデータに異常が発生しているか否かの判定を行う。なお、ＲＡＭ５０３の所定のエリアに書き込まれたキーワードが正しく保存されているか否かにより記憶保持されたデータの有効性を判断することも可能である。
【０４４７】
上述したように、本パチンコ機１０では、例えばホールの営業開始時など、電源投入時にＲＡＭデータを初期化する場合にはＲＡＭ消去スイッチ２４７を押しながら電源が投入される。従って、ＲＡＭ消去スイッチ２４７が押されていれば、ステップＳ９０９〜Ｓ９１２の処理に移行する。
【０４４８】
また、ＲＡＭ消去スイッチ２４７が押されていなくても、電源遮断の発生情報が設定されていない場合（停電フラグがセットされていない場合）や、記憶保持されたＲＡＭデータの異常がＲＡＭ判定値により確認された場合は、ステップＳ９０９〜Ｓ９１２の処理に移行する。ＲＡＭ５０３への電力供給が停止した場合、上記したように、ＲＡＭデータに異常が発生するため、ＲＡＭ消去スイッチ２４７を押さずにパチンコ機１０の電源を投入したにも関わらず、停電フラグが消去されたりＲＡＭ判定値が不一致となったりする。したがって、ステップＳ９０９〜Ｓ９１２の処理に移行した場合は、ＲＡＭ５０３への電力供給が停止した可能性がある。すなわち、パチンコ機１０の電源遮断後に、本体枠１３及び前扉枠１４のうち少なくとも一方が開放されて、それに伴いバックアップ経路５６７が遮断状態になった可能性がある。
【０４４９】
ステップＳ９０９では、従側の制御基板となる音声ランプ制御基板３２４に対して、音声ランプ初期化コマンドを出力する。音声ランプ制御基板３２４は、音声ランプ初期化コマンドが入力された場合に、出力音を報知音に設定してスピーカ部２６を駆動させる。これにより、スピーカ部２６から報知音が出力されることとなる。なお、この場合の報知音を、遊技中の演出効果を高めるための演出音や所定のエラー時に出力されるエラー音などと異なる種類の可聴音とすると、ＲＡＭ５０３での異常発生をホール管理者などが察知し易くなる。
【０４５０】
ここで、音声ランプ制御基板３２４にて、報知音がスピーカ部２６から所定時間（例えば３０秒）だけ継続して出力される設定とすることで、報知音が出力されているパチンコ機１０をホール管理者などがより確実に発見することが可能となる。なお、例えば本体枠１３の背面に報知音停止ボタンを設け、その報知音停止ボタンが押されることでスピーカ部２６からの報知音の出力が停止する構成としてもよい。
【０４５１】
さらに、音声ランプ制御基板３２４は、音声ランプ初期化コマンドが入力された場合に、報知態様でエラー表示ランプ部２４を点灯させる。ここで、この場合のエラー表示ランプ部２４の報知態様を、他のエラー発生時の報知態様と異なるものとすると、ＲＡＭ５０３での異常発生をホール管理者などが察知し易くなる。
【０４５２】
また、音声ランプ制御基板３２４にて、エラー表示ランプ部２４が所定時間（例えば３０秒）だけ報知態様で点灯する設定とすることで、エラー表示ランプ部２４が報知態様で点灯しているパチンコ機１０をホール管理者などがより確実に発見することが可能となる。なお、例えば本体枠１３の背面に点灯停止ボタンを設け、その点灯停止ボタンが押されることでエラー表示ランプ部２４の報知態様での点灯が停止する構成としてもよい。
【０４５３】
加えて、音声ランプ制御基板３２４に対して音声ランプ初期化コマンドを出力する際、枠用外部端子板４９５に対して初期化信号を出力する。初期化信号は枠用外部端子板４９５を介してホールコンピュータ５０８に入力され、ホールコンピュータ５０８には、枠用外部端子板４９５からの初期化信号入力の履歴が記憶される。この場合、ホールコンピュータ５０８にて、表示初期化信号入力の履歴がホール管理者などに認識されることで、ＲＡＭ５０３での異常発生をホール管理者などが察知し易くなる。
【０４５４】
ステップＳ９１０では、従側の制御基板となる払出制御基板３２２を初期化するために、払出制御基板３２２に対して払出初期化コマンドを出力する。続くステップＳ９１１ではＲＡＭ５０３の使用領域を０にクリアし、ステップＳ９１２ではＲＡＭ５０３の初期化処理を実行する。その後、ステップＳ９１３にて割込み許可を設定し、後述する通常処理に移行する。
【０４５５】
一方、ＲＡＭ消去スイッチ２４７が押されていない場合には、停電フラグがセットされていること、及びＲＡＭ判定値（チェックサム値等）が正常であることを条件に、ステップＳ９０７にて停電フラグ格納エリアに格納されている停電フラグをクリアする。その後、ステップＳ９０８にて従側の制御基板（払出制御基板３２２及び音声ランプ制御基板３２４等）を電源遮断前の遊技状態に復帰させるための復電コマンドを出力する。その後、ステップＳ９１３にて割込み許可を設定し、後述する通常処理に移行する。これにより、電源遮断前の状態に復帰する。
【０４５６】
以上詳述した本実施の形態によれば、以下の優れた効果を奏する。
【０４５７】
本体枠１３及び前扉枠１４がいずれも閉鎖されている場合、電源及び発射制御装置２４３のバックアップ電源部５５１から主制御装置１６２のＶＢＢ端子５２２にバックアップ経路５６７を介して電力が供給される構成とした。このため、パチンコ機１０の電源遮断後でも、ＲＡＭ５０３に記憶されたデータを記憶保持することが可能となる。また、本体枠１３及び前扉枠１４のうち少なくとも一方が開放された場合、バックアップ電源部５５１からＶＢＢ端子５２２への電力供給がバックアップ経路５６７により停止される構成とした。このため、パチンコ機１０の電源遮断後であれば、ＶＢＢ電源部５６５及びバックアップ電源部５５１のいずれからもＶＢＢ端子５２２へは電力が供給されず、ＲＡＭ５０３に記憶されたデータの少なくとも一部が消失される。これにより、パチンコ機１０の電源が遮断されている状態で本体枠１３や前扉枠１４が開放された場合であっても、その開放を発見することができる。
【０４５８】
通常、遊技ホールでは、営業終了後にパチンコ機１０の電源が遮断されている。したがって、不正行為者が営業終了後に本体枠１３や前扉枠１４を不正に開放させても、主制御装置１６２（ＶＣＣ端子５２１）への電源供給が停止されているため、本体枠開放スイッチ４９２や前扉枠開放スイッチ４９１ではそれら枠１３，１４の開放を検出することができない。また、仮にその開放を検出することができたとしても、営業終了後は遊技ホールにホール関係者などがいないと考えられるため、営業終了後における不正開放の発生を抑制することにはならない。
【０４５９】
例えば、営業終了後に不正行為者により前扉枠１４が開放された場合、遊技盤８１に植設された釘の状態を不正に調整することで、一般入賞口８２や作動口８４を遊技球が入賞し易い状態とする不正を行い、遊技ホールの営業中に、不正を行ったパチンコ機１０から不正に利益を得るといった不正行為が行われるおそれがある。
【０４６０】
また、営業終了後に不正行為者により本体枠１３が開放された場合、本体枠１３の背面側に不正基板を設置し、不正基板から払出制御装置２４２に不正信号を入力することで払出装置２２４から強制的に遊技球を払い出させたり、一般入賞口８２や作動口８４に遊技球が入賞した際に主制御装置１６２に入力される信号と同等の信号を不正基板から主制御装置１６２に入力させることで不正に利益を得たりするといった不正行為が行われるおそれがある。
【０４６１】
上記したような不正行為に対して、上記実施の形態では、パチンコ機１０の電源投入時に、ＲＡＭ５０３に記憶されたデータに異常が確認されると、スピーカ部２６から報知音が出力されたり、エラー表示ランプ部２４が報知態様で点灯したりする構成とした。このため、遊技ホールの営業終了後にパチンコ機１０に対して不正が行われたことを、営業中（パチンコ機１０の電源投入後）にホール管理者に察知させることが可能となる。また、ＲＡＭデータに異常が確認された場合、その旨をホールコンピュータ５０８に記憶させる構成としたため、報知音の出力や報知態様でのランプ点灯が終了した後でも、不正が行われたおそれのあるパチンコ機１０を特定することが可能となる。
【０４６２】
また、特に、パチンコ機１０の電源投入後、本体枠１３及び前扉枠１４がいずれも閉鎖されている場合に、ＶＢＢ電源部５６５から主制御装置１６２の接点用端子５２３に対して接点用経路５７１を介して電力が供給され、本体枠１３及び前扉枠１４の少なくとも一方が開放された場合に、接点用経路５７１が遮断されることで接点用端子５２３に対する電力供給が停止する構成とした。このため、接点用端子５２３に対する電力供給が停止したことを確認すれば、パチンコ機１０の電源投入後における本体枠１３や前扉枠１４の開放を発見することができる。
【０４６３】
以上の結果、パチンコ機１０の電源が投入されているか否かにかかわらず、本体枠１３や前扉枠１４といった開閉体の開放を発見することができる。
【０４６４】
接点用経路５７１には本体枠開放スイッチ４９２の本体枠第１接点４９２ａと前扉枠開放スイッチ４９１の前扉枠第１接点４９１ａとが設けられており、それら第１接点４９１ａ，４９２ａがＶＢＢ電源部５６５と接点用端子５２３との間で直列に接続されている。このため、接点用経路５７１は、本体枠１３及び前扉枠１４のうち少なくとも一方が開放された場合に遮断され、本体枠１３及び前扉枠１４が共に閉鎖されている場合に導通される。これにより、本体枠１３や前扉枠１４が開放されたことを発見することができ、且つそれら枠１３，１４が閉鎖されたことを発見することができる。
【０４６５】
バックアップ経路５６７には本体枠開放スイッチ４９２の本体枠第２接点４９２ｂ及び前扉枠開放スイッチ４９１の前扉枠第２接点４９１ｂが備えられており、それら第２接点４９１ｂ，４９２ｂがバックアップ電源部５５１とＶＢＢ端子５２２との間で直列に接続されている。このため、本体枠１３及び前扉枠１４のうち少なくとも一方が開放された場合、バックアップ経路５６７を遮断状態とすることができる。したがって、この場合に、バックアップ電源部５５１からＶＢＢ端子５２２への電源供給を停止させることが可能となる。
【０４６６】
本体枠開放スイッチ４９２を、本体枠第１接点４９２ａと本体枠第２接点４９２ｂとが連動して遮断状態又は導通状態に切り替えられる構成としたため、単に本体枠開放スイッチ４９２の状態が切り替えられることで、バックアップ経路５６７と接点用経路５７１とを共に遮断又は導通させることができる。また、これら本体枠第１接点４９２ａと本体枠第２接点４９２ｂとは機械的に切り替えられるため、パチンコ機１０の電源遮断後でも、バックアップ経路５６７及び接点用経路５７１を遮断又は導通させることが可能となり、ひいては本体枠１３の開放を発見することが可能となる。さらに、本体枠第１接点４９２ａと本体枠第２接点４９２ｂとは電気的に絶縁されているため、バックアップ電源部５５１から供給される電力がバックアップ経路５６７や接点用経路５７１を介して接点用端子５２３に供給されるといった不都合の発生を抑制することができる。これにより、本体枠１３の開放をより確実に発見することができる。
【０４６７】
本体枠開放スイッチ４９２と同様に、前扉枠開放スイッチ４９１を、前扉枠第１接点４９１ａと前扉枠第２接点４９１ｂとが連動して遮断状態又は導通状態に切り替えられる構成としたため、単に前扉枠開放スイッチ４９１の状態が切り替えられることで、バックアップ経路５６７と接点用経路５７１とを共に遮断又は導通させることができる。また、これら前扉枠第１接点４９１ａと前扉枠第２接点４９１ｂとは機械的に切り替えられるため、パチンコ機１０の電源遮断後でも、バックアップ経路５６７及び接点用経路５７１を遮断又は導通させることが可能となり、ひいては本体枠１３の開放を発見することが可能となる。さらに、前扉枠第１接点４９１ａと前扉枠第２接点４９１ｂとは電気的に絶縁されているため、バックアップ電源部５５１から供給される電力がバックアップ経路５６７や接点用経路５７１を介して接点用端子５２３に供給されるといった不都合の発生を抑制することができる。これにより、前扉枠１４の開放をより確実に発見することができる。
【０４６８】
主制御基板４９３のＣＰＵ５０１により実行されるタイマ割込み処理のステップＳ８０２にて、接点用端子５２３に電圧が印加されたか否かの判定が行われるため、接点用端子５２３に電力が供給されているか否かの判定を行うことが可能となる。これにより、本体枠１３や前扉枠１４の開放を発見することが可能となる。
【０４６９】
主制御装置１６２のＣＰＵ５０１にはＶＢＢ端子５２２と接点用端子５２３とが設けられているため、バックアップ経路５６７と接点用経路５７１とのそれぞれの一端が共にＣＰＵ５０１に接続されていることになる。したがって、バックアップ経路５６７及び接点用経路５７１の電気的な接続の繁雑化を抑制することが可能となる。また、ＣＰＵ５０１により接点用端子５２３に電圧が印加されているか否かの判定が行われる場合、接点用端子５２３に対する電圧印加の状況をＣＰＵ５０１により直接検知することが可能となる。故に、パチンコ機１０の電源投入後における本体枠１３や前扉枠１４の開放をより確実に発見することが可能となる。
【０４７０】
接点用端子５２３がＶＢＢ端子５２２と電気的に並列関係となるように接点用経路５７１を介してＶＢＢ電源部５６５に接続されているため、接点用経路５７１が遮断されてもＶＢＢ電源部５６５からＶＢＢ端子５２２に対する電力供給を継続して行うことができる。したがって、パチンコ機１０の電源投入後において、本体枠１３や前扉枠１４の開放に伴って主制御装置１６２のＲＡＭ５０３のデータに異常が発生するといった不都合の発生を抑制しつつ、それら本体枠１３や前扉枠１４の開放を発見することができる。
【０４７１】
ＶＢＢ用ダイオード５６６により、バックアップ電源部５５１から供給される電力が接点用経路５７１に流れ込まないように規制されている。このため、パチンコ機１０の電源遮断後にバックアップ電源部５５１から接点用端子５２３を介して主制御装置１６２の他の部位に電力が供給されるといった不都合の発生を抑制することができる。
【０４７２】
枠用外部端子板４９５にはフォトカプラ５０７が設けられているため、主制御装置１６２からホールコンピュータ５０８への信号出力は可能となっているが、ホールコンピュータ５０８から信号が出力されてもその信号は主制御装置１６２には入力されないようになっている。このため、例えば、不正行為者がホールコンピュータ５０８側から不正信号を主制御装置１６２に出力し、主制御装置１６２を制御することで不正に利益を得るといった不都合の発生を抑制することができる。
【０４７３】
バックアップ経路５６７に放電回路５６８を接続したため、パチンコ機１０の電源遮断後に、仮に本体枠１３や前扉枠１４の開閉動作が素早く行われても、バックアップ電源部５５１からＲＡＭ５０３への電力供給を確実に停止させることができる。これにより、本体枠１３や前扉枠１４が開放された履歴をＲＡＭ５０３に確実に残すことができる。
【０４７４】
ＣＰＵ５０１にＶＢＢ端子５２２を設けたため、ＶＣＣ端子５２１への電力供給が停止された状態でも、ＲＡＭ５０３への電力供給を継続して行うことができる。これにより、バックアップ電源部５５１からＲＡＭ５０３だけへの電力供給を実現することができ、バックアップ用コンデンサ５５３の電力容量を極力小さいものとすることが可能となる。故に、バックアップ用コンデンサ５５３の小型化を実現することができ、バックアップ電源部５５１をより安価に構成することが可能となる。
【０４７５】
バックアップ電源部５５１にロジック用ダイオード５５４を設けたため、バックアップ用コンデンサ５５３からロジック電源部５５２への電力供給を規制することができる。これにより、パチンコ機１０の電源遮断後に、ロジック電源部５５２に接続されている他の機器にバックアップ用コンデンサ５５３からロジック電源部５５２を介して電力が供給されてしまうといった不都合の発生を抑制することができる。同様に、主制御装置１６２にＶＢＢ用ダイオード５６６を設けたため、バックアップ用コンデンサ５５３からＶＢＢ電源部５６５への電力供給を規制することができる。これにより、パチンコ機１０の電源遮断後に、ＶＢＢ電源部５６５に接続されている他の機器にバックアップ用コンデンサ５５３からＶＢＢ電源部５６５を介して電力が供給されてしまうといった不都合の発生を抑制することができる。
【０４７６】
バックアップ電源部５５１にバックアップ用コンデンサ５５３を設けたため、バックアップ用コンデンサ５５３が完全に放電した後も充電することで、再びバックアップ電源部５５１からＶＢＢ端子５２２に電力を供給することが可能となる。したがって、バックアップ用コンデンサ５５３が放電しても新規のバックアップ電源部５５１と取り替える必要がない。これにより、バックアップ電源部５５１を取り替えるといったメンテナンス作業を行う必要がなく、新規のバックアップ電源部５５１が必要になるといったランニングコストの増加を抑制することができる。
【０４７７】
バックアップ電源部５５１を、ＶＢＢ電源部５６５と並列関係となるようにＶＢＢ端子５２２に接続したため、ＶＢＢ電源部５６５からＶＢＢ端子５２２への電力供給が停止した際に、速やかにバックアップ電源部５５１からＶＢＢ端子５２２に電力供給を開始することが可能となる。これにより、パチンコ機１０の電源遮断時に、本体枠１３や前扉枠１４が開放されていないにも関わらずＲＡＭデータが消失してしまうといった不都合の発生を抑制することができる。また、バックアップ電源部５５１からＶＢＢ端子５２２に印加される電圧と、ＶＢＢ電源部５６５からＶＢＢ端子５２２に印加される電圧とが同一の電圧（＋５Ｖの直流電圧）であるため、パチンコ機１０の電源遮断の前後でＶＢＢ端子５２２に同一の電圧を印加することが可能となる。
【０４７８】
ＶＢＢ電源部５６５をＶＢＢ端子５２２に接続したため、パチンコ機１０への電源投入後に本体枠１３や前扉枠１４が開放されても、ＶＢＢ端子５２２への電力供給が停止されるといった不都合の発生を抑制することができる。例えば、ＶＢＢ電源部５６５がＶＢＢ端子５２２に接続されていないと、メンテナンス作業などを目的としてホール管理者等により本体枠１３や前扉枠１４が開放されたにも関わらず、ＶＢＢ端子５２２への電力供給が停止されてＲＡＭデータが消失されるおそれがある。これに対して、ＶＢＢ電源部５６５がＶＢＢ端子５２２に接続されていると、パチンコ機１０の電源遮断後における本体枠１３や前扉枠１４の不正開放を発見することができる構成としつつ、電源投入後にはＲＡＭ５０３への電源供給を停止せずに本体枠１３や前扉枠１４の開放を行うことができる。
【０４７９】
（他の実施形態）
なお、上述した各実施形態の記載内容に限定されず、例えば次のように実施してもよい。ちなみに、以下の各構成を相互に適用してもよい。
【０４８０】
（１）上記第１の実施形態では、監視手段として、複数段階の待機状態（又は検知状態）を有し、監視対象の開閉体が開閉操作される度に待機状態が段階的に変更されるとともに、開閉体の開閉操作が予め定められた回数行われた場合には元の待機状態に戻る監視装置２５０を設けたが、これを変更してもよい。例えば、遊技機の電源遮断時に電動アクチュエータなどの駆動手段によって電断時位置に移動され、遊技機の電源遮断中に開閉体が開閉操作された場合に開閉検知位置に移動する可動部材を備えた監視装置を設けてもよい。そして、可動部材は、開閉検知位置に移動した場合には上記電動アクチュエータなどの駆動手段によって移動されない限り開閉検知位置に待機する構成とする。当該構成であっても、復電された際に、可動部材が開閉検知位置にあるか否かを判定することで、電源遮断中に開閉体が不正に開閉操作されたか否かを特定することができる。
【０４８１】
（２）上記各実施形態では、監視対象の開閉体が閉鎖位置から開放位置に移動することで電断時状態とは異なる状態に変更される監視手段を設けたが、これを変更してもよい。例えば、施錠装置１３１の動作に応じて電断時状態とは異なる状態に変更される監視手段を設けてもよい。具体的には、施錠装置１３１に設けられた連動杆の移動を検知するフォトセンサを設け、電源遮断中にフォトセンサが連動杆の移動を検知した場合には、主制御装置１６２のＲＡＭ３１３といった記憶手段への電断時用電源手段からの電力供給を停止する、又はフォトセンサに対して監視専用の演算手段及び記憶手段を設置しておき、その記憶手段に検知情報を記憶させる構成とする。但し、本構成においては、電源遮断中であってもフォトセンサに電力を供給する必要があるため、電池などの監視専用電源手段を設ける必要がある。遊技機主部１２や前扉枠１４は閉鎖状態にある場合、その支持対象に対して施錠されているため、遊技機主部１２や前扉枠１４を開放位置に移動させるためには解錠操作を行う必要がある。つまり、遊技機主部１２や前扉枠１４の開放操作には、施錠装置の解錠操作と遊技機主部１２や前扉枠１４の回動操作が必要となる。この場合に、上記のとおり電源遮断中における施錠装置の解錠操作を監視可能とすることで、電源遮断中における開閉体の開放操作が監視可能となる。
【０４８２】
（３）上記第１の実施形態において、監視装置２５０を、開閉体の開閉操作を検知可能な検知可能位置と開閉体の開閉操作を検知不可能な検知不可能位置との間で移動可能とするとともに、電源が投入されている状況では監視装置２５０を検知不可能位置に待機させ、電源が遮断されている状況では監視装置２５０を検知可能位置に待機させる電動アクチュエータを設ける構成としてもよい。当該構成によれば、上記第１の実施形態よりも構成が複雑化するものの、電源が遮断されている状況での開閉体の開閉操作を監視することは可能である。
【０４８３】
（４）監視装置２５０の構成を、複数段階の検知状態の１つを初期検知状態として設定するとともに、監視装置２５０に電動アクチュエータを設け、外部電源からの電力供給が遮断される場合には、当該電動アクチュエータを駆動させることで監視装置２５０の検知状態を初期検知状態に変更させる構成としてもよい。当該構成においては、外部電源からの電力供給が遮断される場合には監視装置２５０の検知状態は必ず初期検知状態となる。したがって、電力供給が遮断される場合にＲＡＭ３１３に監視装置２５０の検知状態を記憶させる必要はない。また、ＲＯＭ３１２に初期検知状態を記憶させておき、外部電源からの電力供給が開始された場合には、ＲＯＭ３１２に記憶された初期検知状態と、電力供給の開始後に把握した監視装置２５０の検知状態とを比較することで、電力供給が遮断されている状況において開閉体の不正な開閉操作が行われたか否かを確認することができる。
【０４８４】
（５）監視装置２５０を、開閉体の開閉操作に連動して電気的に動作することで検知状態（待機状態）が変更される構成としてもよい。但し、本構成においては、監視装置２５０に対して、遊技機の電源機能とは独立した電源機能を設ける必要がある点で、上記第１〜第４の実施形態よりも遊技ホール等におけるランニングコストの増加を招くこととなるため、この点、上記各実施形態における構成が好ましい。
【０４８５】
（６）検知装置２５８において待機位置を検知するための構成を、上記第１〜第４の実施形態とは異なるものとしてもよい。例えば、上記第１の実施形態において、円盤２６２の裏面に発光素子を複数設けるとともに、それら発光素子を各待機位置に対応させて設置する。また、検知装置２５８には、上記発光素子から照射された光を受光する受光素子を設ける。そして、円盤２６２の待機位置に応じて、光を受光する受光素子の組合せを異ならせる。当該構成によれば、発光素子及び受光素子を設ける必要がある点で上記第１の実施形態よりも構成が複雑化するものの、検知装置２５８において円盤２６２の待機位置を検知することができる。
【０４８６】
（７）監視装置２５０は、監視対象の開閉体が開放状態から閉鎖操作されたとしても検知状態（待機状態）が変更されることはなく、開閉体が閉鎖状態から開放操作された場合に検知状態（待機状態）が変更される構成としたが、これを変更してもよい。
【０４８７】
（７−１）例えば、開閉体が閉鎖状態から開放操作された場合に、検知状態（待機状態）が変更される構成としてもよい。
【０４８８】
（７−２）また、開閉体が閉鎖状態から開放操作された場合及び開閉体が開放状態から閉鎖操作された場合の両方において、それぞれ検知状態（待機状態）が変更される構成としてもよい。具体的には、監視装置２５０においてケース側リブ２７７、ケース側カム溝２７８、回転子側カム溝２８４及び回転子側リブ２８５の数を上記第１の実施形態よりも半減させ、その分、これらの幅寸法を大きくする。これにより、プッシャ２６６が押圧された場合及び押圧位置から自然状態に復帰した場合のいずれにおいても円盤２６２の待機位置が変更されるようにすることができる。
【０４８９】
上記のように開閉体が閉鎖状態から開放操作された場合及び開閉体が開放状態から閉鎖操作された場合の両方において、それぞれ検知状態（待機状態）が変更される構成とした場合、当該監視装置を外部電源からの電力供給が行われている状況での開閉体の開放を監視する装置として兼用することが可能となる。具体的には、検知状態（待機状態）を３個以上の偶数個（４個，６個，８個又は２ｎ）設定し、開閉体の開放状態における検知状態と開閉体の閉鎖状態における検知状態とを同数とする。また、主制御装置１６２のＲＯＭ３１２には、開閉体の開放状態における検知状態の開放情報群と、開閉体の閉鎖状態における検知状態の閉鎖情報群とを予め記憶させておく。そして、外部電源からの電力供給が行われている状況においては、監視装置の検知状態を定期的に把握することで、検知状態が開放情報群に含まれる情報に該当する場合には開閉体が開放状態であることを特定することができ、検知状態が閉鎖情報群に含まれる情報に該当する場合には開閉体が閉鎖状態であることを特定することができる。よって、監視装置において、外部電源からの電力供給が行われている状況での開閉体の開放を監視することが可能となる。本構成の場合、上記第２の実施形態と同様に、前扉枠開放センサ７８及び本体枠開放センサ２３０を不具備とすることが可能となり、上記第１の実施形態に比べ、部材点数の削減を図ることが可能となる。
【０４９０】
（８）上記第１の実施形態における監視装置２５０では、プッシャ２６６への押圧力が解除された場合における円盤２６２の移動量の設定と、金属端子２９４の隆起接点２９５に対する被検知部２９８の位置の設定と、により、少なくとも開閉体が閉鎖状態から開放操作された場合に検知状態（待機状態）が変更される。したがって、本監視装置２５０を用いて、外部電源からの電力供給が行われている状況で開閉体が開放されたことを検知することが可能であり、それに伴って外部電源からの電力供給が行われている状況での開閉体の不正開放を監視することが可能となる。具体的には、タイマ割込み処理などにおいて監視装置２５０の検知状態を定期的に把握し、その把握した検知状態が前回把握した検知状態と一致しているか否かを特定する。なお、前回把握した検知状態の特定は、検知状態の把握を行う度にその把握した検知状態をＲＡＭ３１３に記憶させるといった更新処理を実行することで可能である。
【０４９１】
把握した検知状態が前回把握した検知状態と一致していない場合には、それは開閉体が開放されたことを意味し、その事実を主制御装置１６２にて把握することが可能となる。そして、主制御装置１６２において開閉体が開放されたことを把握した場合には、特定出力処理として、表示画面を有する表示装置、スピーカ又はランプの少なくとも一つにおいて所定時間報知を行う構成とすることで、開閉体が開放されたことをパチンコ機１０において報知することが可能となる。また、特定出力処理として、遊技ホールの管理装置（ホールコンピュータ）に開放検知信号を出力することで、例えば、当該管理装置において開閉体が開放された履歴を記憶したり、遊技ホールの監視カメラを該当するパチンコ機１０に向けたりすることが可能となる。本構成の場合、上記第２の実施形態と同様に、前扉枠開放センサ７８及び本体枠開放センサ２３０を不具備とすることが可能となり、上記第１の実施形態に比べ、部材点数の削減を図ることが可能となる。
【０４９２】
（９）上記第１の実施形態では、連動体として、プッシャ２６６の移動に応じて回転する円盤２６２を設けたが、これを変更してもよい。例えば、連動体として、プッシャ２６６の移動に応じて直線的に移動する直線可動部材を設けてもよい。具体的には、プッシャ２６６の移動方向と同一方向に移動するように直線可動部材を設置する。直線可動部材にはその移動方向に複数の押圧受け部を並設し、プッシャ２６６が押圧位置に移動する度に移動方向奥側の所定位置にある押圧受け部が押されて直線可動部材が移動するようにすることで、プッシャ２６６が押圧される度に直線可動部材が奥側に段階的に移動するようにする。そして、直線可動部材の移動方向の位置を検知する検知装置を設ける。当該構成であっても、監視装置２５０において待機状態（又は検知状態）が変更されることとなり、開閉体の不正開放を監視することは可能である。但し、本構成では、直線可動部材を初期状態に復帰させる電動アクチュエータを設ける必要が生じる。
【０４９３】
（１０）各監視装置２５１，２５２の検知状態の更新処理及び検知状態の比較処理に関する構成を上記第１の実施形態とは異なるものとしてもよい。
【０４９４】
例えば、タイマ割込み処理においても、検知状態の比較処理を実行し、その比較結果に基づいて報知処理といった特定出力処理を実行するようにしてもよい。つまり、定期的に検知状態の更新処理を実行するだけでなく、定期的に検知状態の比較処理を実行する構成としてもよい。
【０４９５】
また、タイマ割込み処理において、検知状態の更新処理、検知状態の比較処理及びその比較結果に基づいた特定出力処理を実行し（これら各処理を定期的に実行し）、外部電源からの電力供給開始時（メイン処理）や外部電源からの電力供給停止時（停電時処理）には、検知状態の更新処理、検知状態の比較処理及びその比較結果に基づいた特定出力処理をいずれも実行しないようにしてもよい。電力供給開始時や電力供給停止時には実行すべき処理数を極力少なくすることが好ましく、本構成によれば、電力供給開始時や電力供給停止時の処理数を増加させることなく、開閉体の不正開放を監視することが可能となる。なお、本構成において、外部電源からの電力供給が行われている状況でメンテナンスとして開閉体が開閉操作された場合にまで上記特定出力処理が実行されてしまうことは好ましくない。したがって、外部電源からの電力供給開始後、最初のタイマ割込み処理でのみ検知状態の比較処理を実行し、その後の電力供給が継続されている状況では、タイマ割込み処理にて検知状態の比較処理を実行しない又は検知状態が一致しない比較結果であったとしても特定出力処理を実行しない構成としてもよい。具体的には、ＲＡＭ３１３に監視完了フラグ格納エリアを設け、電力供給開始時に当該監視完了フラグ格納エリアに監視完了フラグを格納する。そして、タイマ割込み処理では、監視完了フラグが格納されている場合にのみ検知状態の比較処理又は特定出力処理を実行し、これらの処理を実行した後は監視完了フラグを消去するようにする。
【０４９６】
また、タイマ割込み処理において、検知状態の更新処理、検知状態の比較処理及びその比較結果に基づいた特定出力処理のいずれも実行することなく、外部電源からの電力供給停止時に検知状態の更新処理を実行し、外部電源からの電力供給開始時に検知状態の比較処理及びその比較結果に基づいた特定出力処理を実行するようにしてもよい。
【０４９７】
また、外部電源からの電力供給停止時には、検知状態の更新処理、検知状態の比較処理及びその比較結果に基づいた特定出力処理のいずれも実行することなく、タイマ割込み処理において検知状態の更新処理を実行し、外部電源からの電力供給開始時に検知状態の比較処理及びその比較結果に基づいた特定出力処理を実行するようにしてもよい。
【０４９８】
また、外部電源からの電力供給開始時には、検知状態の更新処理、検知状態の比較処理及びその比較結果に基づいた特定出力処理のいずれも実行することなく、外部電源からの電力供給停止時に検知状態の更新処理を実行し、タイマ割込み処理において検知状態の比較処理及びその比較結果に基づいた特定出力処理を実行するようにしてもよい。
【０４９９】
ちなみに、上記各実施形態又は上記構成において検知状態の監視に関してタイマ割込み処理にて実行する処理を通常処理にて実行するようにしてもよい。
【０５００】
（１１）上記第１の実施形態では、通常時更新処理及び電断時更新処理において、新たに確認した監視装置２５１，２５２の検知状態がＲＡＭ３１３に記憶されている検知状態と異なっている場合に、ＲＡＭ３１３における検知状態の情報の更新を行う構成としたが、これに代えて、前者の検知状態と後者の検知状態とが異なっているか否かに関係なく、ＲＡＭ３１３における検知状態の情報の更新を行うようにしてもよい。当該構成であっても、検知状態が変更された場合にはその検知状態がＲＡＭ３１３に記憶されることとなる。
【０５０１】
（１２）上記第１の実施形態において、メイン処理（図３０）にて、ＲＡＭ３１３に記憶されている検知状態と、電力供給が開始された後に把握した検知状態とが異なっていると判定した場合には、その異常専用の報知処理を実行するようにしてもよい。この場合、ＲＡＭ判定値異常などといった他の異常と上記検知状態の不一致の異常とを区別した態様で報知を行うことが可能となり、上記検知状態の不一致が発生したことを遊技ホールの管理者等に明確に知らせることができる。なお、本構成においては、検知状態が異常であった場合には、ＲＡＭ３１３の初期化処理を実行しないようにしてもよい。
【０５０２】
また、上記第１の実施形態又は上記専用の報知処理を実行する構成において、第１監視装置２５１の検知状態の異常と第２監視装置２５２の検知状態の異常とをそれぞれ区別するようにしてもよい。この場合、第１監視装置２５１の検知状態と第２監視装置２５２の検知状態とでいずれが異常であるかを、遊技ホールの管理者等に明確に知らせることができる。
【０５０３】
上記のように異常の対象を明確化することで、遊技ホールの管理者等にとっては、適切に対処することが可能となる。
【０５０４】
（１３）上記第１の実施形態において、ＲＡＭ３１３に記憶されている検知状態と、電力供給が開始された後に把握した検知状態とが異なっていると判定した場合には、報知処理に加えて又は代えて、その後の遊技を禁止する遊技禁止処理を実行するようにしてもよい。この場合、電力供給が遮断されている状況において開閉体が不正に開閉操作され、遊技機を構成する構成部品に不正が行われた場合に、その不正が行われた状態で遊技が開始されてしまうことを確実に阻止することができる。
【０５０５】
（１４）上記第１の実施形態では、前扉枠１４及び遊技機主部１２の両方に対して監視装置２５０を設けたが、いずれか一方に対して監視装置２５０を設ける構成としてもよい。
【０５０６】
（１５）上記第１の実施形態では、各監視装置２５１，２５２を主制御装置１６２と電気的に接続し、当該主制御装置１６２にて検知状態の記憶や検知状態の比較を行うようにしたが、これを変更してもよい。例えば、音声ランプ制御装置１４３、払出制御装置２４２、電源及び発射制御装置２４３又は表示制御装置３２４等にて検知状態の記憶や検知状態の比較を行うようにしてもよい。また、監視装置２５１，２５２専用の制御装置を設け、当該専用の制御装置にて検知状態の記憶や検知状態の比較を行うようにしてもよい。このように主制御装置１６２以外の制御装置において検知状態の記憶や検知状態の比較を行う構成においては、その制御装置の基板ボックスには主制御装置１６２と同様に、カシメや封印シールといった開放に際して痕跡を残す痕跡手段を設けることが好ましい。
【０５０７】
（１６）上記第１の実施形態において、第１監視装置２５１と前扉枠１４との間に押圧片を介在させ、前扉枠１４を本体枠１３に対して閉鎖した場合にはその押圧片により第１監視装置２５１のプッシャ２６６が押圧される構成としてもよい。また、第２監視装置２５２と外枠１１との間に押圧片３００を不具備とし、遊技機主部１２を外枠１２に対して閉鎖した場合には当該外枠１２により第２監視装置２５２のプッシャ２６６が押圧される構成としてもよい。
【０５０８】
（１７）上記第５の実施形態では、遊技機主部１３や前扉枠１４といった開閉体が電源遮断中に開閉操作された場合には、電断時用電源手段から主制御装置１６２のＲＡＭ５０３への電力供給が遮断される構成としたが、これを変更してもよい。例えば、開閉体が電源遮断中に開閉操作された場合には、電断時用電源手段から払出制御装置２４２のＲＡＭ３３３への電力供給が遮断される構成としてもよい。また、電源遮断中に、電断時用電源手段から音声ランプ制御装置３２４のＲＡＭや表示制御装置３２５のＲＡＭに電力供給が行われる構成においては、開閉体が電源遮断中に開閉操作された場合には、電断時用電源手段からそれらのＲＡＭへの電力供給が遮断される構成としてもよい。つまり、電断時用電源手段からは、主制御装置１６２からの指令情報に基づいて動作する従制御装置の記憶手段（揮発性記憶手段）に電力供給が行われる構成とするとともに、電源遮断中に開閉体が開閉操作された場合には、電断時用電源手段からその記憶手段への電力供給が遮断される構成とする。そして、電源の復電時には、上記記憶手段に記憶されているはずの情報が消失又は破壊されているか否かを判定するようにする（すなわち、記憶手段が電断時状態か否かを判定するようにする）。当該構成であっても、電源遮断中における開閉体の不正開放を監視することができる。
【０５０９】
（１８）また、監視専用ＲＡＭといった監視専用記憶手段を設け、電源遮断時には当該監視専用記憶手段に所定の判定用情報が記憶されているようにするとともに、電源遮断中に当該監視専用記憶手段に電力供給を行う電断時用電源手段を設ける構成としてもよい。そして、電源の復電時には、上記監視専用記憶手段に記憶されているはずの上記判定用情報が消失又は破壊されているか否かを判定するようにする（すなわち、監視専用記憶手段が電断時状態か否かを判定するようにする）。当該構成によれば、遊技情報を記憶するための記憶手段とは別の記憶手段を設ける必要がある点で上記第５の実施形態よりも構成が複雑化するものの、電源遮断中における開閉体の不正開放を監視することはできる。
【０５１０】
（１９）上記第５の実施形態では、本体枠開放スイッチ４９２及び前扉枠開放スイッチ４９１において、第１接点４９１ａ，４９２ａと第２接点４９１ｂ，４９２ｂとの状態が互いに連動して切り替えられる構成としたが、それぞれ独立して切り替えられる構成としてもよい。例えば、パチンコ機１０の電源投入後には、本体枠１３や前扉枠１４の開閉に伴う第１接点４９１ａ，４９２ａの状態の切り替えが可能になるとともに第２接点４９１ｂ，４９２ｂの状態の切り替えが不可になり、パチンコ機１０の電源遮断後には、本体枠１３や前扉枠１４の開閉に伴う第２接点４９１ｂ，４９２ｂの状態の切り替えが可能になるとともに第１接点４９１ａ，４９２ａの状態の切り替えが不可になる構成とする。この場合でも、パチンコ機１０の電源投入後には、第１接点４９１ａ，４９２ａによりバックアップ経路５６７の遮断が可能となり、パチンコ機１０の電源遮断後には、第２接点４９１ｂ，４９２ｂにより接点用経路５７１の遮断が可能となる。故に、パチンコ機１０の電源が投入されているか否かにかかわらず、本体枠１３や前扉枠１４の開放を発見することが可能となる。
【０５１１】
（２０）上記第５の実施形態では、本体枠開放スイッチ４９２及び前扉枠開放スイッチ４９１において、第１接点４９１ａ，４９２ａと第２接点４９１ｂ，４９２ｂとの状態がそれぞれ機械的に切り替えられる構成としたが、第２接点４９１ｂ，４９２ｂの状態だけが機械的に切り替えられる構成としてもよい。この場合、例えば第１接点４９１ａ，４９２ａの状態は電気的に切り替えられる構成とする。かかる構成とした場合でも、パチンコ機１０の電源遮断後に、本体枠１３や前扉枠１４が開放されると第２接点４９１ｂ，４９２ｂによりバックアップ経路５６７が遮断され、それら枠１３，１４の開放があったことを発見することができる。また、この場合、パチンコ機１０の電源投入後には、第１接点４９１ａ，４９２ａの状態が電気的に切り替えられるため、本体枠１３や前扉枠１４の開放を発見することが可能となる。
【０５１２】
（２１）上記第５の実施形態では、本体枠開放スイッチ４９２に本体枠第１接点４９２ａ及び本体枠第２接点４９２ｂが設けられているが、別々の開放スイッチに本体枠第１接点４９２ａと本体枠第２接点４９２ｂとがそれぞれ個別に設けられていてもよい。但し、この場合、本体枠１３に２つの開放スイッチが配設されている構成とする必要があるため、上記第５の実施形態で説明したように、本体枠開放スイッチ４９２に本体枠第１接点４９２ａ及び本体枠第２接点４９２ｂが設けられている構成とすることが好ましい。
【０５１３】
前扉枠開放スイッチ４９１についても、本体枠開放スイッチ４９２と同様に、前扉枠１４の開放を検出する別々の開放スイッチに前扉枠第１接点４９１ａと前扉枠第２接点４９１ｂとがそれぞれ個別に設けられていてもよい。但し、この場合、前扉枠１４に２つの開放スイッチが配設されている構成とする必要があるため、上記実施の形態で説明したように、前扉枠開放スイッチ４９１に前扉枠第１接点４９１ａ及び前扉枠第２接点４９１ｂが設けられている構成とすることが好ましい。
【０５１４】
（２２）上記第５の実施形態では、本体枠開放スイッチ４９２の本体枠第１接点４９２ａと前扉枠開放スイッチ４９１の前扉枠第１接点４９１ａとが電気的に直列に接続されている構成としたが、それら第１接点４９１ａ，４９２ａが電気的に並列に接続されている構成としてもよい。例えば、主制御装置１６２のＣＰＵ５０１に、接点用端子５２３として第１接点用端子と第２接点用端子とが設けられており、第１接点用端子は第１接点用経路を介してＶＢＢ電源部５６５と電気的に接続され、第２接点用端子は第２接点用経路を介してＶＢＢ電源部５６５と電気的に接続されている構成とする。この場合、第１接点用経路と第２接点用経路とは電気的に並列に接続されている。
【０５１５】
第１接点用経路には本体枠第１接点４９２ａが設けられており、本体枠１３が閉鎖されている場合に本体枠第１接点４９２ａが導通状態となって第１接点用端子に電圧が印加され、本体枠１３が開放されている場合に本体枠第１接点４９２ａが遮断状態となって第１接点用端子への電圧印加が停止される。一方、第２接点用経路には前扉枠第１接点４９１ａが設けられており、前扉枠１４が閉鎖されている場合に前扉枠第１接点４９１ａが導通状態となって第２接点用端子に電圧が印加され、前扉枠１４が開放されている場合に前扉枠第１接点４９１ａが遮断状態となって第２接点用端子への電圧印加が停止される。
【０５１６】
そして、第１接点用端子に電圧が印加されているか否かの判定と、第２接点用端子に電圧が印加されているか否かの判定とが別々に行われる構成とする。かかる構成とすることで、パチンコ機１０の電源投入後における本体枠１３の開放と前扉枠１４の開放とを個別に発見することができる。
【０５１７】
（２３）上記第５の実施形態では、接点用端子５２３が、ＶＢＢ端子５２２と並列関係となるようにＶＢＢ電源部５６５に接続されているが、ＶＢＢ端子５２２と直列関係となるようにＶＢＢ電源部５６５に接続されていてもよい。但し、この場合、接点用経路５７１が遮断されてもＶＢＢ電源部５６５からＶＢＢ端子５２２に対して電力が継続して供給される構成が複雑なものになるおそれがある。このため、上記実施の形態で説明したように、接点用端子５２３がＶＢＢ端子５２２と並列関係となるようにＶＢＢ電源部５６５に接続されている構成とすることが好ましい。
【０５１８】
（２４）上記第５の実施形態では、本体枠１３や前扉枠１４が開放された後に再びそれらが閉鎖された場合、開放検出フラグがクリアされる構成としたが、開放検出フラグがクリアされない構成としてもよい。但し、この場合、例えば前扉枠１４の前面側などに操作可能なスイッチが設けられ、そのスイッチが操作されることで開放検出フラグがクリアされ、スピーカ部２６から出力されている報知音などが停止される、といった構成にする必要がある。
【０５１９】
（２５）上記第５の実施形態では、パチンコ機１０の電源遮断後に本体枠１３や前扉枠１４が開放された場合、主制御装置１６２におけるＶＢＢ端子５２２への電力供給が停止することでＲＡＭ５０３に記憶されているデータに異常が発生する構成としたが、主制御装置１６２におけるタイマ回路のタイマ値に異常が発生する構成としてもよい。例えば、バックアップ経路５６７を介してバックアップ電源部５５１をタイマ回路に接続し、パチンコ機１０の電源が遮断されている時間を計測する。この場合、パチンコ機１０の電源遮断後に本体枠１３や前扉枠１４が開放されるとタイマ回路への電力供給が停止するため、その開放中にはタイマ回路による計測が行われない。その計測値と、実際に電源が遮断されていた時間とを比較し、それらの値が一致しない場合には本体枠１３や前扉枠１４の開放履歴を発見したことになる。したがって、かかる構成とした場合でも、パチンコ機１０の電源遮断後に発生した本体枠１３や前扉枠１４の開放を発見することができる。
【０５２０】
（２６）上記第５の実施形態では、本体枠１３や前扉枠１４が開放された場合に、主制御装置１６２における接点用端子５２３への電力供給が停止されることでＣＰＵ５０１において開放検出フラグがセットされる構成としたが、第１接点４９１ａ，４９２ａから接点用端子５２３に対して開放信号が出力され、その開放信号が接点用端子５２３に入力されることでＣＰＵ５０１において開放検出フラグがセットされる構成としてもよい。この場合でも、パチンコ機１０の電源投入後に、本体枠１３や前扉枠１４の開放を発見することができる。
【０５２１】
（２７）上記第５の実施形態では、接点用経路５７１が、本体枠１３や前扉枠１４が開放された場合に遮断状態になるとともに、閉鎖された場合に導通状態になる構成としたが、開放された場合に導通状態になるとともに、開放された場合に遮断状態になる構成としてもよい。但し、この場合、本体枠１３や前扉枠１４が開放されることで主制御装置１６２の接点用端子５２３に電圧が印加されるため、接点用端子５２３に電圧が印加されている場合にＣＰＵ５０１において開放検出フラグがセットされる構成にすると良い。これにより、接点用経路５７１が、本体枠１３や前扉枠１４が開放された場合に導通状態になるとともに、開放された場合に遮断状態になる構成とした場合でも、パチンコ機１０の電源投入後に、本体枠１３や前扉枠１４の開放を発見することができる。
【０５２２】
（２８）上記第５の実施形態では、接点用端子５２３は接点用経路５７１を介してＶＢＢ電源部５６５に接続されていたが、接点用経路５７１を介してバックアップ電源部５５１のロジック電源部５５２に接続されていてもよい。この場合でも、パチンコ機１０の電源投入後において、本体枠１３及び前扉枠１４が閉鎖されていると接点用端子５２３に電圧が印加され、本体枠１３や前扉枠１４が開放されると接点用端子５２３への電圧印加が停止されるため、本体枠１３や前扉枠１４の開放を発見することができる。
【０５２３】
（２９）上記第５の実施形態では、本体枠開放スイッチ４９２及び前扉枠開放スイッチ４９１において、それぞれ第１接点４９１ａ，４９２ａ及び第２接点４９１ｂ，４９２ｂの２つの接点が設けられている構成としたが、それぞれ１つの接点が設けられている構成としてもよい。例えば、本体枠開放スイッチ４９２には本体枠第２接点４９２ｂが設けられ、前扉枠開放スイッチ４９１には前扉枠第２接点４９１ｂが設けられている構成とする。
【０５２４】
この場合、主制御装置１６２における接点用端子５２３は、接点用端子５２３が、ＶＢＢ端子５２２と並列関係になるようにバックアップ経路５６７における第２接点４９１ｂ，４９２ｂとＶＢＢ端子５２２との間に接続されている。ちなみに、ＶＢＢ電源部５６５からは接点用端子５２３に電力が供給されない構成となっている。
【０５２５】
ここで、接点用端子５２３は、ＭＯＳＦＥＴなどの第１スイッチング素子を介してバックアップ経路５６７に接続されており、その第１スイッチング素子は、パチンコ機１０の電源投入後に導通状態となりパチンコ機１０の電源遮断後に遮断状態となる構成とする。この場合、パチンコ機１０の電源投入後には、第１スイッチング素子及びバックアップ経路５６７を介してバックアップ電源部５５１のロジック電源部５５２から接点用端子５２３に電圧が印加されるため、接点用端子５２３に対する電圧印加の有無を判定することで本体枠１３や前扉枠１４の開放を発見することができる。一方、パチンコ機１０の電源遮断後には、第１スイッチング素子が遮断状態となるため、バックアップ電源部５５１のバックアップ用コンデンサ５５３から接点用端子５２３に電力が供給されるといった不都合の発生を抑制することができる。
【０５２６】
また、ＶＢＢ端子５２２は、ＭＯＳＦＥＴなどの第２スイッチング素子を介してバックアップ経路５６７に接続されており、その第２スイッチング素子は、パチンコ機１０の電源投入後に遮断状態となりパチンコ機１０の電源遮断後に導通状態となる構成とする。この場合、パチンコ機１０の電源遮断後には、第２スイッチング素子及びバックアップ経路５６７を介してバックアップ用コンデンサ５５３からＶＢＢ端子５２２に電力が供給される。このため、ＲＡＭ５０３におけるデータ異常の発生の有無を判定することで、パチンコ機１０の電源遮断後に発生した本体枠１３や前扉枠１４の開放を発見することができる。一方、パチンコ機１０の電源投入後には、第２スイッチング素子が遮断状態となることでバックアップ用コンデンサ５５３からＶＢＢ端子５２２への電力供給が停止されるため、バックアップ用コンデンサ５５３による接点用端子５２３への電圧印加をより確実に行うことが可能になる。
【０５２７】
以上の結果、本体枠開放スイッチ４９２及び前扉枠開放スイッチ４９１にそれぞれ１つの接点が設けられている構成としても、パチンコ機１０の電源が投入されているか否かにかかわらず、本体枠１３や前扉枠１４の開放を発見することが可能となる。
【０５２８】
（３０）上記第５の実施形態では、主制御装置１６２のＣＰＵ５０１において、パチンコ機１０の電源投入後には、ＶＣＣ電源部５６１からＶＣＣ端子５２１に電力が供給されるとともにＶＢＢ電源部５６５からＶＢＢ端子５２２に電力が供給される構成としたが、ＶＣＣ電源部５６１からＶＣＣ端子５２１及びＶＢＢ端子５２２の両端子に電力が供給される構成としてもよい。例えば、図４５に示すように、ＣＰＵ５０１において、その内部にてＶＣＣ端子５２１とＶＢＢ端子５２２とが電気的に接続される構成とする。なお、上記実施の形態と同様に、パチンコ機１０の電源投入後における本体枠１３及び前扉枠１４の開放が本体枠第１接点４９２ａ及び前扉枠第１接点４９１ａにより検出される構成となっているが、図４５では、本体枠開放スイッチ４９２の本体枠第１接点４９２ａ、前扉枠開放スイッチ４９１の前扉枠第１接点４９１ａ、主制御装置１６２の接点用端子５２３、接点用経路５７１等の図示を省略している。
【０５２９】
図４５において、ＣＰＵ５０１には、ＶＣＣ端子５２１とＶＢＢ端子５２２とが備えられており、ＶＣＣ端子５２１とＶＢＢ端子５２２とはＣＰＵ５０１内部にて電気的に接続されている。ＶＣＣ端子５２１とＶＢＢ端子５２２との間には内部ダイオード６０１が接続されており、内部ダイオード６０１によりＶＢＢ端子５２２からＶＣＣ端子５２１への電力の逆流が防止される。ＶＣＣ端子５２１にはＶＣＣ電源部５６１が接続されており、パチンコ機１０の電源投入後には、ＶＣＣ電源部５６１からＶＣＣ端子５２１に電力が供給されるとともにＶＣＣ端子５２１を介してＶＢＢ端子５２２に電力が供給される。すなわち、ＶＣＣ電源部５６１からＶＣＣ端子５２１及びＶＢＢ端子５２２の両端子に電力が供給される。
【０５３０】
また、ＶＢＢ端子５２２は、バックアップ経路５６７を介して電源及び発射制御装置２４３と電気的に接続されている。パチンコ機１０の電源遮断後には、ＶＣＣ電源部５６１からＶＣＣ端子５２１及びＶＢＢ端子５２２への電力の供給が停止し、本体枠１３及び前扉枠１４がいずれも閉鎖されている場合、バックアップ経路５６７が導通状態（本体枠開放スイッチ４９２の本体枠第２接点４９２ｂ及び前扉枠開放スイッチ４９１の前扉枠第２接点４９１ｂがいずれも導通状態）となり、バックアップ用コンデンサ５５３からＶＢＢ端子５２２に電力が供給される。そして、本体枠１３及び前扉枠１４のうち少なくとも一方が開放された場合、バックアップ経路５６７が遮断状態（各第２接点４９１ｂ，４９２ｂのうち少なくとも一方が遮断状態）となり、バックアップ経路５６７からＶＢＢ端子５２２への電力供給が停止される。
【０５３１】
上記したように、ＶＣＣ電源部５６１からＶＣＣ端子５２１及びＶＢＢ端子５２２の両端子に電力を供給する構成としても、パチンコ機１０の電源が遮断されている状態で本体枠１３及び前扉枠１４のうち少なくとも一方が開放された場合に、ＲＡＭ５０３に記憶されているデータの少なくとも一部を消失させることができる。すなわち、本体枠１３や前扉枠１４が開放された履歴をＲＡＭ５０３に残すことができる。
【０５３２】
また、ＶＣＣ電源部５６１からＶＣＣ端子５２１及びＶＢＢ端子５２２の両端子に電力を供給する構成としたため、ＣＰＵ５０１に２つの電源から電力を供給する必要がなくなり、主制御装置１６２の構成を簡易化することが可能となる。さらに、ＣＰＵ５０１に内部ダイオード６０１が備えられているため、電力逆流を防止するダイオードをＣＰＵ５０１の外部に設ける必要がない。したがって、主制御装置１６２の構成をより一層簡易化することが可能となる。
【０５３３】
なお、かかる構成において、ＶＢＢ端子５２２に代えてＶＣＣ端子５２１にバックアップ経路５６７を接続してもよい。この場合、パチンコ機１０の電源遮断後、バックアップ用コンデンサ５５３からバックアップ経路５６７を介してＶＣＣ端子５２１に電力が供給され、さらにＶＣＣ端子５２１を介してＶＢＢ端子５２２に電力が供給される。したがって、この構成としても、パチンコ機１０の電源遮断後にＲＡＭデータの記憶保持が可能となる。
【０５３４】
（３１）上記第５の実施形態では、電源及び発射制御装置２４３がバックアップ用コンデンサ５５３を備える構成としたが、主制御装置１６２がバックアップ用コンデンサ５５３を備える構成としてもよい。例えば、図４６に示すように、主制御装置１６２にバックアップ用コンデンサ５５３が備えられ、ＶＢＢ電源部５６５からバックアップ用コンデンサ５５３に電力が供給される構成とする。なお、上記第５の実施形態と同様に、パチンコ機１０の電源投入後における本体枠１３及び前扉枠１４の開放が本体枠第１接点４９２ａ及び前扉枠第１接点４９１ａにより検出される構成となっているが、図４６では、本体枠開放スイッチ４９２の本体枠第１接点４９２ａ、前扉枠開放スイッチ４９１の前扉枠第１接点４９１ａ、主制御装置１６２の接点用端子５２３、接点用経路５７１等の図示を省略している。
【０５３５】
図４６において、主制御装置１６２にはバックアップ用コンデンサ５５３が備えられており、バックアップ用コンデンサ５５３はバックアップ経路５６７を介してＶＢＢ端子５２２に接続されている。バックアップ経路５６７には、本体枠開放スイッチ４９２の本体枠第２接点４９２ｂ及び前扉枠開放スイッチ４９１の前扉枠第２接点４９１ｂが直列に接続された状態で備えられているとともに、それら第２接点４９１ｂ，４９２ｂとＶＢＢ端子５２２との間にＶＢＢ用ダイオード５６６を介してＶＢＢ電源部５６５が接続されている。
【０５３６】
パチンコ機１０の電源投入後には、ＶＢＢ電源部５６５からＶＢＢ端子５２２にＶＢＢ用ダイオード５６６を介して電力が供給される。また、この場合、本体枠１３及び前扉枠１４がいずれも閉鎖されていると、バックアップ経路５６７が導通状態（各第２接点４９１ｂ，４９２ｂがいずれも閉状態）となり、ＶＢＢ電源部５６５からバックアップ用コンデンサ５５３に電力が供給され、その電力によりバックアップ用コンデンサ５５３の充電が行われる。これに対して、本体枠１３及び前扉枠１４のうち少なくとも一方が開放されると、バックアップ経路５６７が遮断状態（各第２接点４９１ｂ，４９２ｂのうち少なくとも一方が開状態）となり、バックアップ用コンデンサ５５３の充電が行われない。
【０５３７】
一方、パチンコ機１０の電源遮断後には、ＶＢＢ電源部５６５からＶＢＢ端子５２２への電力の供給が停止される。この場合、本体枠１３及び前扉枠１４がいずれも閉鎖されていると、バックアップ経路５６７が導通状態となってバックアップ用コンデンサ５５３からＶＢＢ端子５２２に電力が供給される。これに対して、本体枠１３及び前扉枠１４のうち少なくとも一方が開放されると、バックアップ経路５６７が遮断状態となってバックアップ用コンデンサ５５３からＶＢＢ端子５２２への電力供給が停止される。
【０５３８】
上記したように、バックアップ用コンデンサ５５３を主制御装置１６２が備える構成としても、パチンコ機１０の電源が遮断されている状態で本体枠１３及び前扉枠１４のうち少なくとも一方が開放された場合に、バックアップ用コンデンサ５５３からＶＢＢ端子５２２への電力供給を停止させることができる。これにより、本体枠１３や前扉枠１４が開放された履歴をＲＡＭ５０３に残すことができる。
【０５３９】
また、バックアップ用コンデンサ５５３が主制御装置１６２に備えられているため、主制御装置１６２と電源及び発射制御装置２４３とをバックアップ経路５６７により接続する必要がなく、配線などによる本体枠１３の背面側の繁雑化を抑制することができる。また、電源及び発射制御装置２４３がバックアップ用コンデンサ５５３を備える必要がないため、電源及び発射制御装置２４３の構成を簡易化することが可能となる。
【０５４０】
なお、かかる構成において、バックアップ用コンデンサ５５３が電源及び発射制御装置２４３に備えられていてもよい。この場合、バックアップ用コンデンサ５５３等の電力供給手段が電源及び発射制御装置２４３にまとめて搭載されるため、主制御装置１６２における構成の複雑化を抑制することが可能となる。
【０５４１】
（３２）上記第５の実施形態では、バックアップ経路５６７が本体枠開放スイッチ４９２の本体枠第２接点４９２ｂ及び前扉枠開放スイッチ４９１の前扉枠第２接点４９１ｂを備える構成としたが、バックアップ経路５６７がそれら第２接点４９１ｂ，４９２ｂを備えない構成としてもよい。例えば、図４７に示すように、バックアップ経路５６７がスイッチ切替回路６３０を備える構成とする。なお、上記第５の実施形態と同様に、パチンコ機１０の電源投入後における本体枠１３及び前扉枠１４の開放が本体枠第１接点４９２ａ及び前扉枠第１接点４９１ａにより検出される構成となっているが、図４７では、本体枠開放スイッチ４９２の本体枠第１接点４９２ａ、前扉枠開放スイッチ４９１の前扉枠第１接点４９１ａ、主制御装置１６２の接点用端子５２３、接点用経路５７１等の図示を省略している。
【０５４２】
図４７において、主制御装置１６２には、ＶＢＢ端子５２２に＋５Ｖの直流電力を供給するＶＢＢ電源部５６５と、ＶＢＢ電源部５６５からの電力供給により充電されるバックアップ電源部６１０とが備えられている。バックアップ電源部６１０とＶＢＢ端子５２２とはバックアップ経路５６７を介して電気的に接続されており、バックアップ経路５６７には、ＶＢＢ電源部５６５からの電力供給状態に応じてＯＮ状態又はＯＦＦ状態に切替可能な電源切替回路６２０と、本体枠第２接点４９２ｂ及び前扉枠第２接点４９１ｂの開閉動作に伴ってＯＮ状態又はＯＦＦ状態に切替可能なスイッチ切替回路６３０とが備えられている。また、ＶＢＢ端子５２２には電源投入経路６４１が接続されており、電源投入経路６４１を介してＶＢＢ端子５２２とＶＢＢ電源部５６５とが電気的に接続されている。
【０５４３】
バックアップ電源部６１０には、ＶＢＢ電源部５６５からの電力供給により充電されるバックアップ用コンデンサ５５３と、ＶＢＢ電源部５６５への電力の逆流を防止するダイオード６６１とが備えられている。ダイオード６１３とバックアップ用コンデンサ５５３との間には電源切替回路６２０が接続されており、ＶＢＢ電源部５６５からの電力供給が停止した場合、バックアップ用コンデンサ５５３から電源切替回路６２０への電力供給が可能となる。
【０５４４】
電源切替回路６２０には、スイッチング素子としての電源切替ＭＯＳＦＥＴ６２１とプルダウン抵抗６２２とが備えられている。電源切替ＭＯＳＦＥＴ６２１は、ゲート端子、ドレイン端子及びソース端子を有しており、ゲート端子に電圧が印加されないとドレイン端子とソース端子とが導通状態となり、ゲート端子に電圧が印加されるとドレイン端子とソース端子とが遮断状態となる。ゲート端子は電源投入経路６４１に接続され、ドレイン端子はバックアップ電源部６１０に接続され、ソース端子はスイッチ切替回路６３０に接続されている。また、ゲート端子はプルダウン抵抗６２２を介して接地されており、プルダウン抵抗６２２に電圧が印加されることでゲート端子にその電圧が安定して印加されることとなる。
【０５４５】
ゲート端子にＶＢＢ電源部５６５から＋５Ｖの電圧が印加された場合、ドレイン端子とソース端子とが遮断状態となり、電源切替回路６２０がＯＦＦ状態となる。この場合、バックアップ電源部６１０から供給された電力は電源切替回路６２０にて遮断されることとなる。一方、ゲート端子にＶＢＢ電源部５６５から＋５Ｖの電圧が印加されない場合、ドレイン端子とソース端子とが導通状態となり、電源切替回路６２０がＯＮ状態となる。この場合、バックアップ電源部６１０から電源切替回路６２０を介してスイッチ切替回路６３０に電力が供給されることとなる。
【０５４６】
なお、プルダウン抵抗６２２は、ＲＡＭ５０３の内部抵抗に比べて十分に大きな抵抗値となっている。したがって、ＶＢＢ電源部５６５から電源投入経路６４１を介してＶＢＢ端子５２２に電力が供給される際、電源投入経路６４１から電源切替回路６２０への電流の流れ込みがプルダウン抵抗６２２により規制されるため、電源切替回路６２０での電力損失の発生が抑制される。
【０５４７】
スイッチ切替回路６３０には、スイッチング素子としてのスイッチ切替ＭＯＳＦＥＴ６３１とプルアップ抵抗６３２とが備えられている。スイッチ切替ＭＯＳＦＥＴ６３１は、電源切替ＭＯＳＦＥＴ６２１と同様に、ゲート端子、ドレイン端子及びソース端子を有しており、ゲート端子に電圧が印加されないとドレイン端子とソース端子とが導通状態となり、ゲート端子に電圧が印加されるとドレイン端子とソース端子とが遮断状態となる。ゲート端子はプルアップ抵抗６３２を介して電源切替回路６２０に接続され、ドレイン端子は電源切替回路６２０に接続され、ソース端子はＶＢＢ端子５２２に接続されている。また、ゲート端子は接地経路６４２を介して接地されており、接地経路６４２には本体枠第２接点４９２ｂ及び前扉枠第２接点４９１ｂが直列に接続された状態で備えられている。
【０５４８】
接地経路６４２はゲート端子を介してプルアップ抵抗６３２と接続されている。プルアップ抵抗６３２に電圧が印加されている場合、本体枠１３及び前扉枠１４がいずれも閉鎖されていると、接地経路６４２が遮断状態（各第２接点４９１ｂ，４９２ｂのうち少なくとも一方が開状態）となり、ゲート端子に電圧が印加される。これに対して、本体枠１３及び前扉枠１４のうち少なくとも一方が開放されると、接地経路６４２が導通状態（各第２接点４９１ｂ，４９２ｂがいずれも閉状態）となり、ゲート端子には電圧が印加されない。
【０５４９】
電源切替回路６２０からスイッチ切替回路６３０に電力が供給された場合、プルアップ抵抗６３２に＋５Ｖの電圧が印加される。この場合、接地経路６４２が導通状態であれば、ゲート端子に電圧が印加されずにドレイン端子とソース端子とが導通状態となり、スイッチ切替回路６３０がＯＮ状態となる。これにより、電源切替回路６２０からスイッチ切替回路６３０を介してＶＢＢ端子５２２に電力が供給されることとなる。一方、接地経路６４２が遮断状態であれば、ゲート端子に電圧が印加されてドレイン端子とソース端子とが遮断状態となり、スイッチ切替回路６３０がＯＦＦ状態となる。これにより、電源切替回路６２０から供給された電力はスイッチ切替回路６３０にて遮断されることとなる。
【０５５０】
なお、プルアップ抵抗６３２は、ＲＡＭ５０３の内部抵抗に比べて十分に大きな抵抗値となっている。したがって、スイッチ切替回路６３０がＯＮ状態にある場合、接地経路６４２への電流の流れ込みがプルアップ抵抗６３２により規制されるため、スイッチ切替回路６３０での電力損失の発生が抑制される。
【０５５１】
上記したように、パチンコ機１０の電源投入後は、電源切替回路６２０がＯＦＦ状態となるため、ＶＢＢ電源部５６５から電源投入経路６４１を介してＶＢＢ端子５２２に電力が供給される。また、ＶＢＢ電源部５６５からはバックアップ電源部６１０に電力が供給され、その電力供給によりバックアップ用コンデンサ５５３が充電される。
【０５５２】
一方、電源遮断後には、ＶＢＢ電源部５６５からＶＢＢ端子５２２への電力供給が停止する。この場合、電源切替回路６２０がＯＮ状態となるため、本体枠１３及び前扉枠１４がいずれも閉鎖されていればスイッチ切替回路６３０がＯＮ状態となり、バックアップ電源部６１０から電源切替回路６２０及びスイッチ切替回路６３０を介してＶＢＢ端子５２２に電力が供給される。これに対して、本体枠１３及び前扉枠１４のうち少なくとも一方が開放されると、スイッチ切替回路６３０がＯＦＦ状態となるため、バックアップ電源部６１０からＶＢＢ端子５２２への電力供給が行われない。
【０５５３】
以上の結果、バックアップ経路５６７が本体枠第２接点４９２ｂ及び前扉枠第２接点４９１ｂを備えない構成としても、パチンコ機１０の電源が遮断されている状態で本体枠１３及び前扉枠１４のうち少なくとも一方が開放された場合に、バックアップ用コンデンサ５５３からＶＢＢ端子５２２への電力供給を停止させることができる。これにより、本体枠１３や前扉枠１４が開放された履歴をＲＡＭ５０３に残すことができる。
【０５５４】
また、バックアップ経路５６７が本体枠第２接点４９２ｂ及び前扉枠第２接点４９１ｂを備えていないため、バックアップ経路５６７を主制御装置１６２内に搭載することが可能となる。これにより、バックアップ経路５６７が遮断された場合に、バックアップ経路５６７に存在する残留電荷が少なくなり、放電回路５６８を必ずしも接続経路に接続する必要がなくなる。故に、主制御装置１６２の構成を簡易化することが可能となる。
【０５５５】
さらに、本体枠１３の背面側において、バックアップ経路５６７を主制御装置１６２と電源及び発射制御装置２４３とに接続する必要がなくなるため、バックアップ用コンデンサ５５３からＶＢＢ端子５２２に供給される電力に対してノイズが混入する可能性を低減することができる。故に、ノイズ混入に起因してＲＡＭデータの有効性が失われるなどといった不都合の発生を抑制することができる。
【０５５６】
加えて、各第２接点４９１ｂ，４９２ｂが接地経路６４２に備えられているため、ＶＢＢ電源部５６５及びバックアップ電源部６１０からＶＢＢ端子５２２に電力が供給される場合に、各開放スイッチ４９１，４９２への電流の流れ込みが規制されている。これにより、各開放スイッチ４９１，４９２に流れる電流を極力小さいものとすることが可能となり、それら開放スイッチ４９１，４９２を許容電流（定格電流）の小さいスイッチとすることが可能となる。また、常に電流が流れる構成に比べて各開放スイッチ４９１，４９２の経年劣化の進行を抑制することが可能となる。
【０５５７】
バックアップ経路５６７に電源切替回路６２０が備えられているため、パチンコ機１０の電源投入後はバックアップ電源部６１０からＶＢＢ端子５２２への電力供給を停止することができる。例えば、電源切替回路６２０が備えられていない構成では、パチンコ機１０の電源投入後でもバックアップ電源部６１０からＶＢＢ端子５２２に電力が供給される。この場合、バックアップ経路５６７の導通及び遮断に伴って、ＶＢＢ端子５２２に供給される電力がノイズの混入等に起因して不安定になるおそれがある。さらに、供給電圧の不安定化によりＲＡＭ５０３の動作が不安定になったりＲＡＭデータの有効性が損なわれたりする可能性がある。
【０５５８】
これに対して、電源切替回路６２０が備えられている構成では、パチンコ機１０の電源投入後は、バックアップ経路５６７が電源投入経路６４１から切り離されているため、バックアップ経路５６７の導通及び遮断が行われても電力が不安定になるおそれがない。これにより、ＲＡＭ５０３の動作が不安定になったりＲＡＭデータの有効性が損なわれたりするといった不都合の発生を抑制することができる。
【０５５９】
（３３）上記第５の実施形態では、接点用経路５７１が本体枠開放スイッチ４９２の本体枠第１接点４９２ａ及び前扉枠開放スイッチ４９１の前扉枠第１接点４９１ａを備える構成としたが、接点用経路５７１がそれら第１接点４９１ａ，４９２ａを備えない構成としてもよい。例えば、（２７）と同様に、接点用経路５７１が、本体枠第１接点４９２ａ及び前扉枠第１接点４９１ａの開閉動作に伴ってＯＮ状態又はＯＦＦ状態に切替可能スイッチ切替回路を備える構成とする。これにより、接点用経路５７１が本体枠第１接点４９２ａ及び前扉枠第１接点４９１ａを備えない構成としても、パチンコ機１０の電源投入後に本体枠１３や前扉枠１４の開放を発見することができる。
【０５６０】
（３４）上記第５の実施形態では、バックアップ経路５６７が本体枠開放スイッチ４９２及び前扉枠開放スイッチ４９１を備える構成としたが、それらのうち少なくとも一方を備える構成としてもよい。但し、この場合、パチンコ機１０の電源遮断後に、本体枠開放スイッチ４９２及び前扉枠開放スイッチ４９１のうちバックアップ経路５６７に備えられていない方のスイッチが開状態となっても、その履歴をＲＡＭ５０３に残すことができない。したがって、上記実施の形態で説明したようにバックアップ経路５６７が本体枠開放スイッチ４９２及び前扉枠開放スイッチ４９１を備える構成とすることが好ましい。
【０５６１】
（３５）上記第５の実施形態では、本体枠開放スイッチ４９２を、本体枠１３が開放状態にある場合に開状態となり本体枠１３が閉鎖状態にある場合に閉状態となる構成としたが、本体枠１３が開放状態にある場合に閉状態となり本体枠１３が閉鎖状態にある場合に開状態となる構成としてもよい。但し、この場合、バックアップ経路５６７に、本体枠開放スイッチ４９２が閉状態となることで遮断状態となるスイッチング素子を設ける必要がある。同様に、前扉枠開放スイッチ４９１を、本体枠１３が開放状態にある場合に閉状態となり本体枠１３が閉鎖状態にある場合に開状態となる構成としてもよいが、バックアップ経路５６７に、前扉枠開放スイッチ４９１が閉状態となることで遮断状態となるスイッチング素子を設ける必要がある。
【０５６２】
（３６）上記第５の実施形態では、バックアップ電源部５５１にロジック電源部５５２を備え、主制御装置１６２にＶＢＢ電源部５６５及びＶＣＣ電源部５６１を備える構成としたが、これを変更してもよい。例えば、各電源部５５２，５６１，５６５からではなく、電源及び発射制御装置２４３のメイン電源部３２１ａから、バックアップ用コンデンサ５５３、ＶＢＢ端子５２２及びＶＣＣ端子５２１に直接電力を供給してもよく、また、ＶＢＢ電源部５６５及びＶＣＣ電源部５６１を共通の電源部として構成し、その電源部からＶＢＢ端子５２２及びＶＣＣ端子５２１に電力を供給してもよい。
【０５６３】
（３７）上記第５の実施形態では、主制御装置１６２のＣＰＵ５０１がＶＣＣ端子５２１及びＶＢＢ端子５２２の端子を備える構成としたが、ＣＰＵ５０１が備える電力供給端子が１つである構成としてもよい。但し、この場合、パチンコ機１０の電源遮断後でも、ＲＡＭ５０３だけでなくＣＰＵ５０１が駆動されるため、バックアップ用コンデンサ５５３からはＣＰＵ５０１を駆動させるために必要な分の電力が供給されることとなる。したがって、バックアップ用コンデンサ５５３からＲＡＭ５０３だけに電力を供給する構成と比して、バックアップ用コンデンサ５５３の電力容量を増加させる必要があり、バックアップ用コンデンサ５５３が大型化することとなる。このため、上記実施の形態で説明したようにＣＰＵ５０１にＶＢＢ端子５２２が備えられている構成とすることが好ましい。
【０５６４】
（３８）上記第５の実施形態では、ＲＡＭデータに異常が発生しているか否かを判定する処理が主制御装置１６２でのメイン処理にて行われる構成としたが、通常処理にて行われる構成としてもよい。この場合、ＲＡＭデータに発生した異常をより確実に発見することが可能となる。
【０５６５】
（３９）上記第５の実施形態における構成をパチンコ機以外の遊技機に適用してもよい。例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組合せが成立していた場合にはメダルの払い出し等といった特典を遊技者に付与する、いわゆるスロットマシンに対して適用してもよい。
【０５６６】
図４８に示すように、スロットマシン７００には、前方に開放した箱状の筐体７０１と、筐体７０１の前面側に開閉可能に取り付けられた前面扉７０２とが備えられている。筐体７０１には、遊技を統括管理する主制御装置７０４と、主制御装置１６２や表示制御装置２１４などに電力を供給する電源装置７０５と、筐体７０１に対する前面扉１２の開放を検出する開放検出センサ７０６とが備えられており、前面扉７０２にはスピーカ，ランプ，表示部等の駆動制御を行う表示制御装置７０７が備えられている。また、電源装置７０５には、ボーナスゲームの成立確率等を複数段階に切り換え可能な設定部が備えられており、設定部へのキー操作によりボーナスゲーム確率等を低く又は高く設定することが可能となっている。
【０５６７】
そして、上記第５の実施形態と同様に、スロットマシン７００の電源遮断後に前面扉７０２が開放されると、主制御装置１６２に設けられたＲＡＭへの電力供給が開放検出センサ７０６により停止される構成となっている。したがって、スロットマシン７００の電源が遮断されている状態で前面扉７０２が開放された場合であっても、その開放を発見することができる。これにより、例えば、不正基板から主制御装置７０４に不正信号が入力されてメダルが不正行為者に不正に払い出されてしまうといった不都合の発生や、表示制御装置７０７に不正信号が入力されて表示部が不正に制御されたり、電源装置７０５の設定部が操作されてボーナスゲーム確率等が不正に高く設定されたりするといった不都合の発生を抑制することが可能となる。
【０５６８】
（４０）上記第１の実施形態では、一般入賞口８２、可変入賞装置８３、及び作動口８４などの入球部に遊技球が入った場合には、遊技球を払い出す特典を付与する構成としたが、かかる構成に限定されるものではなく、遊技者に何らかの特典が付与される構成であればよい。例えば、入球部に遊技球が入った場合に遊技球以外の賞品を払い出す構成であってもよい。
【０５６９】
（４１）上記各実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０５７０】
また、例えば、取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【符号の説明】
【０５７１】
１０…遊技機としてのパチンコ機、１１…外枠、１２…遊技機主体としての遊技機主部、１３…本体枠、１４…遊技機前面体としての前扉枠、８３…可変入賞装置、１６２…主制御装置、２２４…払出装置、２４２…払出制御装置、２５０…監視装置、２５６…ケース体としてのハウジング、２５８…検知装置、２６２…連動体及び回転体としての円盤、２６３…第１バネ、２６４…介在体としての回転子、２６６…移動体としてのプッシャ、２６６ｃ…移動体側突起としての突起、２７１…筒状領域、２７７…ケース側リブ、２７８…ケース側カム溝、２８５…介在体側突起としての回転子側リブ、２８９…介在体側カム部としての回転子側カム部、２９０…移動体側カム部としてのプッシャ側カム部、２９４…金属端子、２９８ａ…被検知部、３００…押圧片、３１１…ＣＰＵ、３１３…ＲＡＭ、３２１ｃ…電断時用電源手段としてのデータ記憶保持用コンデンサ、４９１…前扉枠開放スイッチ、４９１ａ…第１切替手段としての前扉枠第１接点、４９１ｂ…第２切替手段としての前扉枠第２接点、４９２…本体枠開放スイッチ、４９２ａ…第１切替手段としての本体枠第１接点、４９２ｂ…第２切替手段としての本体枠第２接点、５０１…開放判定手段としてのＣＰＵ、５０３…情報記憶手段としてのＲＡＭ、５０７…入力規制手段としてのフォトカプラ、５０８…外部機器としてのホールコンピュータ、５２２…記憶端子としてのＶＢＢ端子、５２３…受電部としての接点用端子、５５１…補助電源部としてのバックアップ電源部、５５３…充放電部としてのバックアップ用コンデンサ、５５４…電源用規制手段としてのロジック用ダイオード、５６６…受電部用規制手段としてのＶＢＢ用ダイオード、５６７…第１経路としてのバックアップ経路、５６８…接地手段としての放電回路、５６９…抵抗としての放電抵抗、５７１…第２経路としての接点用経路、６１０…補助電源部としてのバックアップ電源部、６２０…電源用遮断手段としての電源切替回路、６３０…スイッチ用遮断手段としてのスイッチ切替回路。
【図１】
0005532119.tif 000002
【図２】
0005532119.tif 000003
【図３】
0005532119.tif 000004
【図４】
0005532119.tif 000005
【図５】
0005532119.tif 000006
【図６】
0005532119.tif 000007
【図７】
0005532119.tif 000008
【図８】
0005532119.tif 000009
【図９】
0005532119.tif 000010
【図１０】
0005532119.tif 000011
【図１１】
0005532119.tif 000012
【図１２】
0005532119.tif 000013
【図１３】
0005532119.tif 000014
【図１４】
0005532119.tif 000015
【図１５】
0005532119.tif 000016
【図１６】
0005532119.tif 000017
【図１７】
0005532119.tif 000018
【図１８】
0005532119.tif 000019
【図１９】
0005532119.tif 000020
【図２０】
0005532119.tif 000021
【図２１】
0005532119.tif 000022
【図２２】
0005532119.tif 000023
【図２３】
0005532119.tif 000024
【図２４】
0005532119.tif 000025
【図２５】
0005532119.tif 000026
【図２６】
0005532119.tif 000027
【図２７】
0005532119.tif 000028
【図２８】
0005532119.tif 000029
【図２９】
0005532119.tif 000030
【図３０】
0005532119.tif 000031
【図３１】
0005532119.tif 000032
【図３２】
0005532119.tif 000033
【図３３】
0005532119.tif 000034
【図３４】
0005532119.tif 000035
【図３５】
0005532119.tif 000036
【図３６】
0005532119.tif 000037
【図３７】
0005532119.tif 000038
【図３８】
0005532119.tif 000039
【図３９】
0005532119.tif 000040
【図４０】
0005532119.tif 000041
【図４１】
0005532119.tif 000042
【図４２】
0005532119.tif 000043
【図４３】
0005532119.tif 000044
【図４４】
0005532119.tif 000045
【図４５】
0005532119.tif 000046
【図４６】
0005532119.tif 000047
【図４７】
0005532119.tif 000048
【図４８】
0005532119.tif 000049